(57)【要約】      （修正有）【課題】細胞または細胞集合体に、骨の構成成分の組成および結晶構造に近似し、優れた生体親和性が期待できるハイドロキシアパタイトを、極めて速い生成速度で効率良く、かつ強固に細胞または類似の生体組織に付着させることができるハイドロキシアパタイト複合体の製造方法、該方法により得られる細胞または類似の生体組織を提供する。【解決手段】カルシウムイオンを含み、かつ、実質的にリン酸イオンを含まないカルシウム溶液と、リン酸イオンを含み、かつ、実質的にカルシウムイオンを含まないリン酸溶液とに、細胞または細胞集団を交互に浸漬させて、該細胞または細胞集団の少なくとも表面にハイドロキシアパタイトを生成および固定させる工程を含む、ハイドロキシアパタイト複合体の製造方法。【選択図】なし【特許請求の範囲】
【請求項１】
細胞と、ハイドロキシアパタイトとの複合体。
【請求項２】
前記ハイドロキシアパタイトは、前記細胞の表面に付着される請求項１に記載の複合体。
【請求項３】
前記ハイドロキシアパタイトは、前記細胞の表面に直接結合している、請求項１に記載の複合体。
【請求項４】
前記ハイドロキシアパタイトは、前記細胞の細胞膜表面上に微結晶が形成された状態で存在する、請求項１に記載の複合体。
【請求項５】
前記細胞は、三次元組織構造を有する、請求項１に記載の複合体。
【請求項６】
前記細胞は、第三次元方向に生物学的に結合されている（ｉｎｔｅｇｒａｔｅｄ）、請求項１に記載の複合体。
【請求項７】
前記細胞は、周囲との生物学的結合能（ｉｎｔｅｇｒａｔｉｏｎ  ｃａｐａｂｉｌｉｔｙ）を有する、請求項１に記載の複合体。
【請求項８】
前記生物学的結合能は、周囲の細胞および／または細胞外マトリクスとの接着能を含む、請求項４に記載の複合体。
【請求項９】
前記細胞に由来する細胞外マトリクスを含む、請求項１に記載の複合体。
【請求項１０】
前記細胞外マトリクスは、コラーゲンＩ、コラーゲンＩＩＩ、ビトロネクチンおよびフィブロネクチンからなる群より選択される少なくとも１つを含む、請求項９に記載の複合体。
【請求項１１】
コラーゲンとして、１０〜９０％のコラーゲンＩを含む、請求項１０に記載の複合体。
【請求項１２】
コラーゲンとして、１０〜９０％のコラーゲンＩＩを含む、請求項１０に記載の複合体。
【請求項１３】
コラーゲンとして、１０〜９０％のコラーゲンＩＩＩを含む、請求項１０に記載の複合体。
【請求項１４】
前記細胞に由来するプロテオグリカンを含む、請求項１に記載の複合体。
【請求項１５】
前記プロテオグリカンは、ヒアルロン酸を少なくとも０．１〜９０％含有する、請求項１４に記載の複合体。
【請求項１６】
前記プロテオグリカンは、フィブロネクチンを少なくとも０．１〜９０％含有する、請求項１４に記載の複合体。
【請求項１７】
前記細胞外マトリクスが前記細胞と前記ハイドロキシアパタイトとの間に配置される、請求項１０に記載の複合体。
【請求項１８】
前記細胞外マトリクスが前記複合体中に分散して配置される、請求項１０に記載の複合体。
【請求項１９】
前記細胞外マトリクスが前記複合体中に均一に分散して配置される、請求項１０に記載の複合体。
【請求項２０】
前記ハイドロキシアパタイトは、結晶として存在する、請求項１に記載の複合体。
【請求項２１】
前記結晶は、六方晶、板状および棒状から選択される形態を有する、請求項２０に記載の複合体。
【請求項２２】
前記細胞は、幹細胞である、請求項１に記載の複合体。
【請求項２３】
前記細胞は、組織幹細胞である、請求項１に記載の複合体。
【請求項２４】
前記細胞は、コラーゲンを発現する細胞である、請求項１に記載の複合体。
【請求項２５】
前記細胞は、Ｉ型コラーゲンおよびＩＩＩ型コラーゲンを発現する細胞である、請求項１に記載の複合体。
【請求項２６】
前記細胞は、間葉系幹細胞である、請求項１に記載の複合体。
【請求項２７】
前記細胞は、生きた細胞である、請求項１に記載の複合体。
【請求項２８】
前記細胞は、複合体形成前のＤＮＡ量に比べ、少なくとも５０％のＤＮＡ量を保持するか、または生細胞検出法によって検出されるものである、請求項１に記載の複合体。
【請求項２９】
前記生細胞検出法は、ＭＴＴアッセイまたはＷＳＴ−１アッセイである、請求項２８に記載の複合体。
【請求項３０】
カルシウムイオンを含み、かつ、実質的にリン酸イオンを含まないカルシウム溶液と、リン酸イオンを含み、かつ、実質的にカルシウムイオンを含まないリン酸溶液とに、細胞または細胞集団を交互に浸漬させて、該細胞または細胞集団の少なくとも表面にハイドロキシアパタイトを生成および固定させる工程を含む、ハイドロキシアパタイト複合体の製造方法。
【請求項３１】
前記細胞または細胞集団が、人工組織であることを特徴とする請求項３０に記載の製造方法。
【請求項３２】
前記細胞または細胞集団が、幹細胞を含む、請求項３０に記載の製造方法。
【請求項３３】
前記実質的にカルシウムイオンを含まない濃度とは、ハイドロキシアパタイトの形成が進行しない濃度である、請求項３０に記載の製造方法。
【請求項３４】
前記実質的にリン酸イオンを含まない濃度とは、ハイドロキシアパタイトの形成が進行しない濃度である、請求項３０に記載の製造方法。
【請求項３５】
前記ハイドロキシアパタイトの生成および固定させる工程の後、前記複合体における細胞表面でのハイドロキシアパタイトの沈着度を確認し、その結果に基づき該生成および固定させる工程を反復する工程を包含する、請求項３０に記載の製造方法。
【請求項３６】
前記イオンの濃度は、１０〜２００ｍＭである、請求項３０に記載の製造方法。
【請求項３７】
前記イオンの濃度は、１０〜５０ｍＭである、請求項３０に記載の製造方法。
【請求項３８】
前記浸漬の時間は、１分以下である、請求項３０に記載の製造方法。
【請求項３９】
請求項３０に記載の製造方法により得られたことを特徴とするハイドロキシアパタイト複合体。
【請求項４０】
請求項１または３９に記載の複合体から実質的になる生体適合性材料。
【発明の詳細な説明】
【技術分野】
【０００１】
本発明は、骨の構成成分である細胞を用いた、人工骨等の各種生体組織、並びに医療用材料等に利用可能な、細胞・ハイドロキシアパタイト複合体の製造方法、該製造方法により得られた細胞・ハイドロキシアパタイト複合体および生体適合性材料に関する。
【背景技術】
【０００２】
近年、重症臓器不全や難治性疾患に対し、遺伝子工学や細胞組織工学、再生医学等を駆使した再生型治療が新しい治療法として注目され、２１世紀における先端医療の最重要かつ最難関な研究テーマの一つとして、世界的に多くの研究者が精力的に取り組んでいる。
【０００３】
推定される再生（組織工学）医療関連の市場は、新エネルギー・産業技術総合開発機構の資料では世界で約４８兆円、日本国内が約５兆円、組織工学関連製品のみに限っても世界で約１０兆円とされており、この分野の次世代の新産業としての世界の期待は大きい。
【０００４】
本発明者らも、筋骨格組織および循環器組織領域において再生型治療の開発に取り組み、細胞移植と増殖因子との併用法、組織工学による組織移植再生法を報告してきた。しかし、このような細胞移植や組織移植による再生医療を行うためには、自己由来の細胞源の確保が急務かつ最重要である。筋骨格系組織の細胞には自己修復力の高いものが多く、幹細胞としての機能を有する細胞の存在が報告されてきている。
【０００５】
生体骨、歯等は、無機物質であるハイドロキシアパタイト（以下、ハイドロキシアパタイトと略す場合がある）とタンパク質であるコラーゲンが分子レベルで複合化しさらに３次元的に配列したマトリクスである。そして、骨や歯が損傷した場合の修復には、生体適合性を有するセラミックス材料等が使用できることが知られている。例えば、主に歯周充填材として使用される、商品名”Ｂｉｏｇｌａｓｓ”（Ｎｉｐｐｏｎ  Ｅｌｅｃｔｒｉｃ  Ｇｌａｓｓ  Ｃｏ．Ｌｔｄ．，Ｏｔｓｕ．Ｓｉｇａ．Ｊａｐａｎ  製、成分；Ｎａ２Ｏ−ＣａＯ−ＳｉＯ２−Ｐ２Ｏ５）、主に骨充填材として使用される、ハイドロキシアパタイトの焼結体（Ｃａ１０（ＰＯ４）６（ＯＨ）２）、人工すい体および腸骨スペーサー等として使用される、アパタイトとウォラストナイト（ＣａＯ−ＳｉＯ２）とを含む結晶化ガラス（商品名”Ｃｅｒａｂｏｎｅ  Ａ−Ｗ”、  ＮｉｐｐｏｎＥｌｅｃｔｒｉｃ  Ｇｌａｓｓ  Ｃｏ．  Ｌｔｄ．，  Ｏｔｓｕ．  Ｓｉｇａ．Ｊａｐａｎ  製）等が知られている。これらのセラミックス材料は、骨の代替に使用するために、例えば、金属等の強度の高い材料表面に形成する試みがなされている。また、柔軟性、耐久性に富み、骨以外の人工生体組織等への応用を期待して、加工が容易な各種有機高分子材料の表面上にハイドロキシアパタイト層を形成する方法、いわゆる生体模倣反応と呼ばれる方法が開発されている。この生体模倣反応は、ヒト体液に等しいイオン濃度を有する水溶液（疑似体液）に、ＣａＯとＳｉＯ２とを主成分とするガラス粒子を浸し、次いで、有機高分子材料を浸漬し、有機高分子材料の表面に多数のアパタイト核を生成させた後、この有機高分子材料のみを疑似体液の１．５倍のイオン濃度を有する水溶液に浸漬させて反応させる方法である。この生体模倣反応によれば、アパタイト核が有機高分子材料上で自然に成長し、緻密で均質な骨類似のハイドロキシアパタイト層が任意の厚さだけ形成されることが報告されている（非特許文献１＝Ｊ．Ｂｉｏｍｅｄ．Ｍａｔｅｒ．Ｒｅｓ．ｖｏｌ．２９，ｐ３４９−３５７（１９９５））。しかし、この生体模倣反応は、ハイドロキシアパタイトの生成速度が遅く、２週間以上の長期間反応させても、有機高分子材料上に、人工骨に使用し得る程度のハイドロキシアパタイトを生成させることができないのが実状である。
【０００６】
また、ハイドロキシアパタイトの新しい合成法として、カルシウム溶液に材料を浸漬した後、続けてリン酸溶液に浸漬し、この過程を１サイクルとし、これを繰り返してハイドロキシアパタイト層を順次形成させる交互浸漬法が提案されている（非特許文献２＝Ｃｈｅｍ．  Ｌｅｔｔ．，  ｐｐ．７１１−７１２，  １９９８；非特許文献３＝Ｊ  Ｂｉｏｍｅｄ  Ｍａｔｅｒ  Ｒｅｓ  Ｐａｒｔ  Ｂ：  Ａｐｐｌ．Ｂｉｏｍａｔｅｒ  ６６Ｂ：  ４２９-４３８，  ２００３；非特許文献４＝Ｊ  Ｂｉｏｍｅｄ  Ｍａｔｅｒ  Ｒｅｓ  Ｐａｒｔ  Ｂ：  Ａｐｐｌ  Ｂｉｏｍａｔｅｒ  ７５Ｂ：  ３７８-３８６，  ２００５）。
【０００７】
生体組織の中の骨、歯等の主要構成層は、ハイドロキシアパタイト（以下、ハイドロキシアパタイトと略す場合がある）に近似した無機固体物質で構成されている。そして、骨や  歯が損傷した場合の修復には、生体適合性を有するセラミックス材料等が使用できることが知られている。例えば、主に歯周充填材として使用される、商品名  “Ｂｉｏｇｌａｓｓ”（Ｎｉｐｐｏｎ  Ｅｌｅｃｔｒｉｃ  Ｇｌａｓｓ  Ｃｏ．Ｌｔｄ，，Ｏｔｓｕ．Ｓｉｇａ．Ｊａｐａｎ製、成分；Ｎａ２Ｏ−ＣａＯ−ＳｉＯ２−Ｐ２Ｏ５）、主に骨充填材として使用される、ハイドロキシアパタイトの焼結体（Ｃａ１０（ＰＯ４）６（ＯＨ）２）、人工すい体および腸骨スペーサー等として使用される、アパタイトとウォラストナイト（ＣａＯ−ＳｉＯ２）とを含む結晶化ガラス（商品名“Ｃｅｒａｂｏｎｅ  Ａ−Ｗ”、Ｎｉｐｐｏｎ  Ｅｌｅｃｔｒｉｃ  Ｇｌａｓｓ  Ｃｏ．Ｌｔｄ．，Ｏｔｓｕ．Ｓｉｇａ．Ｊａｐａｎ製）等が知られている。
【０００８】
これらのセラミックス材料は、骨の代替に使用するために、例えば、金属等の強度の高い材料表面に形成する試みがなされている。また、柔軟性、耐久性に富  み、骨以外の人工生体組織等への応用を期待して、加工が容易な各種有機高分子材料の表面上にハイドロキシアパタイト層を形成する方法、いわゆる生体模倣反応と呼ばれる方法  が開発されている。
この生体模倣反応は、ヒト体液に等しいイオン濃度を有する水溶液（疑似体液）に、ＣａＯとＳｉＯ２とを主成分とするガラス粒子を浸し、次いで、有機高分子材料を浸漬し、有機高分子材料の表面に多数のアパタイト核を生成させた後、この有機高分子材料のみを疑似体液の１．５倍のイオン濃度を有する水溶液に浸漬  させて反応させる方法である。この生体模倣反応によれば、アパタイト核が有機高分子材料上で自然に成長し、緻密で均質な骨類似のハイドロキシアパタイト層が任意の厚さだけ  形成されることが報告されている（非特許文献５＝Ｊ．Ｂｉｏｍｅｄ．Ｍａｔｅｒ．Ｒｅｓ．ｖｏｌ．２９，ｐ３４９−３５７（１９９５））。
しかし、この生体模倣反応は、ハイドロキシアパタイトの生成速度が遅く、２週間以上の長期間反応させても、有機高分子材料上に、人工骨に使用し得る程度のハイドロキシアパタイトを生成させることができないのが実状である。
ところで、前述のセラミックス材料は、例えば、生きている骨と結合する程度の生体親和性を有することが要求され、組成および形態を中心とする研究が行われて  いる。また最近、生体親和性の向上は、セラミックス材料の組成および形態だけでなく、その結晶構造も重要であることが判っている。例えば、ヒトの骨の結晶構  造は、Ｘ線回折により、特異回折ピークを示すことが知られている（非特許文献６＝Ｂｉｏｍａｔｅｒｉａｌｓ，１１，ｐ５６８−５７２，１９９０）。
しかし、これに近似した結晶構造を有するハイドロキシアパタイトは従来知られていない。例えば、骨類似のハイドロキシアパタイト層が形成されることが報告されている、前述の生体模倣反応によって得られるハイドロキシアパタイトも、このような結晶構造は有していない。
【０００９】
特許文献１（特開２００２−２１９１６７号）は、天然由来高分子とカルシウム、リン酸の溶液を混ぜて高分子とアパタイトの複合体を作製する方法を開示する。しかし、ここで用いられる高分子は、生体材料から分離したものであり、細胞自体を使用するものではない。
【００１０】
特許文献２（特開２０００−３２７３１４号）は、高分子に関する交互浸漬法によるハイドロキシアパタイト複合物の製造を記載する。しかし、この文献は、細胞等の生体材料そのものについて開示していない。
【非特許文献１】Ｊ．Ｂｉｏｍｅｄ．Ｍａｔｅｒ．Ｒｅｓ．ｖｏｌ．２９，ｐ３４９−３５７（１９９５）
【非特許文献２】Ｃｈｅｍ．  Ｌｅｔｔ．，  ｐｐ．７１１−７１２，  １９９８
【非特許文献３】Ｊ  Ｂｉｏｍｅｄ  Ｍａｔｅｒ  Ｒｅｓ  Ｐａｒｔ  Ｂ：  Ａｐｐｌ．Ｂｉｏｍａｔｅｒ  ６６Ｂ：  ４２９-４３８，  ２００３；
【非特許文献４】Ｊ  Ｂｉｏｍｅｄ  Ｍａｔｅｒ  Ｒｅｓ  Ｐａｒｔ  Ｂ：  Ａｐｐｌ  Ｂｉｏｍａｔｅｒ  ７５Ｂ：  ３７８-３８６，  ２００５
【非特許文献５】Ｊ．Ｂｉｏｍｅｄ．Ｍａｔｅｒ．Ｒｅｓ．ｖｏｌ．２９，ｐ３４９−３５７，１９９５
【非特許文献６】Ｂｉｏｍａｔｅｒｉａｌｓ，１１，ｐ５６８−５７２，１９９０
【特許文献１】特開２００２−２１９１６７号
【特許文献２】特開２０００−３２７３１４号
【発明の開示】
【発明が解決しようとする課題】
【００１１】
本発明の目的は、高分子材料等の細胞または細胞集合体に、骨の構成成分の組成および結晶構造に近似し、優れた生体親和性が期待できるハイドロキシアパタイトを、極めて速い生成速度で効率良く、かつ強固に細胞または類似の生体組織に付着させることができるハイドロキシアパタイト複合体の製造方法、該方法により得られる細胞または類似の生体組織に、および細胞または類似の生体組織を提供することにある。
【課題を解決するための手段】
【００１２】
本発明は、間葉系幹細胞のような細胞またはその細胞から構成される組織を死滅させることなく安全にハイドロキシアパタイトとの複合化を行なうことに成功したことによって上記課題を解決した。とくに、本発明において、上記課題を解決するために、従来の複合体と比べて工夫した点は、細胞が生存している状態でハイドロキシアパタイトとの複合化を達成した点である。生存細胞およびその組織体を交互浸漬でハイドロキシアパタイトとの複合化を試みた例はない。
【００１３】
とくに、間葉系幹細胞が未分化の状態で均一に分布した三次元組織をハイドロキシアパタイトと複合化した例はかつて存在しなかった。本発明では、骨・軟骨再生治療に求められている間葉系幹細胞のような細胞またはその細胞から構成される組織とハイドロキシアパタイトの複合体を生体外で安全に調製することが可能であり、治療効果が期待される。また、製品の経済的効果も大きいと予想される。
【００１４】
間葉系幹細胞のような細胞またはその細胞由来自己組織化三次元人工組織をハイドロキシアパタイトと複合化させることが可能であり、複合化後も細胞は生存していることから、極めて安全性の高い手法であることが本発明の最大の特徴である。また、交互浸漬条件を変えることでハイドロキシアパタイトの量を簡便に制御することができるため、用いる場所や条件に応じて複合化度を制御できるという特徴を有している。また、本発明により形成されるハイドロキシアパタイトは低結晶性で生体吸収性であるため、生体への埋植後に骨形成を誘導して分解吸収されることが期待される。本発明は、細胞組織体をハイドロキシアパタイトと安全に複合化することができる画期的な手法である。
【００１５】
１つの実施形態では、Ｌ−アスコルビン酸２−リン酸を添加して培養することで調製した間葉系幹細胞由来自己組織化三次元人工組織を、塩化カルシウム／トリス緩衝液（ｐＨ＝７．４）に例えば１０秒間浸漬し、トリス緩衝液（ｐＨ＝７．４）に例えば１０秒間浸漬することで余剰のカルシウムイオンを除去する。その後、リン酸水素二ナトリウム／トリス緩衝液（ｐＨ＝７．４）に例えば１０秒間浸漬し、トリス緩衝液（ｐＨ＝７．４）に１０秒間浸漬することで余剰のリン酸イオンを除去する。
【００１６】
１つの実施形態では、このサイクルを繰り返すことで、間葉系幹細胞由来自己組織化三次元人工組織の表面にハイドロキシアパタイトが形成される。ハイドロキシアパタイトの形成量は、サイクル数や溶液濃度により制御することができる。
【００１７】
従って、本発明は、以下を提供する。
（１）細胞と、ハイドロキシアパタイトとの複合体。
（２）上記ハイドロキシアパタイトは、上記細胞の表面に付着される項目１に記載の複合体。
（３）上記ハイドロキシアパタイトは、上記細胞の表面に直接結合している、項目１に記載の複合体。
（４）上記ハイドロキシアパタイトは、上記細胞の細胞膜表面上に微結晶が形成された状態で存在する、項目１に記載の複合体。
（５）上記細胞は、三次元組織構造を有する、項目１に記載の複合体。
（６）上記細胞は、第三次元方向に生物学的に結合されている（ｉｎｔｅｇｒａｔｅｄ）、項目１に記載の複合体。
（７）上記細胞は、周囲との生物学的結合能（ｉｎｔｅｇｒａｔｉｏｎ  ｃａｐａｂｉｌｉｔｙ）を有する、項目１に記載の複合体。
（８）上記生物学的結合能は、周囲の細胞および／または細胞外マトリクスとの接着能を含む、項目４に記載の複合体。
（９）上記細胞に由来する細胞外マトリクスを含む、項目１に記載の複合体。
（１０）上記細胞外マトリクスは、コラーゲンＩ、コラーゲンＩＩＩ、ビトロネクチンおよびフィブロネクチンからなる群より選択される少なくとも１つを含む、項目９に記載の複合体。
（１１）コラーゲンとして、１０〜９０％のコラーゲンＩを含む、項目１０に記載の複合体。
（１２）コラーゲンとして、１０〜９０％のコラーゲンＩＩを含む、項目１０に記載の複合体。
（１３）コラーゲンとして、１０〜９０％のコラーゲンＩＩＩを含む、項目１０に記載の複合体。
（１４）上記細胞に由来するプロテオグリカンを含む、項目１に記載の複合体。
（１５）上記プロテオグリカンは、ヒアルロン酸を少なくとも０．１〜９０％含有する、項目１４に記載の複合体。
（１６）上記プロテオグリカンは、フィブロネクチンを少なくとも０．１〜９０％含有する、項目１４に記載の複合体。
（１７）上記細胞外マトリクスが上記細胞と上記ハイドロキシアパタイトとの間に配置される、項目１０に記載の複合体。
（１８）上記細胞外マトリクスが上記複合体中に分散して配置される、項目１０に記載の複合体。
（１９）上記細胞外マトリクスが上記複合体中に均一に分散して配置される、項目１０に記載の複合体。
（２０）上記ハイドロキシアパタイトは、結晶として存在する、項目１に記載の複合体。
（２１）上記結晶は、六方晶、板状および棒状から選択される形態を有する、項目２０に記載の複合体。
（２２）上記細胞は、幹細胞である、項目１に記載の複合体。
（２３）上記細胞は、組織幹細胞である、項目１に記載の複合体。
（２４）上記細胞は、コラーゲンを発現する細胞である、項目１に記載の複合体。
（２５）上記細胞は、Ｉ型コラーゲンおよびＩＩＩ型コラーゲンを発現する細胞である、項目１に記載の複合体。
（２６）上記細胞は、間葉系幹細胞である、項目１に記載の複合体。
（２７）上記細胞は、生きた細胞である、項目１に記載の複合体。
（２８）上記細胞は、複合体形成前のＤＮＡ量に比べ、少なくとも５０％のＤＮＡ量を保持するか、または生細胞検出法によって検出されるものである、項目１に記載の複合体。
（２９）上記生細胞検出法は、ＭＴＴアッセイまたはＷＳＴ−１アッセイである、項目２８に記載の複合体。
（３０）  カルシウムイオンを含み、かつ、実質的にリン酸イオンを含まないカルシウム溶液と、リン酸イオンを含み、かつ、実質的にカルシウムイオンを含まないリン酸溶液とに、細胞または細胞集団を交互に浸漬させて、上記細胞または細胞集団の少なくとも表面にハイドロキシアパタイトを生成および固定させる工程を含む、ハイドロキシアパタイト複合体の製造方法。
（３１）  上記細胞または細胞集団が、人工組織であることを特徴とする項目３０に記載の製造方法。
（３２）  上記細胞または細胞集団が、幹細胞を含む、項目３０に記載の製造方法。
（３３）上記実質的にカルシウムイオンを含まない濃度とは、ハイドロキシアパタイトの形成が進行しない濃度である、項目３０に記載の製造方法。
（３４）上記実質的にリン酸イオンを含まない濃度とは、ハイドロキシアパタイトの形成が進行しない濃度である、項目３０に記載の製造方法。
（３５）上記ハイドロキシアパタイトの生成および固定させる工程の後、上記複合体における細胞表面でのハイドロキシアパタイトの沈着度を確認し、その結果に基づき上記生成および固定させる工程を反復する工程を包含する、項目３０に記載の製造方法。
（３６）  上記イオンの濃度は、１０〜２００ｍＭである、項目３０に記載の製造方法。
（３７）  上記イオンの濃度は、１０〜５０ｍＭである、項目３０に記載の製造方法。
（３８）  上記浸漬の時間は、１分以下である、項目３０に記載の製造方法。
（３９）    項目３０に記載の製造方法により得られたことを特徴とするハイドロキシアパタイト複合体。
（４０）  項目１または３９に記載の複合体から実質的になる生体適合性材料。
【００１８】
以下に、本発明の好ましい実施形態を示すが、当業者は本発明の説明および当該分野における周知慣用技術からその実施形態などを適宜実施することができ、本発明が奏する作用および効果を容易に理解することが認識されるべきである。
【発明の効果】
【００１９】
従来の細胞移植や市販のアパタイトでは骨・軟骨誘導が不十分であり、また結晶性アパタイトが生体内に分解されず長期にわたって残存するという問題点があった。本発明では、細胞移植とハイドロキシアパタイトによる骨誘導を同時に達成できるだけでなく、ハイドロキシアパタイトが生体吸収性であるため骨誘導後に速やかに分解吸収される、という大きな特徴を有している。また、有機物は細胞および細胞が産出した細胞外マトリックス成分のみであるため、安全性に極めて優れている。
【００２０】
細胞が生存している状態で細胞膜表面上にハイドロキシアパタイトの微結晶を形成できる点もまた、本発明においてはじめて達成された特徴のひとつであり、従来技術は細胞膜表面にハイドロキシアパタイト微結晶を形成することができなかった。細胞が物質に接着する場合は、細胞膜全体で接着せず、インテグリン等の膜タンパク質を介して点で物質に接着する。そのため、細胞が物質に接着する際は細胞膜は物質に接触しないのである。従って、ハイドロキシアパタイト表面に細胞を接着させた状態と、細胞膜表面にハイドロキシアパタイトを形成した状態は全く異なるといえ、これは、客観的にも観察可能である。本発明の技術は、細胞膜表面に細胞が生存している状態で直接ハイドロキシアパタイト微結晶を形成させた初めての例であるといえる。
【００２１】
従来の細胞・ハイドロキシアパタイト複合体は、真の意味での複合体とは言えず、むしろ、混合物ともいうべき状態のものであり、骨・軟骨誘導において難点があった。例えば、ハイドロキシアパタイトの効果で骨が誘導されることは報告されているが、実際に治療で用いられるほどの骨誘導効果が得られるものは少ない。また、治療においては海綿骨に見られるような骨・軟骨の両方を誘導することが重要であるが、そのような効果を示す材料は報告例が無い。
【００２２】
海綿骨と皮質骨の違いとしては、骨を性状と働きで分類すると、海綿の様な空洞の多い構造をした部分（海綿骨）とそれを取り巻く硬い緻密な部分（皮質骨）からできている。海綿骨とは、脊柱椎体、踵骨、長管骨の端近くなどに含まれる海綿状の骨を指す。海綿骨の働きは主に、骨代謝にあずかるため代謝骨ともいわれている。  海綿骨は皮質骨の５〜８倍も速い代謝速度を有し、１年間に全体の２０％近く骨が新生骨に置換えられる。皮質骨とは、海綿骨を薄く覆っている骨や、長管骨の中央部のように厚い竹筒状になっている骨をいう。皮質骨は機械的強度を保つ役目をしている。新生骨置換えは年間４％と代謝速度が遅いのが特徴である。本発明を用いると、ＨＡ−３ＤＢＴの移植実験により、欠損部にＣＴ及び組織上、上海綿骨様の形態を示す骨が形成されることが見出された。
【００２３】
以上より、骨・軟骨の新しい再生医療材料として産業への大きな寄与が期待される。
【００２４】
１）  交互浸漬法により、間葉系幹細胞由来自己組織化三次元人工組織ハイドロキシアパタイト複合体を調製することができた。
【００２５】
２）  Ｘ  線回折測定によりハイドロキシアパタイトの形成が確認された。
【００２６】
３）電子顕微鏡観察により細胞外マトリックスや細胞表面へのハイドロキシアパタイト形成が確認された。
【００２７】
４）  ＷＳＴ−１  染色により、複合化後の細胞の生存が確認された。
【発明を実施するための最良の形態】
【００２８】
以下、本発明を説明する。本明細書の全体にわたり、単数形の表現は、特に言及しない限り、その複数形の概念をも含むことが理解されるべきである。従って、単数形の冠詞（例えば、英語の場合は「ａ」、「ａｎ」、「ｔｈｅ」など）は、特に言及しない限り、その複数形の概念をも含むことが理解されるべきである。また、本明細書において使用される用語は、特に言及しない限り、当上記分野で通常用いられる意味で用いられることが理解されるべきである。したがって、他に定義されない限り、本明細書中で使用される全ての専門用語および科学技術用語は、本発明の属する分野の当業者によって一般的に理解されるのと同じ意味を有する。矛盾する場合、本明細書（定義を含めて）が優先する。
【００２９】
（用語の定義）
以下に本明細書において特に使用される用語の定義を列挙する。
【００３０】
（再生医療）
本明細書において使用される「再生」（ｒｅｇｅｎｅｒａｔｉｏｎ）とは，個体の組織の一部が失われた際に残った組織が増殖して復元される現象をいう。動物種間または同一個体における組織種に応じて、再生のその程度および様式は変動する。ヒト組織の多くはその再生能が限られており、大きく失われると完全再生は望めない。大きな傷害では、失われた組織とは異なる増殖力の強い組織が増殖し，不完全に組織が再生され機能が回復できない状態で終わる不完全再生が起こり得る。この場合には，生体内吸収性材料からなる構造物を用いて、組織欠損部への増殖力の強い組織の侵入を阻止することで本来の組織が増殖できる空間を確保し，さらに細胞増殖因子を補充することで本来の組織の再生能力を高める再生医療が行われている。この例として、軟骨、骨、心臓および末梢神経の再生医療がある。軟骨、神経細胞および心筋は再生能力がないかまたは著しく低いとこれまでは考えられてきた。近年、これらの組織へ分化し得る能力および自己増殖能を併せ持った組織幹細胞（体性幹細胞）の存在が報告され、組織幹細胞を用いる再生医療への期待が高まっている。胚性幹細胞（ＥＳ細胞）はすべての組織に分化する能力をもった細胞であり、それを用いた腎臓、肝臓などの複雑な臓器の再生が試みられているが実現には至っていない。
【００３１】
本明細書において使用される「細胞」は、当該分野において用いられる最も広義の意味と同様に定義され、多細胞生物の組織の構成単位であって、外界を隔離する膜構造に包まれ、内部に自己再生能を備え、遺伝情報およびその発現機構を有する生命体をいう。本発明の方法においては、どのような細胞でも対象とされ得る。本発明で使用される「細胞」の数は、光学顕微鏡を通じて計数することができる。光学顕微鏡を通じて計数する場合は、核の数を数えることにより計数を行う。当該組織を組織切片スライスとし、ヘマトキシリン−エオシン（ＨＥ）染色を行うことにより細胞外マトリクス（例えば、エラスチンまたはコラーゲン）および細胞に由来する核を色素によって染め分ける。この組織切片を光学顕微鏡にて検鏡し、特定の面積（例えば、２００μｍ×２００μｍ）あたりの核の数を細胞数と見積って計数することができる。本明細書において使用される細胞は、天然に存在する細胞であっても、人工的に改変された細胞（例えば、融合細胞、遺伝子改変細胞）であってもよい。細胞の供給源としては、例えば、単一の細胞培養物であり得、あるいは、正常に成長したトランスジェニック動物の胚、血液、または体組織、または正常に成長した細胞株由来の細胞のような細胞混合物が挙げられるがそれらに限定されない。細胞としては、例えば、初代培養の細胞が用いられ得るが、継代培養した細胞もまた使用され得る。好ましくは、継代が３代〜８代経由した細胞が用いられる。本明細書において、細胞密度は、単位面積（例えば、ｃｍ２）あたりの細胞数で表すことができる。
【００３２】
本明細書において、細胞が「生きている」状態は、例えば、ＤＮＡ量によって評価することができる。例えば、本発明の複合体形成前のＤＮＡ量に比べ、少なくとも５０％のＤＮＡ量を保持する場合、その細胞は「生きている」状態であると評価する。あるいは、例えば、本発明の複合体形成前のＤＮＡ量に比べ、少なくとも５０％のＤＮＡ量を保持する場合、また、ＭＴＴアッセイやＷＳＴ−１アッセイなど生細胞検出法により検出される場合、その細胞は「生きている」状態であると評価する。
【００３３】
ここで、ＭＴＴアッセイは、３−（４，５−ｄｉｍｅｔｈｙｌ−２−ｔｈｉａｚｏｌｙｌ）−２，５−ｄｉｐｈｅｎｙｌ−２Ｈ  ｔｅｔｒａｚｏｌｉｕｍ  ｂｒｏｍｉｄｅ  （ＭＴＴ）が生細胞が産出する細胞内脱水素酵素により還元されホルマザンを生成することで、ホルマザンの５７０  ｎｍの吸光度を測定することで実施することができる。ＷＳＴ−１アッセイはＭＴＴアッセイの改良版であり、
２−（４−ｉｏｄｏｐｈｅｎｙｌ）−３−（４−ｎｉｔｒｏｐｈｅｎｙｌ）−５−（２，４−ｄｉｓｕｌｆｏｐｈｅｎｙｌ）−２Ｈ−ｔｅｔｒａｚｏｌｉｕｍ，  ｍｏｎｏｓｏｄｉｕｍ  ｓａｌｔ  （ＷＳＴ−１）は１−ｍｅｔｈｏｘｙ−５−ｍｅｔｈｙｌｐｈｅｎａｚｉｎｉｕｍ  ｍｅｔｈｙｌｓｕｌｆａｔｅ  （１−Ｍｅｔｈｏｘｙ  ＰＭＳ）を電子キャリアーとして用いると、細胞内脱水素酵素により還元されて水溶性ホルマザンを生成し、ホルマザンの４５０  ｎｍの吸光度を測定することで実施することができる。
【００３４】
これらのアッセイは、例えば、ＴａＫａＲａのキットを用いて実施することができる（Ｐｒｅｍｉｘ  ＷＳＴ−１  ２５  ｍｌ）。「Ｐｒｅｍｉｘ  ＷＳＴ−１」は、リン酸ｂｕｆｆｅｒで希釈された無菌のＷＳＴ−１と電子結合試薬を含むｒｅａｄｙ−ｔｏ−ｕｓｅなＰｒｅｍｉｘ溶液である。細胞濃度に関係なく、１００  μｌ／ｗｅｌｌの場合には１０  μｌのＰｒｅｍｉｘ  ＷＳＴ−１を、２００  μｌ／ｗｅｌｌの場合には２０  μｌのＰｒｅｍｉｘ  ＷＳＴ−１を加えればよい（１０：  １）。１００  μｌ／ｗｅｌｌで細胞を培養した場合、本製品１ｂｏｔｔｌｅで２５００回（２５マイクロタイタープレート）分に相当する。この試薬は、細胞増殖能力や細胞生存能力を発色測定により定量するための試薬である。生細胞中のミトコンドリア脱水素酵素によるテトラゾリウム塩（ＷＳＴ−１）のホルマザン色素への変換を基本としており、［３Ｈ］−チミジン取込み測定法に代わり、ｎｏｎ−ＲＩでの測定が可能である。培地に加えたテトラゾリウム塩は、ミトコンドリアの呼吸鎖に存在し、生存細胞にだけ活性のある「ｓｕｃｃｉｎａｔｅ−ｔｅｔｒａｚｏｌｉｕｍ  ｒｅｄｕｃｔａｓｅ（コハク酸塩テトラゾリウム還元酵素）」（ＥＣ１．３．９９．１）によりホルマザン色素に変換される。生細胞数が増加すれば、サンプル中のミトコンドリア脱水素酵素の全体の活性が増加することになり、この酵素活性の増加が、ホルマザン色素の生成増加を導くため、ホルマザン色素と培地中の代謝活性のある細胞の数とは直線的な相関を示すことになる。
この測定法は、細胞の洗浄や取込みの必要がなく、微量培養の開始から、ＥＬＩＳＡリーダーによるデータ解析までが、同じマイクロタイタープレートで行える利点を有する。
また増殖能力や薬剤感受性測定法において、細胞増殖と生存能力をｎｏｎ−ＲＩで分光光度計により定量することも可能である。
【００３５】
ＭＴＴ，ＸＴＴ，ＭＴＳのような異なるテトラゾリウム塩が、細胞増殖能力や生存能力の測定に使われている。テトラゾリウム塩は、ミトコンドリアの呼吸鎖に存在して、生存細胞にだけ活性のある「ｓｕｃｃｉｎａｔｅ−ｔｅｔｒａｚｏｌｉｕｍ  ｒｅｄｕｃｔａｓｅ（コハク酸塩テトラゾリウム還元酵素）」（ＥＣ１．３．９９．１）によりホルマザン色素に分解される９）。生存細胞数が増加すれば、サンプル中のミトコンドリア脱水素酵素の全体の活性が増加することになる。この酵素活性の増加が、ホルマザン色素の生成増加を導くため、ホルマザン色素と培地中の代謝活性のある細胞の数とは直線的な相関を示す。ＥＬＩＳＡリーダーで色素溶液の吸光度を測定することにより、代謝活性のある細胞が作り出すホルマザン色素を定量できる。これにより、細胞増殖能力や細胞生存能力をみることが可能である。
【００３６】
上記の還元酵素によりホルマザン色素を形成する（化１）。このホルマザン色素を定量すれば、生細胞（＝代謝活性のある細胞）が測定できる。ホルマザン色素溶液の吸光度と生細胞数との間には直線的な関係がある。
【００３７】
【化１】
2008126005.tif 000002
【００３８】
ＷＳＴ−１のプロトコールは以下のとおりである。
Ａ．  必要な器具
・インキュベーター（３７℃）
・遠心機
・４２０−４８０ｎｍの波長に対応するフィルターをもつマイクロタイタープレート（ＥＬＩＳＡ）リーダー（対照波長６００ｎｍ以上のフィルターが望ましい）
・顕微鏡
・血球計算盤
・マルチチャンネルピペッター（１０、５０、１００μｌ）
・滅菌済ピペットチップ
・マイクロタイタープレート（組織培養グレード、９６穴、平底）
Ｂ．  操作手順
１．    加湿、常圧下（例えば、３７℃、５％ＣＯ２  ）で、最終的な培地の液量が１００μｌ／ｗｅｌｌになるように、マイクロタイタープレートで細胞を培養する＊。
＊  培養時間や培養細胞濃度は、個々の実験条件や用いている細胞系による。ほとんどの実験では細胞濃度は０．１〜５×１０４個／ｗｅｌｌ、培養時間は２４〜９６時間が適当である。
２．    細胞培養終了後、Ｐｒｅｍｉｘ  ＷＳＴ−１を１  ｗｅｌｌあたり１０μｌずつ加える。
３．    加湿、常圧下（例えば、３７℃、５％ＣＯ２  ）で０．５〜４時間インキュベートする。
４．    マイクロタイタープレート（ＥＬＩＳＡ）リーダーを用いて、バックグランドコントロール（  「Ｃ」参照  ）に対するサンプルの吸光度を測定する。ホルマザン産物の吸光度を測定するための波長は、ＥＬＩＳＡリーダーの利用できるフィルターによるが、４２０−４８０ｎｍの間である（最大吸光は約４４０ｎｍ）。対照波長は６００ｎｍ以上がよい。
Ｃ．  バックグランドコントロール（ブランク）
１つのｗｅｌｌに「Ｂ−１」で用いた培地１００  μｌとＰｒｅｍｉｘ  ＷＳＴ−１を１０μｌ加える。これをＥＬＩＳＡリーダーのブランクポジションで、バックグランドコントロール（細胞のない培地＋Ｐｒｅｍｉｘ  ＷＳＴ−１の吸光度）として用いる。細胞のない培地にＰｒｅｍｉｘ  ＷＳＴ−１を加えた場合でも、わずかな自発的の吸光度がある。このバックグランドの吸光度は、培地、インキュベーション時間、光への露出による。２時間後の典型的なバックグランドの吸光度は０．１〜０．２の間である。
【００３９】
ＷＳＴ−１アッセイにおいては、以下の点に注意する。
・Ｐｒｅｍｉｘ  ＷＳＴ−１添加後の至適インキュベーション時間は、個々の実験により異なる（例えば、用いている細胞の種類や濃度など）。従って、実験においてはＰｒｅｍｉｘ  ＷＳＴ−１を添加後、異なった時間（例えば、０．５、１、２、４時間）で繰り返し吸光度を測定することにより最適のインキュベーション時間を決める。
・高い感度を得たい場合は、Ｐｒｅｍｉｘ  ＷＳＴ−１存在下で細胞をより長い時間インキュベーションするとよい。
【００４０】
本明細書において「幹細胞」とは、自己複製能を有し、多分化能（すなわち多能性）（「ｐｌｕｒｉｐｏｔｅｎｃｙ」）を有する細胞をいう。幹細胞は通常、組織が傷害を受けたときにその組織を再生することができる。本明細書では幹細胞は、胚性幹（ＥＳ）細胞または組織幹細胞（組織性幹細胞、組織特異的幹細胞または体性幹細胞ともいう）であり得るがそれらに限定されない。また、上述の能力を有している限り、人工的に作製した細胞（たとえば、本明細書において記載される融合細胞、再プログラム化された細胞など）もまた、幹細胞であり得る。胚性幹細胞とは初期胚に由来する多能性幹細胞をいう。胚性幹細胞は、１９８１年に初めて樹立され、１９８９年以降ノックアウトマウス作製にも応用されている。１９９８年にはヒト胚性幹細胞が樹立されており、再生医学にも利用されつつある。組織幹細胞は、胚性幹細胞とは異なり、分化の方向が限定されている細胞であり、組織中の特定の位置に存在し、未分化な細胞内構造をしている。従って、組織幹細胞は多能性のレベルが低い。組織幹細胞は、核／細胞質比が高く、細胞内小器官が乏しい。組織幹細胞は、概して、多分化能を有し、細胞周期が遅く、個体の一生以上に増殖能を維持する。本明細書において使用される場合は、幹細胞は好ましくは胚性幹細胞であり得るが、状況に応じて組織幹細胞も使用され得る。
【００４１】
由来する部位により分類すると、組織幹細胞は、例えば、皮膚系、消化器系、骨髄系、神経系などに分けられる。皮膚系の組織幹細胞としては、表皮幹細胞、毛嚢幹細胞などが挙げられる。消化器系の組織幹細胞としては、膵（共通）幹細胞、肝幹細胞などが挙げられる。骨髄系の組織幹細胞としては、造血幹細胞、間葉系幹細胞（例えば、脂肪由来、軟骨由来、骨由来、骨髄由来）などが挙げられる。神経系の組織幹細胞としては、神経幹細胞、網膜幹細胞などが挙げられる。
【００４２】
本明細書において「体細胞」とは、卵子、精子などの生殖細胞以外の細胞であり、そのＤＮＡを次世代に直接引き渡さない全ての細胞をいう。体細胞は通常、多能性が限定されているかまたは消失している。本明細書において使用される体細胞は、天然に存在するものであってもよく、遺伝子改変されたものであってもよい。
【００４３】
細胞は、由来により、外胚葉、中胚葉および内胚葉に由来する幹細胞に分類され得る。外胚葉由来の細胞は、主に脳に存在し、神経幹細胞などが含まれる。中胚葉由来の細胞は、主に骨髄に存在し、血管幹細胞、造血幹細胞および間葉系幹細胞などが含まれる。内胚葉由来の細胞は主に臓器に存在し、肝幹細胞、膵幹細胞などが含まれる。本明細書では、体細胞はどのような間葉由来でもよい。好ましくは、体細胞は、間葉系由来の細胞が使用され得る。
【００４４】
本発明において提供される人工組織、複合体、三次元構造体を構成する細胞としては、例えば、上述の外胚葉、中胚葉および内胚葉に由来する分化細胞または幹細胞が使用され得る。このような細胞としては、例えば、間葉系の細胞が挙げられる。ある実施形態では、このような細胞として、脂肪細胞、線維芽細胞、滑膜細胞などが使用され得る。このような細胞としては、分化細胞をそのまま利用したり、幹細胞をそのまま利用することもできるが、幹細胞から所望される方向に分化させた細胞を使用することができる。
【００４５】
本明細書において「間葉系幹細胞」とは、間葉に見出される幹細胞をいう。本明細書ではＭＳＣと略されることがある。ここで、間葉とは、多細胞動物の発生各期に認められる、上皮組織間の間隙をうめる星状または不規則な突起をもつ遊離細胞の集団と，それに伴う細胞間質によって形成される組織をいう。間葉系幹細胞は、増殖能と、骨細胞、軟骨細胞、筋肉細胞、ストローマ細胞、腱細胞、脂肪細胞への分化能を有する。間葉系幹細胞は、患者から採取した骨髄細胞等を培養または増殖、軟骨細胞あるいは骨芽細胞に分化させるために使用され、または歯槽骨、関節症等の骨、軟骨、関節などの再建材料として使用されており、その需要は大きい。従って、本発明の間葉系幹細胞または分化した間葉系幹細胞を含む人工組織、複合体または三次元構造体は、これらの用途において構造体が必要である場合に特に有用である。
【００４６】
本明細書において「単離された」とは、通常の環境において天然に付随する物質が少なくとも低減されていること、好ましくは実質的に含まないことをいう。従って、単離された細胞、組織などとは、天然の環境において付随する他の物質（たとえば、他の細胞、タンパク質、核酸など）を実質的に含まない細胞をいう。組織についていう場合、単離された組織とは、その組織以外の物質（例えば、人工組織または複合体の場合は、その人工組織を作製するに際して使用された物質、スキャフォールド、シート、コーティングなど）が実質的に含まれていない状態の組織をいう。本明細書において、単離されたとは、好ましくは、スキャフォールドが含まれていないこと（すなわち、スキャフォールドフリー）をいう。従って、単離された状態では、培地など本発明において提供される人工組織または複合体を生産する際に使用される成分は入っていてもよいことが理解される。核酸またはポリペプチドについていう場合、「単離された」とは、たとえば、組換えＤＮＡ技術により作製された場合には細胞物質または培養培地を実質的に含まず、化学合成された場合には前駆体化学物質またはその他の化学物質を実質的に含まない、核酸またはポリペプチドを指す。単離された核酸は、好ましくは、その核酸が由来する生物において天然に該核酸に隣接している（ｆｌａｎｋｉｎｇ）配列（即ち、該核酸の５’末端および３’末端に位置する配列）を含まない。
【００４７】
本明細書において「スキャフォールドフリー（足場フリー、基盤材料なし；ｓｃａｆｆｏｌｄ−ｆｒｅｅ）」とは、人工組織を生産するときに従来使用されている材料（基盤材料＝スキャフォールド）を実質的に含まないことをいう。そのようなスキャフォールドの材料としては、例えば、化学高分子化合物、セラミック、あるいは多糖類、コラーゲン、ゼラチン、ヒアルロン酸などの生物製剤などを挙げることができるがそれらに限定されない。スキャフォールドとは、実質的に固形であり、細胞または組織を支持することができる強度を含む材料をいう。
【００４８】
本明細書において、「樹立された」または「確立された」細胞とは、特定の性質（例えば、多分化能）を維持し、かつ、細胞が培養条件下で安定に増殖し続けるようになった状態をいう。したがって、樹立された幹細胞は、多分化能を維持する。
【００４９】
本明細書において、「非胚性」とは、初期胚に直接由来しないことをいう。従って、初期胚以外の身体部分に由来する細胞がこれに該当するが、胚性幹細胞に改変（例えば、遺伝的改変、融合など）を加えて得られる細胞もまた、非胚性細胞の範囲内にある。
【００５０】
本明細書において「分化（した）細胞」とは、機能および形態が特殊化した細胞（例えば、筋細胞、神経細胞など）をいい、幹細胞とは異なり、多能性はないか、またはほとんどない。分化した細胞としては、例えば、表皮細胞、膵実質細胞、膵管細胞、肝細胞、血液細胞、心筋細胞、骨格筋細胞、骨芽細胞、骨格筋芽細胞、神経細胞、血管内皮細胞、色素細胞、平滑筋細胞、脂肪細胞、骨細胞、軟骨細胞などが挙げられる。
【００５１】
本明細書において「組織」（ｔｉｓｓｕｅ）とは、細胞生物において、同一の機能・形態をもつ細胞集団をいう。多細胞生物では、通常それを構成する細胞が分化し、機能が専能化し、分業化がおこる。従って細胞の単なる集合体であり得ず，ある機能と構造を備えた有機的細胞集団，社会的細胞集団としての組織が構成されることになる。組織としては、外皮組織、結合組織、筋組織、神経組織などが挙げられるがそれらに限定されない。本発明の組織は、生物のどの臓器または器官由来の組織でもよい。本発明の好ましい実施形態では、本発明が対象とする組織としては、骨、軟骨、腱、靭帯、半月、椎間板、骨膜、血管、血管様組織、心臓、心臓弁、心膜、硬膜などの組織が挙げられるがそれらに限定されない。
【００５２】
本明細書において「人工組織」とは、天然の状態とは異なる組織をいう。本明細書において、代表的には、人工組織は、細胞培養によって調製される。生物の中に存在する形態の組織をそのまま取り出してきたものは本明細書では人工組織とはいわない。従って、人工組織は、生体に由来する物質および生体に由来しない物質を含み得る。本発明において提供される人工組織は、通常細胞および／または生体物質で構成されるが、それ以外の物質を含んでいてもよい。より好ましくは、本発明において提供される人工組織は、実質的に細胞および／または生体物質のみで構成される。このような生体物質は、好ましくはその組織を構成する細胞に由来する物質（例えば、細胞外マトリクスなど）であることが好ましい。
【００５３】
本明細書において「移植可能な人工組織」とは、人工組織のうちで、実際の臨床において移植することができ、移植後も少なくとも一定期間移植された部位において組織としての役割を果たすことができる人工組織をいう。移植可能な人工組織は通常、十分な生体適合性、十分な生体定着性などを有する。
【００５４】
移植可能な人工組織において十分な強度は、移植を目的とする部分に依存して変動するが、当業者は適宜、その強度を設定することができる。この強度は、自己支持性に十分な強度があり、移植される環境に応じて設定することができる。そのような強度は、後述の応力、歪み特性を測定するか、またはクリープ特性インデンテーション試験を行うことによって測定され得る。強度はまた、最大荷重を観察することによって評価され得る。
【００５５】
本発明において移植可能な人工組織において十分な大きさは、移植を目的とする部分に依存して変動するが、当業者は適宜、その大きさを設定することができる。この大きさは、移植される環境に応じて設定することができる。
【００５６】
しかし、移植される場合は少なくとも一定の大きさを有することが好ましく、そのような大きさは、通常、面積について少なくとも１ｃｍ２であり、好ましくは少なくとも２ｃｍ２であり、より好ましくは少なくとも３ｃｍ２である。さらに好ましくは少なくとも４ｃｍ２であり、少なくとも５ｃｍ２であり、少なくとも６ｃｍ２であり、少なくとも７ｃｍ２であり、少なくとも８ｃｍ２であり、少なくとも９ｃｍ２であり、少なくとも１０ｃｍ２であり、少なくとも１５ｃｍ２であり、あるいは少なくとも２０ｃｍ２であり得るが、それらに限定されず、面積は、用途に応じて１ｃｍ２以下または２０ｃｍ２以上であり得る。本発明の本質は、どのような大きさ（面積、容積）のものでも作製することができる点にあり、サイズに限定されないことが理解される。
【００５７】
移植可能な人工組織において十分な生体適合性は、移植を目的とする部分に依存して変動するが、当業者は適宜、その生体適合性の程度を設定することができる。通常、所望される生体適合性としては、例えば、炎症などを起こさず、免疫反応を起こさずに、周囲組織と生物学的結合を行うことなどが挙げられるが、それらに限定されない。場合によって、例えば、角膜などでは、免疫反応を起こしにくいことから、他の臓器において免疫反応を起こす可能性がある場合でも、本発明の目的では生体適合性を有するとすることができる。生体適合性のパラメータとしては、例えば、細胞外マトリクスの存否、免疫反応の存否、炎症の程度などが挙げられるがそれらに限定されない。そのような生体適合性は、移植後における移植部位での適合性を見ること（例えば、移植された人工組織が破壊されていないことを確認する）によって判定することができる（ヒト移植臓器拒絶反応の病理組織診断基準  鑑別診断と生検標本の取り扱い（図譜）腎臓移植、肝臓移植および心臓移植  日本移植学会  日本病理学会編、金原出版株式会社（１９９８）を参照）。この文献によれば、Ｇｒａｄｅ  ０、１Ａ、１Ｂ、２、３Ａ、３Ｂ、４に分けられ、Ｇｒａｄｅ  ０（ｎｏ  ａｃｕｔｅ  ｒｅｊｅｃｔｉｏｎ）は、生検標本に急性拒絶反応、心筋細胞障害などを示す所見がない状態である。Ｇｒａｄｅ  １Ａ（ｆｏｃａｌ，  ｍｉｌｄ  ａｃｕｔｅ  ｒｅｊｅｃｔｉｏｎ）は、局所的、血管周囲または間質に大型リンパ球が浸潤しているが、心筋細胞傷害は無い状態である。この所見は、１つまたは複数の生検標本で認められる。Ｇｒａｄｅ  １Ｂ（ｄｉｆｆｕｓｅ，  ｍｉｌｄ  ａｃｕｔｅ  ｒｅｊｅｃｔｉｏｎ）は、血管周囲、間質またはその両方に大型リンパ球がよりびまん性に浸潤しているが、心筋細胞傷害は無い状態である。Ｇｒａｄｅ  ２（ｆｏｃａｌ，  ｍｏｄｅｒａｔｅ  ａｃｕｔｅ  ｒｅｊｅｃｔｉｏｎ）は、明瞭に周囲と境界された炎症細胞浸潤巣がただ一箇所で見出されるような状態である。炎症細胞は、大型の活性化されたリンパ球からなり、好酸球をまじえることもある。心筋構築の改変を伴った心筋細胞傷害が病変内に認められる。Ｇｒａｄｅ  ３Ａ（ｍｕｌｔｉｆｏｃａｌ，  ｍｏｄｅｒａｔｅ  ａｃｕｔｅ  ｒｅｊｅｃｔｉｏｎ）は、大型の活性化したリンパ球からなる炎症細胞浸潤巣が多発性に形成され、好酸球をまじえることもある状態である。これらの多発性の炎症性の炎症細胞浸潤巣の２箇所以上が心筋細胞傷害を伴っている。ときに、心内膜への粗な炎症細胞浸潤を伴っている。この浸潤巣は生検標本のひとつまたは複数の標本で認められる。Ｇｒａｄｅ  ３Ｂ（ｍｕｌｔｉｆｏｃａｌ，ｂｏｒｄｅｒｌｉｎｅ  ｓｅｖｅｒｅ  ａｃｕｔｅ  ｒｅｊｅｃｔｉｏｎ）は、３Ａで見られた炎症細胞浸潤巣がより融合性またはびまん性となり、より多くの生検標本で認められる状態である。大型リンパ球および好酸球、ときに好中球を交える炎症細胞浸潤とともに、心筋細胞傷害がある。出血はない。Ｇｒａｄｅ  ４（ｓｅｖｅｒｅ  ａｃｕｔｅ  ｒｅｊｅｃｔｉｏｎ）は、活性化したリンパ球、好酸球、好中球を含む多彩な炎症細胞浸潤がびまん性に認められる。心筋細胞傷害と心筋細胞壊死とは常に存在する。浮腫、出血、血管炎も通常認められる。「Ｑｕｉｌｔｙ」効果とは異なる心内膜への炎症細胞浸潤が通常認められる。かなりの期間、免疫抑制剤で強力に治療されている場合には、細胞浸潤よりも浮腫と出血とが顕著となり得る。
【００５８】
移植可能な人工組織において十分な生体定着性は、移植を目的とする部分に依存して変動するが、当業者は適宜、その生体定着性の程度を設定することができる。生体適合性のパラメータとしては、例えば、移植された人工組織と移植された部位との生物学的結合性などが挙げられるがそれらに限定されない。そのような生体定着性は、移植後における移植部位での生物学的結合の存在によって判定することができる。本明細書において好ましい生体定着性とは、移植された人工組織が移植された部位と同じ機能を発揮するように配置されていることが挙げられる。
【００５９】
本明細書において「自己支持性」とは、組織（例えば、人工組織）の少なくとも１点が空間上に固定されるときに、その人工組織が実質的に破壊されない特性をいう。本明細書において、自己支持性は、０．５〜３．０ｍｍの太さの先端を有するピンセットで組織（例えば、人工組織）をつまみあげた（好ましくは、１〜２ｍｍの太さの先端を有するピンセット、１ｍｍの太さの先端を有するピンセットで組織をつまむ；ここで、ピンセットは、先曲がりであることが好ましい）ときに、実質的に破壊されないことによって観察される。そのようなピンセットは、市販されており、例えば、夏目製作所などから入手可能である。ここで採用される、つまみ上げる力は、通常、医療従事者が組織をハンドリングする際に掛ける力に匹敵する。従って、自己支持性は、手でつまみあげたときに破壊されないという特長によっても表現することが可能である。そのようなピンセットとしては、例えば、先曲がり先細無鈎ピンセット（例えば、夏目製作所から販売される番号Ａ−１１（先端は１．０ｍｍの太さ）、Ａ−１２−２（先端は０．５ｍｍの太さ）などを挙げることができるがそれらに限定されない。先曲がりのほうが人工組織を摘み上げやすいが、先曲がりであることに限定されない。
【００６０】
本明細書において「臓器」と「器官」（ｏｒｇａｎ）とは、互換的に用いられ、生物個体のある機能が個体内の特定の部分に局在して営まれ，かつその部分が形態的に独立性をもっている構造体をいう。一般に多細胞生物（例えば、動物、植物）では器官は特定の空間的配置をもついくつかの組織からなり、組織は多数の細胞からなる。そのような臓器または器官としては、皮膚、血管、角膜、腎臓、心臓、肝臓、臍帯、腸、神経、肺、胎盤、膵臓、脳、関節、骨、軟骨、四肢末梢、網膜などが挙げられるがそれらに限定されない。このような臓器または器官はまた、表皮系、膵実質系、膵管系、肝系、血液系、心筋系、骨格筋系、骨芽系、骨格筋芽系、神経系、血管内皮系、色素系、平滑筋系、脂肪系、骨系、軟骨系などの器官または臓器が挙げられるがそれらに限定されない。
【００６１】
１つの実施形態では、本発明が対象とする器官は、椎間板、軟骨、関節、骨、半月、滑膜、靭帯、腱などが挙げられるがそれらに限定されない。
【００６２】
本明細書において「置換する」とは、病変部（生体の部位）を置換する、病変部にもともとある細胞などが、本発明において提供される人工組織または複合体によって供給される細胞などによって置き換えられることをいう。置換が適切な疾患としては、例えば、断裂している箇所などが挙げられるがそれらに限定されない。置換するとは、別の表現では、「充填」するともいえる。このような置換を評価することによって、本発明の複合体のインビボでの効果を評価することができる。
【００６３】
本明細書において「生物学的に結合するに十分な時間」は、ある部分と人工組織または複合体との組み合わせによって変動するが、当業者であれば、その組み合わせに応じて適宜容易に決定することができる。このような時間としては、例えば、術後１週間、２週間、１カ月、２カ月、３カ月、６カ月、１年などが挙げられるがそれらに限定されない。本発明では、人工組織は、好ましくは実質的に細胞およびそれに由来する物質のみを含むことから、特に術後に摘出する物質が必要であるというわけではないので、この十分な時間の下限は特に重要ではない。従って、この場合、長ければ長いほど好ましいといえるが、実質的には極端に長い場合は、実質的に補強が完了したといえる。
【００６４】
本明細書において「免疫反応」とは、移植片と宿主との間の免疫寛容の失調による反応をいい、例えば、超急性拒絶反応（移植後数分以内）（β−Ｇａｌなどの抗体による免疫反応）、急性拒絶反応（移植後約７〜２１日の細胞性免疫による反応）、慢性拒絶反応（３カ月以降の細胞性免疫による拒絶反応）などが挙げられる。
【００６５】
本明細書において免疫反応を惹起するかどうかは、ＨＥ染色などを含む染色、免疫染色、組織切片の検鏡によって、移植組織中への細胞（免疫系）浸潤について、その種、数などの病理組織学的検討を行うことにより判定することができる。
【００６６】
本明細書において「石灰化」とは、生物体で石灰質が沈着することをいう。
【００６７】
本明細書において生体内で「石灰化する」かどうかは、アリザリンレッド染色、カルシウム濃度を測定することによって判定することができ、移植組織を取り出し、酸処理などにより組織切片を溶解させ、その溶液を原子吸光度などの微量元素定量装置により測定し、定量することができる。
【００６８】
本明細書において「生体内」または「インビボ」（ｉｎ  ｖｉｖｏ）とは、生体の内部をいう。特定の文脈において、「生体内」は、目的とする組織または器官が配置されるべき位置をいう。
【００６９】
本明細書において「インビトロ」（ｉｎ  ｖｉｔｒｏ）とは、種々の研究目的のために生体の一部分が「生体外に」（例えば、試験管内に）摘出または遊離されている状態をいう。インビボと対照をなす用語である。
【００７０】
本明細書において「エキソビボ」とは、遺伝子導入を行うための標的細胞を被験体より抽出し、インビトロで治療遺伝子を導入した後に、再び同一被験体に戻す場合、一連の動作をエキソビボという。
【００７１】
本明細書において「細胞に由来する物質」とは、細胞を起源とする物質すべてをいい、細胞を構成する物質の他、細胞が分泌する物質。代謝した物質などが含まれるがそれらに限定されない。代表的な細胞に由来する物質としては、細胞外マトリクス、ホルモン、サイトカインなどが挙げられるがそれらに限定されない。細胞に由来する物質は、通常、その細胞およびその細胞の宿主に対して有害な影響をもたらさないことから、そのような物質は人工組織、三次元構造体などに含まれていても通常悪影響を有しない。
【００７２】
本明細書において「細胞外マトリクス」（ＥＣＭ）とは「細胞外基質」とも呼ばれ、上皮細胞、非上皮細胞を問わず体細胞（ｓｏｍａｔｉｃ  ｃｅｌｌ）の間に存在する物質をいう。細胞外マトリクスは、通常細胞が産生し、従って生体物質の一つである。細胞外マトリクスは、組織の支持だけでなく、すべての体細胞の生存に必要な内部環境の構成に関与する。細胞外マトリクスは一般に、結合組織細胞から産生されるが、一部は上皮細胞や内皮細胞のような基底膜を保有する細胞自身からも分泌される。線維成分とその間を満たす基質とに大別され、線維成分としては膠原線維および弾性線維がある。基質の基本構成成分はグリコサミノグリカン（酸性ムコ多糖）であり、その大部分は非コラーゲン性タンパクと結合してプロテオグリカン（酸性ムコ多糖−タンパク複合体）の高分子を形成する。このほかに、基底膜のラミニン、弾性線維周囲のミクロフィブリル（ｍｉｃｒｏｆｉｂｒｉｌ）、線維、細胞表面のフィブロネクチンなどの糖タンパクも基質に含まれる。特殊に分化した組織でも基本構造は同一で、例えば硝子軟骨では軟骨芽細胞によって特徴的に大量のプロテオグリカンを含む軟骨基質が産生され、骨では骨芽細胞によって石灰沈着が起こる骨基質が産生される。ここで、代表的な細胞外マトリクスとしては、例えば、コラーゲンＩ、コラーゲンＩＩＩ、コラーゲンＶ、エラスチン、ビトロネクチン、フィブロネクチン、ラミニン、トロンボスポンディン、プロテオグリカン類（例えば、デコリン、バイグリカン、フィブロモジュリン、ルミカン、ヒアルロン酸、アグリカンなど）などを挙げることができるがそれらに限定されず、細胞接着を担う細胞外マトリクスであれば、種々のものが本発明において利用され得る。コラーゲンとして、１０〜９０％のコラーゲンＩを含んでいてもよい。あるいは、コラーゲンとして、１０〜９０％のコラーゲンＩＩを含んでいてもよい。さらに、コラーゲンとして、１０〜９０％のコラーゲンＩＩＩを含んでいてもよい。これらのコラーゲン量は、本発明の目的により適宜選択することができることが理解される。代表的な例としては、例えばコラーゲンＩ型が６０％、コラーゲンＩＩ型が５％、コラーゲンＩＩＩ型が３０％、コラーゲンＶ型が５％を挙げることができる。
【００７３】
好ましい実施形態では、本発明の複合体は、細胞に由来するプロテオグリカンを含む。プロテオグリカンは、ヒアルロン酸を少なくとも０．１〜９０％含有してもよい。あるいは、プロテオグリカンは、フィブロネクチンを少なくとも０．１〜９０％含有してもよい。
【００７４】
本発明の１つの実施形態では、本発明において提供される人工組織、三次元構造体、複合体などは、細胞外マトリクス（たとえば、エラスチン、コラーゲン（例えば、Ｉ型、ＩＩＩ型、ＩＶ型など）、ラミニンなど）は、移植が企図される器官の部位における細胞外マトリクスの組成に類似することが有利であり得る。本発明において、細胞外マトリクスは、細胞接着分子を包含する。本明細書において「細胞接着分子」（Ｃｅｌｌ  ａｄｈｅｓｉｏｎ  ｍｏｌｅｃｕｌｅ）または「接着分子」とは、互換可能に使用され、２つ以上の細胞の互いの接近（細胞接着）または基質と細胞との間の接着を媒介する分子をいう。一般には、細胞と細胞の接着（細胞間接着）に関する分子（ｃｅｌｌ−ｃｅｌｌ  ａｄｈｅｓｉｏｎ  ｍｏｌｅｃｕｌｅ）と，細胞と細胞外マトリックスとの接着（細胞−基質接着）に関与する分子（ｃｅｌｌ−ｓｕｂｓｔｒａｔｅ  ａｄｈｅｓｉｏｎ  ｍｏｌｅｃｕｌｅ）に分けられる。本発明において提供される人工組織、三次元構造体は、通常、このような細胞接着分子を含む。従って、本明細書において細胞接着分子は、細胞−基質接着の際の基質側のタンパク質を包含するが、本明細書では、細胞側のタンパク質（例えば、インテグリンなど）も包含され、タンパク質以外の分子であっても、細胞接着を媒介する限り、本明細書における細胞接着分子または細胞接着分子の概念に入る。
【００７５】
本発明において特に注目されるのは、本発明において提供される人工組織または複合体が、細胞およびその細胞自体が精製する（自己由来の）細胞外マトリクスを含むことである。従って、コラーゲンＩ、コラーゲンＩＩＩ、コラーゲンＶ、エラスチン、ビトロネクチン、フィブロネクチン、ラミニン、トロンボスポンディン、プロテオグリカン類（例えば、デコリン、バイグリカン、フィブロモジュリン、ルミカン、ヒアルロン酸、アグリカンなど）などが配合された複雑な組成を有することが特徴である。このような細胞由来成分が配合された人工組織は従来提供されていない。このような配合を有する人工組織は、人工材料を使用した場合は実質的に不可能に近く、このような配合をしていること（特に、コラーゲンＩ、コラーゲンＩＩＩなど）の配合自体がネイティブな配合であるといえる。
【００７６】
より好ましくは、細胞外マトリクスは、コラーゲン（Ｉ型、ＩＩＩ型など）、ビトロネクチンおよびフィブロネクチンをすべて含む。特に、ビトロネクチンおよび／またはフィブロネクチンが配合された人工組織はこれまで提供されておらず、従って、その点でもすでに、本発明において提供される人工組織または複合体は新規なものであることが理解される。
【００７７】
本明細書において、細胞外マトリクス、ハイドロキシアパタイト等が「配置される」とは、本発明において提供される人工組織に関して言及するとき、その人工組織中に細胞外マトリクスが存在することをいう。そのような配置は、目的とする細胞外マトリクスを免疫染色などによって染色して、可視化することによって観察することができることが理解される。
【００７８】
本明細書において細胞外マトリクス、ハイドロキシアパタイト等が細胞の表面に「付着する」とは、他の物について離れないことをいい、異種の物質が接触したとき相互の分子間力によって互いにくっつくことをいう。
【００７９】
本明細書において細胞外マトリクス、ハイドロキシアパタイト等が「分散して」配置される、とは、局在化しないで存在することをいう。そのような細胞外マトリクスの分散は、任意の２つの１ｃｍ２のセクションにおける分布密度を比較したときに、通常約１：１０〜１０：１、代表的には約１：３〜３：１の範囲内の比率に収まる分散をいい、好ましくは、任意の２つの１ｃｍ２のセクションにおける分布密度を比較したときに、約１：２〜２：１の範囲内の比率に収まる分散をいう。より好ましくは、どのセクションにおいてもほぼ同等の比率に収まることが有利であるがそれに限定されない。局所化されず、分散して細胞外マトリクスが表面に存在することによって、本発明において提供される人工組織は、周囲に対して満遍なく生物学的結合能を有し、従って、移植後の経過に優れるという効果を奏する。
【００８０】
細胞間接着に関しては、カドヘリン、免疫グロブリンスーパーファミリーに属する多くの分子（ＮＣＡＭ、Ｌ１、ＩＣＡＭ、ファシクリンＩＩ、ＩＩＩなど）、セレクチンなどが知られており、それぞれ独特な分子反応により細胞膜を結合させることも知られている。従って、１つの実施形態では、本発明において提供される人工組織、三次元構造体などは、このようなカドヘリン、免疫グロブリンスーパーファミリーに属する分子などの組成もまた、移植が意図される部位と同程度の組成であることが好ましい。
【００８１】
このように多種多様な分子が細胞接着に関与しており、それぞれの機能は異なっていることから、当業者は、目的に応じて、適宜本発明において提供される人工組織、三次元構造体に含まれるべき分子を選択することができる。細胞接着に関する技術は、上述のもののほかの知見も周知であり、例えば、細胞外マトリックス−臨床への応用―メディカルレビュー社に記載されている。
【００８２】
ある分子が細胞接着分子であるかどうかは、生化学的定量（ＳＤＳ−ＰＡＧ法、標識コラーゲン法）、免疫学的定量（酵素抗体法、蛍光抗体法、免疫組織学的検討）、ＰＣＲ法、ハイブリダイゼイション法などのようなアッセイにおいて陽性となることを決定することにより判定することができる。このような細胞接着分子としては、コラーゲン、インテグリン、フィブロネクチン、ラミニン、ビトロネクチン、フィブリノゲン、免疫グロブリンスーパーファミリー（例えば、ＣＤ２、ＣＤ４、ＣＤ８、ＩＣＭ１、ＩＣＡＭ２、ＶＣＡＭ１）、セレクチン、カドヘリンなどが挙げられるがそれに限定されない。このような細胞接着分子の多くは、細胞への接着と同時に細胞間相互作用による細胞活性化の補助シグナルを細胞内に伝達する。従って、本発明の組織片において用いられる接着因子としては、そのような細胞活性化の補助シグナルを細胞内に伝達するものが好ましい。細胞活性化により、組織片としてある組織または臓器における損傷部位に適用された後に、そこに集合した細胞および／または組織もしくは臓器にある細胞の増殖を促すことができるからである。そのような補助シグナルを細胞内に伝達することができるかどうかは、生化学的定量（ＳＤＳ−ＰＡＧ法、標識コラーゲン法）、免疫学的定量（酵素抗体法、蛍光抗体法、免疫組織学的検討）、ＰＣＲ法、ハイブリダイゼイション法というアッセイにおいて陽性となることを決定することにより判定することができる。
【００８３】
細胞接着分子としては、例えば、組織固着性の細胞系に広く知られる細胞接着分子としてカドヘリンがあり、カドヘリンは、本発明の好ましい実施形態において使用することができる。一方，非固着性の血液・免疫系の細胞では，細胞接着分子としては、例えば、免疫グロブリンスーパーファミリー分子（ＬＦＡ−３、ＣＤ２、ＣＤ４、ＣＤ８、ＩＣＡＭ−１、ＩＣＡＭ２、ＶＣＡＭ１など）；インテグリンファミリー分子（ＬＦＡ−１、Ｍａｃ−１、ｇｐＩＩｂＩＩＩａ、ｐ１５０、９５、ＶＬＡ１、ＶＬＡ２、ＶＬＡ３、ＶＬＡ４、ＶＬＡ５、ＶＬＡ６など）；セレクチンファミリー分子（Ｌ−セレクチン，Ｅ−セレクチン，Ｐ−セレクチンなど）などが挙げられるがそれらに限定されない。従って、そのような分子は、血液・免疫系の組織または臓器を処置するための特に有用であり得る。
【００８４】
細胞接着分子は、非固着性の細胞が特定の組織で働くためにはその組織への接着が必要となる。その場合，恒常的に発現するセレクチン分子などによる一次接着、それに続いて活性化されるインテグリン分子などの二次接着によって細胞間の接着は段階的に強くなると考えられている。従って、本発明において用いられる細胞接着分子としては、そのような一次接着を媒介する因子、二次接着を媒介する因子、またはその両方が一緒に使用され得る。
【００８５】
本明細書において「アクチン調節物質」とは、細胞内のアクチンに対して直接的または間接的に相互作用して、アクチンの形態または状態を変化させる機能を有する物質をいう。アクチンへの作用に応じて、アクチン脱重合促進因子とアクチン重合促進因子とに分類されることが理解される。そのような物質としては、例えば、アクチン脱重合促進因子として、Ｓｌｉｎｇｓｈｏｔ、コフィリン、ＣＡＰ（シクラーゼ関連タンパク質）、ＡＩＰ１（ａｃｔｉｎ−ｉｎｔｅｒａｃｔｉｎｇ−ｐｒｏｔｅｉｎ  １）、ＡＤＦ（ａｃｔｉｎ  ｄｅｐｏｌｙｍｅｒｉｚｉｎｇ  ｆａｃｔｏｒ）、デストリン、デパクチン、アクトフォリン、サイトカラシンおよびＮＧＦ（ｎｅｒｖｅ  ｇｒｏｗｔｈ  ｆａｃｔｏｒ）を挙げることができ、例えば、アクチン重合促進因子として、ＲｈｏＡ、ｍＤｉ、プロフィリン、Ｒａｃ１、ＩＲＳｐ５３、ＷＡＶＥ２、ＲＯＣＫ、ＬＩＭキナーゼ、コフィリン、ｃｄｃ４２、Ｎ−ＷＡＳＰ、Ａｒｐ２／３、Ｄｒｆ３、Ｍｅｎａ，ＬＰＡ（ｌｙｓｏｐｈｏｓｐｈａｔｉｄｉｃ  ａｃｉｄ）、インスリン、ＰＤＧＦａ、ＰＤＧＦｂ、ケモカインおよびＴＧＦβなどを挙げることができるがそれらに限定されないことが理解される。そのようなアクチン調節物質には、以下のようなアッセイによって同定される物質が含まれる。本明細書において、アクチンへの相互作用の評価は、アクチン染色試薬（Ｍｏｌｅｃｕｌａｒ  Ｐｒｏｂｅｓ，Ｔｅｘａｓ  Ｒｅｄ−Ｘ  ｐｈａｌｌｏｉｄｉｎ）などによりアクチンを可視化した後、顕鏡し、アクチン凝集や細胞伸展を観察することによってアクチンの凝集、再構成および／または細胞伸展速度の向上という現象が確認されることによって判定される。これらの判定は、定量的または定性的に行われ得る。このようなアクチン調節物質は、人工組織の分離を促進または重層化の促進をさせるために本発明において利用される。本発明において用いられるアクチン調節物質が生体に由来する場合、その由来は何でもよく、例えば、ヒト、マウス、ウシなどの哺乳動物種があげられる。
【００８６】
上記のようなアクチン重合に関与する因子は、例えば、Ｒｈｏ関連でアクチンの重合制御であり、以下が挙げられる（例えば、「細胞骨格・運動がわかる」（編集／三木裕明）羊土社を参照のこと）。
【００８７】
アクチン重合（Ｔａｋｅｎａｋａ  Ｔ  ｅｔ  ａｌ．  Ｊ．Ｃｅｌｌ  Ｓｃｉ．，  １１４：  １８０１−１８０９，  ２００１を参照のこと）
ＲｈｏＡ→ｍＤｉ→プロフィリン⇒アクチン重合
ＲｈｏＡ→ＲＯＣＫ／Ｒｈｏ→ＬＩＭキナーゼ→コフィリンをリン酸化（抑制）⇒アクチン重合
Ｒａｃ１→ＩＲＳｐ５３→ＷＡＶＥ２→プロフィリン、Ａｒｐ２／３⇒アクチン重合
ｃｄｃ４２→Ｎ−ＷＡＳＰ→プロフィリン、Ａｒｐ２／３⇒アクチン重合
ｃｄｃ４２→Ｄｒｆ３→ＩＲＳｐ５３→Ｍｅｎａ⇒アクチン重合
（以上において、→はリン酸化などのシグナル伝達経路を示す。）本発明では、このような経路に関与する任意の因子を使用することができる。
【００８８】
アクチン脱重合
Ｓｌｉｎｇｓｈｏｔ→コフィリンの脱リン酸化（活性化）⇒アクチン脱重合
コフィリンのＬＩＭキナーゼ活性によるリン酸化とＳｌｉｎｇｓｈｏｔによる脱リン酸化のバランスでアクチンの脱重合を制御している。コフィリンを活性化させる他の因子としては、ＣＡＰ（ｃｙｃｌａｓｅ−ａｓｓｏｃｉａｔｅｄ  ｐｒｏｔｅｉｎ）およびＡＩＰＩ（ａｃｔｉｎ−ｉｎｔｅｒａｃｔｉｎｇ−ｐｒｏｔｅｉｎ  １）が同定されており、これらは、任意のものを使用することができることが理解される。
【００８９】
ＬＰＡ（リゾフォスファチジン酸）は、どのような鎖長のものでも使用することができる。
【００９０】
ケモカインとしては、任意のものを使用することができるが、好ましくは、インターロイキン８、ＭＩＰ−１、ＳＤＦ−１などを挙げることができる。
【００９１】
ＴＧＦβとしては、任意の物を使用することができるが、好ましくは、ＴＧＦ−β１およびＴＧＦ−β３を使用することができる。ＴＧＦβ１およびＴＧＦβ３は、細胞外マトリクス産生促進作用も有することから、本発明においては、留意して使用することができいる。
【００９２】
本明細書において「組織強度」とは、組織または器官の機能を示すパラメータをいい、その組織または器官の物理的強度である。組織強度は一般に、引っ張り強さ（例えば、破断強度、剛性率、ヤング率など）を測定することによって判定することができる。そのような一般的な引っ張り試験は周知である。一般的な引っ張り試験によって得られたデータの解析により、破断強度、剛性率、ヤング率などの種々のデータを得ることができ、そのような値もまた、本明細書において組織強度の指標として用いることができる。本明細書では、通常、臨床適用することができる程度の組織強度を有することが必要とされる。
【００９３】
ここで、本発明において提供される人工組織、三次元構造体などが有する引っ張り強さは、応力・歪み特性を測定することによって測定することができる。手短に述べると、試料に荷重を加え、例えば、１ｃｈは歪み、２ｃｈは荷重の各々のＡＤ変換器（例えば、ＥＬＫ−５０００）に入力して、応力および歪みの特性を測定することによって引っ張り強さを決定することができる。引っ張り強さはまた、クリープ特性を試験することによっても達成することができる。クリープ特性インデンテーション試験とは、一定の荷重を加えた状態で時間とともにどのように伸びていくかを調べる試験である。微小な素材、薄い素材などのインデンテーション試験は、先端の半径０．１〜１μｍ程度の、例えば、三角錐の圧子を用いて実験を行う。まず、試験片に対して圧子を押し込み、付加を与える。そして、試験片に数十ｎｍから数μｍ程度押し込んだところで、圧子を戻し除荷する。このような試験方法によって得られるものを荷重除荷曲線という。この曲線から得られた負荷荷重と押し込み深さの挙動とによって硬さ、ヤング率などを求めることができる。
【００９４】
本発明において提供される人工組織は、引っ張り強度は弱くてもいい。引っ張り強度は、細胞・細胞外マトリクス比率におけるマトリクス比率を上げる強くなり、細胞比率を上げると弱くなる。本発明は、必要に応じて強度も自由に調整できることが特徴の一つである。移植される組織に対して相対的に近似して強くも弱くもできることが特徴である。従って、そのような任意の場所に応じて目的と設定することができることが理解される。
【００９５】
本明細書において「分化」とは、細胞、組織または器官のような生物の部分の状態の発達過程であって、特徴のある組織または器官を形成する過程をいう。「分化」は、主に発生学（ｅｍｂｒｙｏｌｏｇｙ）、発生生物学（ｄｅｖｅｌｏｐｍｅｎｔａｌ  ｂｉｏｌｏｇｙ）などにおいて使用されている。１個の細胞からなる受精卵が分裂を行い成体になるまで、生物は種々の組織および器官を形成する。分裂前または分裂が十分でない場合のような生物の発生初期は、一つ一つの細胞や細胞群が何ら形態的または機能的特徴を示さず区別することが困難である。このような状態を「未分化」であるという。「分化」は、器官のレベルでも生じ、器官を構成する細胞がいろいろの違った特徴的な細胞または細胞群へと発達する。これも器官形成における器官内での分化という。従って、本発明において提供される人工組織、三次元構造体は、分化した状態の細胞を含む組織を用いてもよい。
【００９６】
本発明において提供される人工組織を作製する場合、分化が必要な場合は、組織化を始める前に分化させてもよく、組織化の後に分化させても良い。
【００９７】
本明細書において「分化因子」とは、「分化促進因子」ともいい、分化細胞への分化を促進することが知られている因子（例えば、化学物質、温度など）であれば、どのような因子であってもよい。そのような因子としては、例えば、種々の環境要因を挙げることができ、そのような因子としては、例えば、温度、湿度、ｐＨ、塩濃度、栄養、金属、ガス、有機溶媒、圧力、化学物質（例えば、ステロイド、抗生物質など）などまたはそれらの任意の組み合わせが挙げられるがそれらに限定されない。代表的な分化因子としては、細胞生理活性物質が挙げられるがそれらに限定されない。そのような因子のうち代表的なものとしては、ＤＮＡ脱メチル化剤（５−アザシチジンなど）、ヒストン脱アセチル化剤（トリコスタチンなど）、核内レセプターリガンド（例えば、レチノイン酸（ＡＴＲＡ）、ビタミンＤ３、Ｔ３など）、細胞増殖因子（アクチビン、ＩＧＦ−１、ＦＧＦ，ＰＤＧＦａ、ＰＤＧＦｂ、ＴＧＦ−β、ＢＭＰ２／４など）、サイトカイン（ＬＩＦ、ＩＬ−２、ＩＬ−６など）、ヘキサメチレンビスアセトアミド、ジメチルアセトアミド、ジブチルｃＡＭＰ、ジメチオルスルホキシド、ヨードデオキシウリジン、ヒドロキシル尿素、シトシンアラビノシド、マイトマイシンＣ、酪酸ナトリウム、アフィディコリン、フルオロデオキシウリジン、ポリブレン、セレンなどが挙げられるがそれらに限定されない。
【００９８】
具体的な分化因子としては、以下が挙げられる。これらの分化因子は、単独でまたは組み合わせて用いられ得る。
【００９９】
Ａ）角膜：上皮増殖因子（ＥＧＦ）；
Ｂ）皮膚（ケラチノサイト）：ＴＧＦ−β、ＦＧＦ−７（ＫＧＦ：ｋｅｒａｔｉｎｏｃｙｔｅ  ｇｒｏｗｔｈ  ｆａｃｔｏｒ）、ＥＧＦ
Ｃ）血管内皮：ＶＥＧＦ、ＦＧＦ、アンギオポエチン（ａｎｇｉｏｐｏｉｅｔｉｎ）
Ｄ）腎臓：ＬＩＦ、ＢＭＰ、ＦＧＦ、ＧＤＮＦ
Ｅ）心臓：ＨＧＦ、ＬＩＦ、ＶＥＧＦ
Ｆ）肝臓：ＨＧＦ、ＴＧＦ−β、ＩＬ−６、ＥＧＦ、ＶＥＧＦ
Ｇ）臍帯内皮：ＶＥＧＦ
Ｈ）腸管上皮：ＥＧＦ、ＩＧＦ−Ｉ、ＨＧＦ、ＫＧＦ、ＴＧＦ−β、ＩＬ−１１
Ｉ）神経：神経成長因子（ＮＧＦ）、ＢＤＮＦ（脳由来神経栄養因子）、ＧＤＮＦ（グリア細胞由来神経栄養因子）、ニューロトロフィン（ｎｅｕｒｏｔｒｏｐｈｉｎ）、ＩＬ−６、ＴＧＦ−β、ＴＮＦ
Ｊ）グリア細胞：ＴＧＦ−β、ＴＮＦ−α、ＥＧＦ、ＬＩＦ、ＩＬ−６
Ｋ）末梢神経細胞：ｂＦＧＦ、ＬＩＦ、ＴＧＦ−β、ＩＬ−６、ＶＥＧＦ、
Ｌ）肺（肺胞上皮）：ＴＧＦ−β、ＩＬ−１３、ＩＬ−１β、ＫＧＦ、ＨＧＦ
Ｍ）胎盤：成長ホルモン（ＧＨ）、ＩＧＦ、プロラクチン、ＬＩＦ、ＩＬ−１、アクチビンＡ、ＥＧＦ
Ｎ）膵臓上皮：成長ホルモン、プロラクチン
Ｏ）膵臓ランゲルハンス氏島細胞：ＴＧＦ−β、ＩＧＦ、ＰＤＧＦａ、ＰＤＧＦｂ、ＥＧＦ、ＴＧＦ−β、ＴＲＨ（ｔｈｙｒｏｒｏｐｉｎ）
Ｐ）滑膜細胞：ＦＧＦ、ＴＧＦ−β（特にＴＧＦ−β１、ＴＧＦ−β３）
Ｑ）骨芽細胞：ＢＭＰ（特に、ＢＭＰ−２、ＢＭＰ−４、ＢＭＰ−７）、ＦＧＦ
Ｒ）軟骨芽細胞：ＦＧＦ、ＴＧＦ−β（特にＴＧＦ−β１、ＴＧＦ−β３）、ＢＭＰ（特に、ＢＭＰ−２、ＢＭＰ−４、ＢＭＰ−７）、ＴＮＦ−α、ＩＧＦ
Ｓ）網膜細胞：ＦＧＦ、ＣＮＴＦ（絨毛神経栄養因子＝ｃｉｌｌｉａｒｙ  ｎｅｕｒｏｔｒｏｐｈｉｃ  ｆａｃｔｏｒ）
Ｔ）脂肪細胞：インスリン、ＩＧＦ、ＬＩＦ
Ｕ）筋肉細胞：ＬＩＦ、ＴＮＦ−α、ＦＧＦ。
【０１００】
本明細書において「骨分化」とは、任意の細胞を骨に分化させることをいう。そのような骨分化は、デキサメタゾン、βグリセロホスフェートおよびアスコルビン酸２リン酸の存在下で促進されることが知られる。骨形成因子（ＢＭＰ、（特に、ＢＭＰ−２、ＢＭＰ−４、ＢＭＰ−７））、を付加してもよい。骨形成が促進されるからである。
【０１０１】
本明細書において「軟骨分化」とは、任意の細胞を軟骨に分化させることをいう。そのような軟骨分化は、ピルビン酸、デキサメタゾン、アスコルビン酸２リン酸、インスリン、トランスフェリンおよび亜セレン酸の存在下で促進されることが知られる。骨形成因子（ＢＭＰ（特に、ＢＭＰ−２、ＢＭＰ−４、ＢＭＰ−７））、ＴＧＦ−β（特にＴＧＦ−β１、ＴＧＦ−β３）、ＦＧＦ、ＴＮＦ−αなどを付加してもよい。軟骨形成が促進されるからである。
【０１０２】
本明細書において「脂肪分化」とは、任意の細胞を脂肪に分化させることをいう。そのような脂肪分化は、インスリン、ＩＧＦ、ＬＩＦおよびアスコルビン酸２リン酸の存在下で促進されることが知られる。
【０１０３】
本明細書において「移植片」、「グラフト」および「組織グラフト」は、交換可能に用いられ、身体の特定部位に挿入されるべき同種または異種の組織または細胞群であって、身体への挿入後その一部となるものをいう。従って、本発明において提供される人工組織、三次元構造体は、移植片として用いることができる。移植片としては、例えば、臓器または臓器の一部、血管、血管様組織、皮片、心臓、心臓弁、心膜、硬膜、関節膜、骨片、軟骨片、角膜骨片、歯などが挙げられるがそれらに限定されない。従って、移植片には、ある部分の欠損部に差し込んで欠損を補うために用いられるものすべてが包含される。移植片としては、そのドナー（ｄｏｎｏｒ）の種類によって、自己（自家）移植片（ａｕｔｏｇｒａｆｔ）、同種移植片（同種異系移植片）（ａｌｌｏｇｒａｆｔ）、異種移植片が挙げられるがそれらに限定されない。
【０１０４】
本明細書において自己移植片（組織、細胞、臓器など）または自家移植片（組織、細胞、臓器など）とは、ある個体についていうとき、その個体に由来する移植片（組織、細胞、臓器など）をいう。本明細書において「自己移植片（組織、細胞、臓器など）」というときは、広義には遺伝的に同じ他個体（例えば一卵性双生児）からの移植片（組織、細胞、臓器など）をも含み得る。本明細書では、このような自己との表現は、被験体に由来すると交換可能に使用される。従って、本明細書では、ある被験体に由来しないとの表現は、自己ではない（すなわち、非自己）と同一の意味を有する。
【０１０５】
本明細書において「同種移植片（同種異系移植片）（組織、細胞、臓器など）」とは、同種であっても遺伝的には異なる他個体から移植される移植片（組織、細胞、臓器など）をいう。遺伝的に異なることから、同種異系移植片（組織、細胞、臓器など）は、移植された個体（レシピエント）において免疫反応を惹起し得る。そのような移植片（組織、細胞、臓器など）の例としては、親由来の移植片（組織、細胞、臓器など）などが挙げられるがそれらに限定されない。本発明において提供される人工組織は、同種異系移植片でも使用可能であり、良好な治療成績が立証されているという意味で注目されるべきである。
【０１０６】
本明細書において「異種移植片（組織、細胞、臓器など）」とは、異種個体から移植される移植片（組織、細胞、臓器など）をいう。従って、例えば、ヒトがレシピエントである場合、ブタからの移植片（組織、細胞、臓器など）は異種移植片（組織、細胞、臓器など）という。
【０１０７】
本明細書において「レシピエント」（受容者）とは、移植片（組織、細胞、臓器など）または移植体（組織、細胞、臓器など）を受け取る個体といい、「宿主」とも呼ばれる。これに対し、移植片（組織、細胞、臓器など）または移植体（組織、細胞、臓器など）を提供する個体は、「ドナー」（供与者）という。
【０１０８】
本発明において提供される人工組織形成技術を用いれば、どのような細胞に由来する人工組織でも使用することができる。なぜなら、本発明の方法により形成された人工組織（例えば、膜状組織、器官など）は、治療目的に損傷のない程度の組織損傷率を保持しつつ（すなわち、低く保ちながら）、目的の機能を発揮することができるからである。従って、従来そのままの組織または臓器自体を移植物として使用するしかなかった状況にあった。このような状況において、細胞から三次元的に結合した組織を形成することができたことによって、そのような三次元的な人工組織を用いることが可能になったことは、従来技術では達成することができなかった本発明の格別の効果の一つといえる。
【０１０９】
本明細書において「被験体（被検体とも）」とは、本発明の処置が適用される生物をいい、「患者」ともいわれる。患者または被験体は好ましくは、ヒトであり得る。
【０１１０】
本発明において提供される人工組織、三次元構造体、組織グラフトで必要に応じて使用される細胞は、同系由来（自己（自家）由来）でも、同種異系由来（他個体（他家）由来）でも、異種由来でもよい。拒絶反応が考えられることから、自己由来の細胞が好ましいが、拒絶反応が問題でない場合同種異系由来であってもよい。また、拒絶反応を起こすものも必要に応じて拒絶反応を解消する処置を行うことにより利用することができる。拒絶反応を回避する手順は当該分野において公知であり、例えば、新外科学体系、第１２巻、臓器移植（心臓移植・肺移植  技術的，倫理的整備から実施に向けて）（改訂第３版）、中山書店に記載されている。そのような方法としては、例えば、免疫抑制剤、ステロイド剤の使用などの方法が挙げられる。拒絶反応を予防する免疫抑制剤は、現在、「シクロスポリン」（サンディミュン／ネオーラル）、「タクロリムス」（プログラフ）、「アザチオプリン」（イムラン）、「ステロイドホルモン」（プレドニン、メチルプレドニン）、「Ｔ細胞抗体」（ＯＫＴ３、ＡＴＧなど）があり、予防的免疫抑制療法として世界の多くの施設で行われている方法は、「シクロスポリン、アザチオプリン、ステロイドホルモン」の３剤併用である。免疫抑制剤は、本発明の医薬と同時期に投与されることが望ましいが、必ずしも必要ではない。従って、免疫抑制効果が達成される限り免疫抑制剤は本発明の再生・治療方法の前または後にも投与され得る。
【０１１１】
本発明で用いられる細胞は、どの生物（例えば、脊椎動物、無脊椎動物）由来の細胞でもよい。好ましくは、脊椎動物由来の細胞が用いられ、より好ましくは、哺乳動物（例えば、霊長類、齧歯類など）由来の細胞が用いられる。さらに好ましくは、霊長類由来の細胞が用いられる。最も好ましい実施形態において、ヒト由来の細胞が用いられる。通常は、宿主と同じ種の細胞を用いることが好ましい。
【０１１２】
本発明が対象とする被験体と、人工組織との組合せとしては、例えば、関節損傷または変性、軟骨損傷または変性、骨壊死、半月損傷または変性、椎間板変性、靭帯損傷または変性、骨折、骨欠損を有する患者への関節、軟骨、骨の移植、損傷した角膜を有する患者に本発明の角膜を移植することなどが挙げられるがそられに限定されない。
【０１１３】
本発明が対象とする組織は、生物のどの臓器または器官でもよく、また、本発明が対象とする組織は、どのような種類の生物由来であり得る。本発明が対象とする生物としては、脊椎動物または無脊椎動物が挙げられる。好ましくは、本発明が対象とする生物は、哺乳動物（例えば、霊長類、齧歯類など）である。より好ましくは、本発明が対象とする生物は、霊長類である。最も好ましくは、本発明はヒトを対象とする。
【０１１４】
本明細書において「可撓性」の人工組織とは、外的環境からの物理的刺激（例えば、圧力）などに対して、抵抗性を有することをいう。可撓性を有する人工組織は、移植される部位が、自律的にまたは他からの影響で運動したり変形したりする場合に好ましい。
【０１１５】
本明細書において「伸縮性」を有する人工組織とは、外的環境からの伸縮性の刺激（例えば、拍動）に対して抵抗性を有する性質をいう。伸縮性を有する人工組織は、移植される部位が伸縮性の刺激を伴う場合好ましい。そのような伸縮性の刺激を伴う部位としては、例えば、筋肉、関節、軟骨、腱などが挙げられるがそれらに限定されない。
【０１１６】
本明細書中で使用される場合、用語「部分」とは、任意の身体中の部分、組織、細胞、器官を指す。そのような部分、組織、細胞、器官としては、骨格筋芽細胞、線維芽細胞、滑膜細胞、幹細胞によって治療され得る部分が挙げられるが、それらに限定されない。特異的なマーカーであれば、核酸分子（ｍＲＮＡの発現）、タンパク質、細胞外マトリクス、特定の表現型、細胞の形状などどのようなパラメータでも使用することができる。従って、本明細書において具体的に記載されていないマーカーであっても、その部分由来であることを示すことができるマーカーであれば、どのようなマーカーを利用して、本発明において提供される人工組織を判定してもよい。このような部分の代表例としては、例えば、心筋以外の心臓の部分、間葉系幹細胞またはそれに由来する細胞を含む部分、組織、器官、筋芽細胞（例えば、骨格筋芽細胞）、線維芽細胞、滑膜細胞などが挙げられるがそれらに限定されない。
【０１１７】
軟骨組織などを見る場合、以下のようなマーカーを指標にすることができる。
【０１１８】
Ｓｏｘ９とは、（ヒト：アクセッション番号  ＮＭ＿０００３４６）であり、軟骨細胞に特異的なマーカーである。このマーカーは主にｍＲＮＡの存在を見ることによって確認することができる（Ｋｕｌｙｋ  ＷＭ，  Ｆｒａｎｋｌｉｎ  ＪＬ，  Ｈｏｆｆｍａｎ  ＬＭ．Ｓｏｘ９  ｅｘｐｒｅｓｓｉｏｎ  ｄｕｒｉｎｇ  ｃｈｏｎｄｒｏｇｅｎｅｓｉｓ  ｉｎ  ｍｉｃｒｏｍａｓｓ  ｃｕｌｔｕｒｅｓ  ｏｆ  ｅｍｂｒｙｏｎｉｃ  ｌｉｍｂ  ｍｅｓｅｎｃｈｙｍｅ．  Ｅｘｐ  Ｃｅｌｌ  Ｒｅｓ．  ２０００  Ｍａｒ  １５；２５５（２）：３２７−３２．）。
【０１１９】
Ｃｏｌ  ２Ａ１  とは、（ヒト：アクセッション番号  ＮＭ＿００１８４４）であり、軟骨細胞に特異的なマーカーである。このマーカーは主にｍＲＮＡの存在を見ることによって確認することができる（Ｋｕｌｙｋ  ＷＭ，  Ｆｒａｎｋｌｉｎ  ＪＬ，  Ｈｏｆｆｍａｎ  ＬＭ．    Ｓｏｘ９  ｅｘｐｒｅｓｓｉｏｎ  ｄｕｒｉｎｇ  ｃｈｏｎｄｒｏｇｅｎｅｓｉｓ  ｉｎ  ｍｉｃｒｏｍａｓｓ  ｃｕｌｔｕｒｅｓ  ｏｆ  ｅｍｂｒｙｏｎｉｃ  ｌｉｍｂ  ｍｅｓｅｎｃｈｙｍｅ．  Ｅｘｐ  Ｃｅｌｌ  Ｒｅｓ．  ２０００  Ｍａｒ  １５；２５５（２）：３２７−３２．）。
【０１２０】
アグリカン（Ａｇｇｒｅｃａｎ）とは、（ヒト：アクセッション番号  ＮＭ＿００１１３５）であり、軟骨細胞に特異的なマーカーである。このマーカーは主にｍＲＮＡの存在を見ることによって確認することができる（Ｋｕｌｙｋ  ＷＭ，  Ｆｒａｎｋｌｉｎ  ＪＬ，  Ｈｏｆｆｍａｎ  ＬＭ．  Ｓｏｘ９  ｅｘｐｒｅｓｓｉｏｎ  ｄｕｒｉｎｇ  ｃｈｏｎｄｒｏｇｅｎｅｓｉｓ  ｉｎ  ｍｉｃｒｏｍａｓｓ  ｃｕｌｔｕｒｅｓ  ｏｆ  ｅｍｂｒｙｏｎｉｃ  ｌｉｍｂ  ｍｅｓｅｎｃｈｙｍｅ．  Ｅｘｐ  Ｃｅｌｌ  Ｒｅｓ．  ２０００  Ｍａｒ  １５；２５５（２）：３２７−３２．）。
【０１２１】
骨シアロタンパク質（Ｂｏｎｅ  ｓｉａｌｏｐｒｏｔｅｉｎ）とは、（ヒト：アクセッション番号  ＮＭ＿００４９６７）であり、骨芽細胞に特異的なマーカーである。このマーカーは主にｍＲＮＡの存在を見ることによって確認することができる（Ｈａａｓｅ  ＨＲ，  Ｉｖａｎｏｖｓｋｉ  Ｓ，  Ｗａｔｅｒｓ  ＭＪ，  Ｂａｒｔｏｌｄ  ＰＭ．    Ｇｒｏｗｔｈ  ｈｏｒｍｏｎｅ  ｒｅｇｕｌａｔｅｓ  ｏｓｔｅｏｇｅｎｉｃ  ｍａｒｋｅｒ  ｍＲＮＡ  ｅｘｐｒｅｓｓｉｏｎ  ｉｎ  ｈｕｍａｎ  ｐｅｒｉｏｄｏｎｔａｌ  ｆｉｂｒｏｂｌａｓｔｓ  ａｎｄ  ａｌｖｅｏｌａｒ  ｂｏｎｅ−ｄｅｒｉｖｅｄ  ｃｅｌｌｓ．  Ｊ  Ｐｅｒｉｏｄｏｎｔａｌ  Ｒｅｓ．  ２００３  Ａｕｇ；３８（４）：３６６−７４．）。
【０１２２】
オステオカルシン（Ｏｓｔｅｏｃａｌｃｉｎ）とは、（ヒト：アクセッション番号  ＮＭ１９９１７３）であり、骨芽細胞に特異的なマーカーである。このマーカーは主にｍＲＮＡの存在を見ることによって確認することができる（Ｈａａｓｅ  ＨＲ，  Ｉｖａｎｏｖｓｋｉ  Ｓ，  Ｗａｔｅｒｓ  ＭＪ，  Ｂａｒｔｏｌｄ  ＰＭ．    Ｇｒｏｗｔｈ  ｈｏｒｍｏｎｅ  ｒｅｇｕｌａｔｅｓ  ｏｓｔｅｏｇｅｎｉｃ  ｍａｒｋｅｒ  ｍＲＮＡ  ｅｘｐｒｅｓｓｉｏｎ  ｉｎ  ｈｕｍａｎ  ｐｅｒｉｏｄｏｎｔａｌ  ｆｉｂｒｏｂｌａｓｔｓ  ａｎｄ  ａｌｖｅｏｌａｒ  ｂｏｎｅ−ｄｅｒｉｖｅｄ  ｃｅｌｌｓ．  Ｊ  Ｐｅｒｉｏｄｏｎｔａｌ  Ｒｅｓ．  ２００３  Ａｕｇ；３８（４）：３６６−７４．）。
【０１２３】
ＧＤＦ５とは、（ヒト：アクセッション番号  ＮＭ＿０００５５７）であり、靱帯細胞に特異的なマーカーである。このマーカーは主にｍＲＮＡの存在を見ることによって確認することができる（Ｗｏｌｆｍａｎ  ＮＭ，  Ｈａｔｔｅｒｓｌｅｙ  Ｇ，  Ｃｏｘ  Ｋ，  Ｃｅｌｅｓｔｅ  ＡＪ，  Ｎｅｌｓｏｎ  Ｒ，  Ｙａｍａｊｉ  Ｎ，  Ｄｕｂｅ  ＪＬ，  ＤｉＢｌａｓｉｏ−Ｓｍｉｔｈ  Ｅ，  Ｎｏｖｅ  Ｊ，  Ｓｏｎｇ  ＪＪ，  Ｗｏｚｎｅｙ  ＪＭ，  Ｒｏｓｅｎ  Ｖ．  Ｅｃｔｏｐｉｃ  ｉｎｄｕｃｔｉｏｎ  ｏｆ  ｔｅｎｄｏｎ  ａｎｄ  ｌｉｇａｍｅｎｔ  ｉｎ  ｒａｔｓ  ｂｙ  ｇｒｏｗｔｈ  ａｎｄ  ｄｉｆｆｅｒｅｎｔｉａｔｉｏｎ  ｆａｃｔｏｒｓ  ５，  ６，  ａｎｄ  ７，  ｍｅｍｂｅｒｓ  ｏｆ  ｔｈｅ  ＴＧＦ−ｂｅｔａ  ｇｅｎｅ  ｆａｍｉｌｙ．  Ｊ  Ｃｌｉｎ  Ｉｎｖｅｓｔ．  １９９７  Ｊｕｌ  １５；１００（２）：３２１−３０．）。
【０１２４】
Ｓｉｘ１とは、（ヒト：アクセッション番号  ＮＭ＿００５９８２）であり、靱帯細胞に特異的なマーカーである（Ｄｒｅｙｅｒ  ＳＤ，  Ｎａｒｕｓｅ  Ｔ，  Ｍｏｒｅｌｌｏ  Ｒ，  Ｚａｂｅｌ  Ｂ，  Ｗｉｎｔｅｒｐａｃｈｔ  Ａ，  Ｊｏｈｎｓｏｎ  ＲＬ，  Ｌｅｅ  Ｂ，  Ｏｂｅｒｇ  ＫＣ．  Ｌｍｘ１ｂ  ｅｘｐｒｅｓｓｉｏｎ  ｄｕｒｉｎｇ  ｊｏｉｎｔ  ａｎｄ  ｔｅｎｄｏｎ  ｆｏｒｍａｔｉｏｎ：  ｌｏｃａｌｉｚａｔｉｏｎ  ａｎｄ  ｅｖａｌｕａｔｉｏｎ  ｏｆ  ｐｏｔｅｎｔｉａｌ  ｄｏｗｎｓｔｒｅａｍ  ｔａｒｇｅｔｓ．  Ｇｅｎｅ  Ｅｘｐｒ  Ｐａｔｔｅｒｎｓ．  ２００４  Ｊｕｌ；４（４）：３９７−４０５．）。このマーカーは主にｍＲＮＡの存在を見ることによって確認することができる。
【０１２５】
スクレラキシス（Ｓｃｌｅｒａｘｉｓ）とは、（ヒト：アクセッション番号ＢＫ０００２８０）であり、靱帯細胞に特異的なマーカーである（Ｂｒｅｎｔ  ＡＥ，  Ｓｃｈｗｅｉｔｚｅｒ  Ｒ，  Ｔａｂｉｎ  ＣＪ．  Ａ  ｓｏｍｉｔｉｃ  ｃｏｍｐａｒｔｍｅｎｔ  ｏｆ  ｔｅｎｄｏｎ  ｐｒｏｇｅｎｉｔｏｒｓ．  Ｃｅｌｌ．  ２００３  Ａｐｒ  １８；１１３（２）：２３５−４８．）。このマーカーは主にｍＲＮＡの存在を見ることによって確認することができる。
【０１２６】
他の実施形態では、他の組織に特異的な別のマーカーを利用することができる。そのようなマーカーとしては、例えば、胚性幹細胞についてはＯｃｔ−３／４、ＳＳＥＡ−１、Ｒｅｘ−１、Ｏｔｘ２などが挙げられ；内皮細胞についてはＶＥ−カドヘリン、Ｆｌｋ−１、Ｔｉｅ−１、ＰＥＣＡＭ１、ｖＷＦ、ｃ−ｋｉｔ、ＣＤ３４、Ｔｈｙ１、Ｓｃａ−１などが挙げられ；骨格筋について上述のもののほか骨格筋αアクチンなどが挙げられ；神経細胞についてＮｅｓｔｉｎ、Ｇｌｕレセプター、ＮＭＤＡレセプター、ＧＦＡＰ、ニューレグリン−１などが挙げられ；造血細胞系についてｃ−ｋｉｔ、ＣＤ３４、Ｔｈｙ１、Ｓｃａ−１、ＧＡＴＡ−１、ＧＡＴＡ−２、ＦＯＧなどが挙げられる。
【０１２７】
本明細書中で使用される場合、用語「由来する」とは、ある種の細胞が、その細胞が元々存在していた細胞塊、組織、器官などから分離、単離、または抽出されたこと、あるいはその細胞を、幹細胞から誘導されたことを意味する。
【０１２８】
本明細書中で使用される場合、用語「三次元構造体」とは、マトリクスが三次元配向され細胞が三次元に配列しており、細胞間の結合および配向を保持している細胞を含む、三次元方向に広がる物体を指す。本発明の複合体は、通常、三次元構造体である。
【０１２９】
本明細書において「生物学的結合」（ｂｉｏｌｏｇｉｃａｌ  ｉｎｔｅｇｒａｔｉｏｎ）とは、生物学的存在（ｂｉｏｌｏｇｉｃａｌ  ｅｎｔｉｔｙ）相互の関係に言及する場合、２つの生物学的存在の間に生物学的になんらかの相互作用があることをいう。そのような相互作用としては、例えば、生体分子（例えば、細胞外マトリクス）を介した相互作用、情報伝達を介した相互作用、電気的相互作用（電気信号の同期などの電気的結合）が挙げられるがそれらに限定されない。生物学的結合には、人工組織内部の生物学的結合と、ある人工組織が、周囲（たとえば、移植後の周囲組織、周囲細胞など）と有する生物学的結合とがある。相互作用を確認する場合は、その相互作用の特性によって適切なアッセイ方法を用いる。例えば、生体分子を介した物理的相互作用を確認する場合は、人工組織、三次元構造体などの強度（例えば、引っ張り試験）を確認する。情報伝達を介した場合は、シグナル伝達がなされるかどうかを、遺伝子発現などを介して確認する。あるいは、電気的な相互作用の場合は、人工組織、三次元構造体などにおける電位の状況を測定し、一定の波をもって電位が伝播しているかどうかを見ることによって確認することができる。本発明において、通常生物学的結合は、三次元すべての方向に生物学的結合を有する。好ましくは、三次元すべての方向にほぼ均等に生物学的結合を有することが有利であることがあるが、別の実施形態では、二次元方向にほぼ均等に生物学的結合を有するが、第三の方向にはすこし弱い生物学的結合を有する人工組織、三次元構造体なども使用され得る。あるいは、細胞外マトリクスを介した生物学的結合の場合は、細胞外マトリクスを染色してその染色度を観察することもできる。インビボで生物学的結合を観察する方法としては、軟骨を用いた結合実験がある。この実験では、軟骨の表面を切除しコンドロイチナーゼＡＢＣ（Ｈｕｎｚｉｋｅｒ  ＥＢ  ｅｔ  ａｌ．，Ｊ  Ｂｏｎｅ  Ｊｏｉｎｔ  Ｓｕｒｇ  Ａｍ．  １９９６  Ｍａｙ；７８（５）：７２１−３３  ）で消化して、目的とする組織をその切除された表面に移植して７日程度培養して、その後の結合を組織学的に観察する。このような軟骨を用いた実験によって、周囲の細胞および／または細胞外マトリクスとの接着能を測定することができることが理解される。
【０１３０】
本発明において提供される人工組織、三次元構造体などは、医薬品として提供され得るが、あるいは、動物薬、医薬部外品、水産薬および化粧品等として、公知の調製法により提供され得る。
【０１３１】
従って、本発明が対象とする動物は、臓器または器官を有するものであれば、どの生物（例えば、動物（たとえば、脊椎動物、無脊椎動物））でもよい。好ましくは、脊椎動物（たとえば、メクラウナギ類、ヤツメウナギ類、軟骨魚類、硬骨魚類、両生類、爬虫類、鳥類、哺乳動物など）であり、より好ましくは、哺乳動物（例えば、単孔類、有袋類、貧歯類、皮翼類、翼手類、食肉類、食虫類、長鼻類、奇蹄類、偶蹄類、管歯類、有鱗類、海牛類、クジラ目、霊長類、齧歯類、ウサギ目など）であり得る。例示的な被験体としては、例えば、ウシ、ブタ、ウマ、ニワトリ、ネコ、イヌなどの動物が挙げられるがそれらに限定されない。さらに好ましくは、霊長類（たとえば、チンパンジー、ニホンザル、ヒト）が用いられる。最も好ましくはヒトが対象とされ得る。移植治療において限界があるからである。
【０１３２】
本発明が医薬として使用される場合、本発明の医薬は、薬学的に受容可能なキャリアなどをさらに含み得る。本発明の医薬に含まれる薬学的に受容可能なキャリアとしては、当該分野において公知の任意の物質が挙げられる。
【０１３３】
そのような適切な処方材料または薬学的に受容可能なキャリアとしては、抗酸化剤、保存剤、着色料、風味料、および希釈剤、乳化剤、懸濁化剤、溶媒、フィラー、増量剤、緩衝剤、送達ビヒクル、希釈剤、賦形剤および／または薬学的アジュバントが挙げられるがそれらに限定されない。
【０１３４】
本発明の処置方法において使用される医薬（人工組織、併用される医薬化合物など）の量は、使用目的、対象疾患（種類、重篤度など）、患者の年齢、体重、性別、既往歴、組織の形態または種類などを考慮して、当業者が容易に決定することができる。本発明の処置方法を被験体（または患者）に対して施す頻度もまた、使用目的、対象疾患（種類、重篤度など）、患者の年齢、体重、性別、既往歴、および治療経過などを考慮して、当業者が容易に決定することができる。頻度としては、例えば、毎日〜数ヶ月に１回（例えば、１週間に１回〜１ヶ月に１回）の投与が挙げられる。１週間〜１ヶ月に１回の投与を、経過を見ながら施すことが好ましい。
【０１３５】
本明細書中、「投与する」とは、本発明において提供される人工組織、三次元構造体などまたはそれを含む医薬を、単独で、または他の治療剤と組み合わせて投与することを意味する。本発明において提供される人工組織は、以下のような治療部位（例えば、障害心臓など）への導入方法，導入形態および導入量が使用され得る。すなわち、本発明において提供される人工組織および三次元構造体の投与方法としては、例えば心筋梗塞、狭心症等で虚血性の障害を受けた心筋組織の障害部位への直接貼付、貼付後に縫合、挿入等の方法があげられる。組み合わせは、例えば、混合物として同時に、別々であるが同時にもしくは並行して；または逐次的にかのいずれかで投与され得る。これは、組み合わされた薬剤が、治療混合物としてともに投与される提示を含み、そして組み合わせた薬剤が、別々であるが同時に（例えば、人工組織などが直接手術によって提供され、他の薬剤は静脈注射によって与えられる場合）投与される手順もまた含む。「組み合わせ」投与は、第１に与えられ、続いて第２に与えられる化合物または薬剤のうちの１つを別々に投与することをさらに含む。
【０１３６】
本明細書において「補強」とは、意図される生体の部分の機能を改善させることをいう。
【０１３７】
本明細書において「指示書」は、試薬の取り扱い、使用方法、調合方法、人工組織の作成方法、収縮方法など、本発明の医薬などを投与する方法または診断する方法などを医師、患者など投与を行う人、診断する人（患者本人であり得る）に対して記載したものである。この指示書は、本発明の診断薬、医薬などを投与する手順を指示する文言が記載されている。この指示書は、本発明が実施される国の監督官庁（例えば、日本であれば厚生労働省、米国であれば食品医薬品局（ＦＤＡ）など）が規定した様式に従って作成され、その監督官庁により承認を受けた旨が明記される。指示書は、いわゆる添付文書（ｐａｃｋａｇｅ  ｉｎｓｅｒｔ）であり、通常は紙媒体で提供されるが、それに限定されず、例えば、電子媒体（例えば、インターネットで提供されるホームページ（ウェブサイト）、電子メール）のような形態でも提供され得る。
【０１３８】
本明細書において「細胞外マトリクス産生促進因子」とは、細胞の細胞外マトリクスの産生を促進する任意の因子をいう。本発明において、細胞外マトリクス産生促進因子を細胞シートに添加すると、その細胞シートを培養容器からの剥離が促進される環境を提供し、そのようなシートが三次元方向に生物学的結合する。ここで、生物学的結合は、組織中の細胞と細胞外マトリクスとの結合および細胞外マトリクス同士の結合を含む。ここで、自己収縮によりさらに三次元化が促進される。そのような因子としては、代表的には、細胞外マトリクスの分泌を促進するような因子（例えば、ＴＧＦ−β１、ＴＧＦ−β３など）が挙げられる。本発明において、代表的な細胞外マトリクス産生促進因子としては、ＴＧＦ−β１、ＴＧＦ−β３、アスコルビン酸、アスコルビン酸２リン酸またはその誘導体あるいはその塩が挙げられる。好ましくは、このような細胞外マトリクス産生促進因子は、適用が意図される部分の細胞外マトリクスの組成成分および／またはその量に類似するように細胞外マトリクスの分泌を促す成分（単数または複数）であることが好ましい。そのような細胞外マトリクス産生促進因子が複数の成分を含む場合は、そのような複数成分は、適用が意図される部分の細胞外マトリクスの組成成分および／またはその量に類似するように組成され得る。
【０１３９】
本明細書において「アスコルビン酸またはその誘導体」には、アスコルビン酸およびその類似体（例えば、アスコルビン酸２リン酸など）、およびその塩（例えば、ナトリウム塩、マグネシウム塩、カリウム塩など）が含まれる。アスコルビン酸は、Ｌ体であることが好ましいがそれに限定されない。
【０１４０】
（細胞外マトリクス産生促進因子による人工組織の調製）
本発明の組織を生産するための方法は、Ａ）細胞を提供する工程；Ｂ）該細胞を、細胞外マトリクス産生促進因子を含む細胞培養液を収容する、所望の人工組織のサイズを収容するに十分な底面積を有する容器に配置する工程；およびＣ）該容器中の該細胞を、該所望の大きさのサイズを有する人工組織を形成するに十分な時間培養する工程によって実施することができる。
【０１４１】
ここで用いられる細胞は、どのような細胞であってもよい。細胞を提供する方法は、当該分野において周知であり、例えば、組織を摘出してその組織から細胞を分離する方法、あるいは、血液細胞などを含む体液から細胞を分離する方法、あるいは、細胞株を人工培養によって調製する方法などが挙げられるがそれらに限定されない。本明細書において使用される細胞は任意の幹細胞または分化細胞であり得るが、特に、筋芽細胞、間葉系幹細胞、脂肪細胞、滑膜細胞、骨髄細胞などを用いることができる。本明細書において使用される間葉系幹細胞としては、例えば、脂肪組織由来の幹細胞、骨髄由来の幹細胞などを用いることができる。
【０１４２】
本発明において使用される人工組織生産法では、細胞外マトリクス産生促進因子を含む細胞培養液が使用される。このような細胞外マトリクス産生促進因子としては、例えば、アスコルビン酸またはその誘導体などが挙げられ、例えば、アスコルビン酸２リン酸、Ｌ−アスコルビン酸などが挙げられるがそれらに限定されない。
【０１４３】
本発明において使用される細胞培養液は、目的とする細胞が増殖する限りどのような培地であってもよいが、例えば、ＤＭＥＭ、ＭＥＭ、Ｆ１２、ＤＭＥ、ＲＰＭＩ１６４０、ＭＣＤＢ１０４、１９９、ＭＣＤＢ１５３、Ｌ１５、ＳｋＢＭ、Ｂａｓａｌ培地などを適宜グルコース、ＦＢＳ（ウシ胎仔血清）またはヒト血清、抗生物質（ペニシリン、ストレプトマイシンなど）を加えたものが使用され得る。
【０１４４】
本発明の方法において使用される容器は、所望の人工組織のサイズを収容するに十分な底面積を有する限り、当該分野において通常使用されるような容器を用いることができ、例えば、シャーレ、フラスコ、型容器など、好ましくは底面積が広い（例えば、１ｃｍ２以上）容器が使用され得る。その容器の材質もまた、どのような材料を利用してもよく、ガラス、プラスチック（例えば、ポリスチレン、ポリカーボネートなど）、シリコーンなどが用いられ得るがそれらに限定されない。
【０１４５】
好ましい実施形態では、本発明において使用される人工組織生産法では、さらに、生産された人工組織を分離する工程を包含し得る。本明細書において「分離する」とは、本発明において提供される人工組織が容器中で形成された後、その容器からその人工組織を分離することをいう。分離は、例えば、物理的手段（例えば、培地のピペッティングなど）、化学的手段（物質の添加）などによって達成することができる。本発明では、タンパク質分解酵素処理などの積極的に人工組織に対して侵襲を与えずに、人工組織の周囲に物理的手段または化学的手段によって刺激を与えることによって人工組織を分離することができるという点で従来達成できなかった簡便さおよびそれによってもたらされる人工組織の傷のなさなどの移植片としての性能の高さという効果を奏することに留意すべきである。
【０１４６】
好ましい実施形態では、本発明は、人工組織化された細胞を分離する工程、をさらに包含する。ここで、より好ましい実施形態では、この分離する工程は、人工組織を収縮させる刺激を加えることができる。物理的な刺激（例えば、ピペッティング）を含む。このような物理的刺激は、作製された人工組織に直接作用しないことが本発明において好ましい特徴である。このように人工組織に直接作用させないことによって、人工組織の損傷を抑えることができるからである。あるいは、分離する工程は、アクチン調節物質の添加のような化学的手段を含む。このようなアクチン調節物質は、アクチン脱重合促進因子およびアクチン重合促進因子からなる群より選択される化学物質を含む。例えば、アクチン脱重合促進因子は、Ｓｌｉｎｇｓｈｏｔ、コフィリン、ＣＡＰ（シクラーゼ関連タンパク質）、ＡＩＰ１（ａｃｔｉｎ−ｉｎｔｅｒａｃｔｉｎｇ−ｐｒｏｔｅｉｎ  １）、ＡＤＦ（ａｃｔｉｎ  ｄｅｐｏｌｙｍｅｒｉｚｉｎｇ  ｆａｃｔｏｒ）、デストリン、デパクチン、アクトフォリン、サイトカラシンおよびＮＧＦ（ｎｅｒｖｅ  ｇｒｏｗｔｈ  ｆａｃｔｏｒ）などを挙げることができる。他方、アクチン重合促進因子は、ＲｈｏＡ、ｍＤｉ、プロフィリン、Ｒａｃ１、ＩＲＳｐ５３、ＷＡＶＥ２、ＲＯＣＫ、ＬＩＭキナーゼ、コフィリン、ｃｄｃ４２、Ｎ−ＷＡＳＰ、Ａｒｐ２／３、Ｄｒｆ３、Ｍｅｎａ，ＬＰＡ（ｌｙｓｏｐｈｏｓｐｈａｔｉｄｉｃ  ａｃｉｄ）、インスリン、ＰＤＧＦａ、ＰＤＧＦｂ、ケモカインおよびＴＧＦβなどを挙げることができる。
【０１４７】
理論に束縛されることを望まないが、これらのアクチン調節物質は、アクト−ミオシン系の細胞骨格の収縮または弛緩を引き起こし、それにより、細胞自体の収縮または伸縮を調節することになり、結果として、容器の底面から、人工組織自体が分離することを促進または遅延する作用になると考えられる。
【０１４８】
別の実施形態において、本発明において提供される人工組織または複合体は、単層培養された細胞から作製されることが特徴の一つである。単層培養するにもかかわらず、結果として、種々の厚みを持つ人工組織を構築することができるようになったということは、従来の例えば、温度応答性シートなどを用いた場合に複数のシートを重ね合わせないと厚い組織が構成できなかったということからは予想できなかった効果であるといえる。フィーダー細胞が不要で、十層以上の細胞の重層化が可能な三次元化の方法は、本発明が初めて達成したものである。スキャフォールドを用いない細胞移植方法としては、非特許文献３による温度感受性培養皿を利用した細胞シート工学技術が代表的であり、独創的技術として国際的評価を得ている。しかし、この細胞シート技術を使用する場合、単独のシートでは脆弱であることが多く、移植等の外科的操作に耐えうる強度を得るためにはシートを重ね合わせる操作等の工夫が必要であった。
【０１４９】
本研究で開発する細胞・マトリックス複合体は細胞シート技術とは異なり、温度感受性培養皿を必要とせず、また細胞・マトリックスを重層化させることが容易であることが特徴である。げっ歯類のストローマ細胞などのいわゆるＦｅｅｄｅｒ細胞の使用無しに１０層以上に重層した複合体を３週間程度で作成できる技術は世界的に見当たらない。また、滑膜細胞のマトリックス産生条件を調節させることにより、特殊な器具を必要とすることなく複合体の把持、移動といった外科的操作が可能となる強度を保持する複合体の作成も可能であり、本法は、世界的に見ても、細胞移植を確実にかつ安全に行うための独創的で画期的な手法となる可能性がある。
【０１５０】
好ましい実施形態では、本発明において使用される人工組織生産法に用いられる細胞外マトリクス産生促進因子は、アスコルビン酸２リン酸を含む（Ｈａｔａ  Ｒ，  Ｓｅｎｏｏ  Ｈ．Ｊ  Ｃｅｌｌ  Ｐｈｙｓｉｏｌ．  １９８９；  １３８（１）：８−１６参照）。本発明では、アスコルビン酸２リン酸を一定量以上加えることによって、細胞外マトリクスの生産が促進され、その結果、得られる人工組織または複合体が硬化され、剥離しやすくなる。この後、剥離の刺激を与えることによって自己収縮が行われる。このようなアスコルビン酸を加えて培養した後、組織が硬化し、剥離しやすくなる性質を獲得することは、Ｈａｔａらの報告には記載されていない。理論に束縛されないが、一つの顕著な相違点として、Ｈａｔａらは、使用した細胞密度が顕著に異なるという点にある。また、Ｈａｔａらは、硬化効果を示唆すらしておらず、このような硬化および収縮効果、および剥離しやすくなるという効果は、本発明によって初めて見出されたものであり、本発明において提供される人工組織は、従来製造されてきたものとは硬化、収縮、剥離などの手順を経て生産されている点で、少なくとも全く異なるものであるということができる。
【０１５１】
培養物を剥がしたときに収縮し、三次元化、重層化などが促進されたということは驚くべき効果である。そのようなことは、従来報告されていない。
【０１５２】
好ましい実施形態では、本発明において使用されるアスコルビン酸２リン酸は、通常少なくとも０．０１ｍＭで存在し、好ましくは少なくとも０．０５ｍＭで存在し、さらに好ましくは少なくとも０．１ｍＭで存在する。より好ましくは少なくとも０．２ｍＭの濃度で存在することが好ましい。さらに好ましくは、０．５ｍＭの濃度、さらにより好ましくは１．０ｍＭの濃度で存在することが好ましい。ここでは、０．１ｍＭ以上であればどのような濃度でも用いることができるが、好ましくは、１０ｍＭ以下であることが所望され得る局面も存在し得る。
【０１５３】
ある好ましい実施形態では、本発明において使用される細胞外マトリクス産生促進因子は、アスコルビン酸２リン酸またはその塩およびＬ−アスコルビンまたはその塩を含む。
【０１５４】
好ましい実施形態では、本発明において使用される人工組織生産法では、培養した工程に続き、Ｄ）人工組織を剥離させ自己収縮させる工程、をさらに含む。剥離は、物理的な刺激（例えば、容器の角に棒などで物理的刺激（ずり応力印加、ピペッティング、容器の変形など）を与えるなど）を行うことによって促進することができる。自己収縮は、このような剥離の後、物理的刺激が与えられる場合、自然に起こる。化学的刺激の場合は、自己収縮および剥離が並行して生じる。自己収縮により、特に第三次元方向（シート上の組織に関する場合、二次元方向と鉛直な方向）の生物学的結合が促進される。このようにして製造されることから、本発明において提供される人工組織は、三次元構造体という形態をとるといえる。
【０１５５】
本発明において使用される人工組織生産法では、十分な時間とは、目的とする人工組織の用途によって変動するが、好ましくは少なくとも３日間を意味する（例示的な期間としては、３〜７日間を挙げることができる）。
【０１５６】
別の実施形態において、本発明において使用される人工組織生産法は、人工組織を分化させる工程、をさらに含み得る。分化させることによって、所望の組織により近い形態を採らせることができるからである。そのような分化としては、例えば、軟骨分化、骨分化を挙げることができるがそれらに限定されない。好ましい実施形態では、骨分化は、デキサメタゾン、βグリセロホスフェートおよびアスコルビン酸２リン酸を含む培地中で行われ得る。より好ましくは、骨形成タンパク質（ＢＭＰ類）を加える。このようなＢＭＰ２、ＢＭＰ−４、ＢＭＰ−７は、骨の形成をより促進するからである。
【０１５７】
別の実施形態において、本発明において使用される人工組織生産法は、人工組織を分化させる工程であって、分化としては、例えば、軟骨分化を行う形態が挙げられる。好ましい実施形態では、軟骨分化は、ピルビン酸、デキサメタゾン、アスコルビン酸２リン酸、インスリン、トランスフェリンおよび亜セレン酸を含む培地中で行われ得る。より好ましくは、骨形成タンパク質（ＢＭＰ−２、ＢＭＰ−４、ＢＭＰ−７、ＴＧＦ−β１、ＴＧＦ−β３）を加える。このようなＢＭＰは、軟骨の形成をより促進するからである。
【０１５８】
本発明において留意されるべき点として、骨および軟骨などの種々の分化細胞への分化能を有する組織を製造できることがある。軟骨組織への分化は、これまで他のスキャフォールドフリーの人工組織では困難であった。ある程度の大きさが必要な場合は、従来では、スキャフォールドと共培養し、三次元化させて、軟骨分化培地を入れることが必要であった。従来では、スキャフォールドフリーで軟骨分化させることは困難であった。本発明において、初めて、人工組織中の軟骨分化も可能になった。これはかつて実証されていない結果であって、本発明の特徴的な効果の一つである。組織再生を目指す細胞治療においてスキャフォールドなしに有効かつ安全に、十分な大きさの組織を用いて治療を行う方法は困難であった。本発明は、この意味では、顕著な効果を達成するといえる。特に、軟骨など、従来では不可能であった、分化細胞でも自在に操れるようになったという点でその意義は深い。従来であれば、例えば、ペレット状に細胞を集めて、その細胞塊を分化させて２ｍｍ３程度のものを作ることはできていたが、このような大きさを超える場合は、スキャフォールドを使用せざるを得ない。
【０１５９】
本発明において提供される人工組織作製法に含まれる分化工程は、前記細胞の提供の前または後に行われ得る。
【０１６０】
本発明において使用される細胞は、初代培養のものを使用することができるが、それに限定されず、継代した細胞（例えば、３代以上）を用いることもできる。好ましくは、継代した細胞を用いる場合、細胞は、４継代以上の細胞を用いることが好ましく、より好ましくは、５継代以上の細胞を用い、さらに好ましくは、６継代以上の細胞を用いることが有利である。細胞密度の上限が、継代数を一定程度上げるに従って上がっていくことから、より密な人工組織を作製することができると考えられるからであるが、それに限定されず、むしろ、一定範囲の継代数（例えば、３代〜８代）が適切であるようである。
【０１６１】
本発明では、細胞は、好ましくは、５．０×１０４／ｃｍ２以上の細胞密度で提供されるがそれに限定されない。細胞密度を十分上げることによって、より強度の高い人工組織を提供することができるからである。ただし、下限は、これよりも低くあり得ることが理解される。当業者は、本明細書の記載に基づき、そのような下限を規定することができることが理解される。
【０１６２】
１つの実施形態において、本発明において使用され得る細胞としては、例えば、筋芽細胞、滑膜細胞、脂肪細胞、間葉系幹細胞（例えば、脂肪組織または骨髄由来）を用いることができるが、それらに限定されない。このような細胞は、例えば、心臓、骨、軟骨、腱、靭帯、関節、半月などに適用可能である。
【０１６３】
（人工組織および複合体）
本発明において提供される人工組織または複合体は、本発明に記載される任意の方法またはＷＯ２００５／０１２５１２に記載される方法によって実施することができる。本明細書では、本発明において提供される人工組織は、移植可能な人工組織である。これまでも細胞培養によって人工組織を作製することが試みられているが、いずれも、大きさ、強度、培養容器からの剥離のときの物理的損傷などによって移植に適した人工組織とはなっていなかった。本発明は、上述のような細胞外マトリクス産生促進因子の存在下で細胞を培養することによって、大きさ、強度などの点で問題が無く、剥離させるときに特に困難を伴わない組織培養方法が提供された。このような組織培養法が提供されたことによって、初めて移植可能な人工組織が提供されたことになる。
【０１６４】
本発明において提供される、細胞と、該細胞に由来する成分とを含む複合体は、好ましくは、実質的に細胞と該細胞に由来する成分からなることが理解される。ここで、本発明の複合体は、生体の部分を補強、修復または再生するために提供される。
【０１６５】
本明細書において、「複合体」とは、細胞と、他の成分とが何らかの相互作用によって、複合体化したものを指す。従って、本発明の複合体は、人工組織様の外観を呈することが多く、その意味で、人工組織と指すものが重複することが理解される。
【０１６６】
本発明は、スキャフォールドフリーの人工組織または複合体を提供する。このようなスキャフォールドフリーの人工組織を提供することによって、移植後の経過に優れた治療法および治療剤が提供される。
【０１６７】
本発明はまた、スキャフォールドフリーの人工組織という点により、生物製剤における長期にわたる規制の問題の一つである、スキャフォールド自体の混入に起因する問題を一挙に解決する。また、スキャフォールドがないにもかかわらず、治療効果は従来のものに比べても遜色ないどころか、より良好である。
【０１６８】
このほか、スキャフォールドを用いた場合に、スキャフォールド内の移植細胞の配向性、細胞間接着性の問題、スキャフォールド自体の生体における変化（炎症惹起）およびスキャフォールドのレシピエント組織への生着性などの問題を解決することができる。
【０１６９】
本発明において提供される人工組織および複合体はまた、自己組織化しており、内部において生物学的結合が行われているという点で、従来の細胞治療とも一線を画すことができる。
【０１７０】
本発明において提供される人工組織および複合体はまた、三次元形態を容易に形成することができ、所望の形態に容易に設計することができることから、その汎用性に留意されるべきである。
【０１７１】
本発明において提供される人工組織および複合体は、周囲の組織、細胞などの移植後環境との生物学的結合を有することから、術後の定着がよい、細胞が良好の供給されるなどの優れた効果が奏される。本発明の効果としては、このような生物学的結合性の良好さから、他の人工組織などと複合組織を形成することによって複雑な治療を行うことができる点にもある。
【０１７２】
本発明の別の効果は、人工組織および複合体として提供した後、分化誘導をかけることができるという点にある。あるいは、人工組織および／または複合体として提供する前に、分化誘導をかけて、そのような人工組織および／または複合体を形成することができいる点にもある。
【０１７３】
本発明の他の効果は、細胞移植という観点から、従来の細胞のみの移植、シートを用いた移植などと比べて、置換性がよい、被覆することによる総合的な細胞供給などの効果が奏される点にある。
【０１７４】
本発明によって、生物学的結合能を有し、移植可能な人工組織が提供される。このような組織は、上記特徴および効果を有することによって、従来人工物での移植処置が考えられなかった部位の処置が可能になった。本発明において提供される人工組織は、組織内および他の組織との間での生物学的結合を有しており、実際に移植治療において機能する。このような人工組織は、従来技術では提供されるものではなく、初めて提供されるものである。本発明において提供される人工組織は、移植後の周囲の組織、細胞などと生物学的に結合する能力を有し（好ましくは細胞外マトリクスによる）、従って、術後の経過に優れる。このような生物学的結合能を有する人工組織は、従来存在しておらず、従って、本発明は、従来の人工組織では達成できなかった治療効果を奏することになる。
【０１７５】
さらに、本発明により、疾患部分を充填し、置換させること、および／または疾患部位を被覆することによって治療効果をもたらす医療処置が可能となった。
【０１７６】
また、本発明は、他の人工組織（例えば、ハイドロキシアパタイトでできた人工骨など、微線維性コラーゲン医療材料など）とともに用いることにより、他の人工組織と生物学的に結合することによって、従来では達成できなかった人工組織の定着の向上が得られた。
【０１７７】
本発明において提供される人工組織は、組織全体にフィブロネクチン、ビトロネクチンなどの細胞外マトリクスまたは細胞接着因子が分布、一方細胞シート工学では培養細胞のシャーレへの接着面に細胞接着因子は局在している。そして最たる違いは細胞シート工学ではシートの主体は細胞であり、シートは接着因子のノリを底面に付けた細胞の塊といえるが、本発明者らの人工組織は文字通り細胞外マトリックスが細胞を包んだ「組織」であるという点が従来のものとは顕著に異なるといえる。
【０１７８】
スキャフォールド（基盤）材料を用いない細胞移植方法としては、非特許文献３に記載される温度感受性培養皿を利用した細胞シート工学技術が代表的であり、独創的技術として国際的評価を得ている。しかし、この細胞シート技術を使用する場合、単独のシートでは脆弱であることが多く、移植等の外科的操作に耐えうる強度を得るためにはシートを重ね合わせる操作等の工夫が必要であった。本発明はこのような問題を解決した。
【０１７９】
本研究で開発する細胞・マトリックス複合体は細胞シート技術とは異なり、温度感受性培養皿を必要とせず、また細胞・マトリックスを重層化させることが容易であることが特徴である。げっ歯類のストローマ細胞などのいわゆるＦｅｅｄｅｒ細胞の使用無しに１０層以上に重層した複合体を３週間程度で作成できる技術は世界的に見当たらない。また、滑膜細胞のマトリックス産生条件を調節させることにより、特殊な器具を必要とすることなく複合体の把持、移動といった外科的操作が可能となる強度を保持する複合体の作成も可能であり、本発明は、世界的に見ても、細胞移植を確実にかつ安全に行うための独創的で画期的な手法となるという点でも効果を有するといえる。
【０１８０】
好ましい実施形態では、本発明において提供される人工組織は、周囲との生物学的結合能（ｉｎｔｅｇｒａｔｉｏｎ  ｃａｐａｂｉｌｉｔｙ）を有する。ここで、周囲とは、代表的には、移植される環境をいい、例えば、組織、細胞などを挙げることができる。周囲の組織、細胞などの生物学的結合能は、例えば、顕微鏡写真、物理的試験、生物学的マーカーの染色などによって確認することができる。従来の人工組織は、移植された環境にある組織などの親和性は少なく、生物学的結合能が発揮できるなどとは想定すらされていなかった。むしろ、従来の人工組織は、生体の持つ再生能力に依拠し、自己細胞などが集積し、再生するまでの橋渡しの役割を果たしており、従って、恒久的な使用は意図されていなかった。従って、本発明において提供される人工組織は、真の意味で移植治療を構成することができると解釈されるべきである。従って、本発明において言及される生物学的結合能は、周囲の細胞および／または細胞外マトリクスとの接着能を含むことが好ましい。そのような接着能は、組織片（例えば、軟骨片）とのインビトロ培養アッセイによって測定することができる。
【０１８１】
本発明が対象とする「疾患」としては、変性、壊死、損傷などを伴う任意の疾患をいい、例えば、変形性関節症、骨軟骨損傷、難治性骨折、骨壊死、軟骨損傷、半月損傷、靭帯損傷、腱損傷、軟骨変性、半月変性、椎間板変性、靭帯変性または腱変性、組織に傷害がある任意の心疾患であり得る。そのような心疾患としては、心不全、難治性心不全、心筋梗塞、心筋症、拡張型心筋症、肥大型心筋症、拡張相肥大型心筋症などが挙げられる。本発明の併用療法は、組織傷害の再生を目的とする限り、心臓以外の臓器の傷害を再生するためにも適用され得る。特定の実施形態において、本発明の方法が対象とする疾患は、難治性心不全である。
【０１８２】
本明細書において「予防」（ｐｒｏｐｈｙｌａｘｉｓまたはｐｒｅｖｅｎｔｉｏｎ）とは、ある疾患または障害について、そのような状態が引き起こされる前に、そのような状態が起こらないようにするか、そのような状態を低減した状態で生じさせるかまたはその状態が起こることを遅延させるように処置することをいう。
【０１８３】
本明細書において「治療」とは、ある疾患または障害について、そのような状態になった場合に、そのような疾患または障害の悪化を防止、好ましくは、現状維持、より好ましくは、軽減、さらに好ましくは消長させることをいう。本明細書では「根治的治療」とは、病的過程の根源または原因の根絶を伴う治療をいう。従って、根治的治療がなされる場合は、原則として、その疾患の再発はなくなる。
【０１８４】
本明細書において「予後」とは、予後の処置ともいい、ある疾患または障害について、治療後の状態を診断または処置することをいう。
【０１８５】
好ましい実施形態では、本発明において提供される人工組織または複合体は、三次元方向に生物学的に結合されている。ここで、生物学的結合は、本明細書において他の場所において説明されており、例えば、細胞外マトリクスによる物理的結合、電気的結合などが挙げられるがそれらに限定されない。特に、好ましい実施形態では、組織内の細胞外マトリクスが生物学的に結合されていることが重要である。そのような生物学的に結合された状態のハイドロキシアパタイトを含む人工組織または複合体は、これまでに提供されていないことから、この実施形態の本発明において提供される人工組織または複合体は、構造上も新規であるといえる。さらに、周囲との生物学的結合能を有する好ましい実施形態では、移植後も生体の一部を構成することができる人工組織または複合体を提供するという点で、従来になかった人工組織または複合体であるといえる。
【０１８６】
１つの好ましい実施形態において、本発明において提供される人工組織または複合体は、従来のハイドロキシアパタイト複合体とは、ハイドロキシアパタイトが付着した細胞を含むという点で異なるということができる。特に、細胞密度が、例えば、最大５×１０６／ｃｍ２までも含めることができるという点でその高密度性が留意されるべきである。
【０１８７】
好ましくは、本発明において提供される人工組織または複合体は、実質的に細胞または該細胞に由来する物質から構成される。実質的に細胞および細胞に由来する物質（例えば、細胞外マトリクス）のみから構成されることによって、生体適合性および生体定着性を上げることができる。ここで、「実質的に・・・構成される」とは、細胞とその細胞に由来する物質とを含み、他に有害な影響（ここでは、主に、移植への悪影響）を与えない限り、他の物質を含んでいてもいいと定義され、本明細書においてはそのように理解されるべきである。そのような有害な影響を与えない物質は、当業者に公知であるか、または簡単な試験を行うことによって確認することができる。代表的には、厚生労働省、ＦＤＡなどにおいて認可されている任意の添加成分、細胞培養に伴う成分などを挙げることができるがそれらに限定されない。ここで、細胞に由来する物質は、代表的に細胞外マトリクスを含む。特に、本発明において提供される人工組織または複合体では、細胞と細胞外マトリクスが適切な割合で含まれていることが好ましい。そのような適切な割合とは、例えば、細胞と細胞外マトリクスとの比が１：３〜２０：１の範囲、細胞と細胞外マトリクスの比率によって組織の強度が調節されるので、細胞移植の用途および移植先での力学環境に応じて細胞と細胞外マトリクスとの比を調節して使用することができる。好ましい比率は、目的とする処置によって変動するが、そのような変動は、当業者には自明であり、目的とする臓器における細胞および細胞外マトリクスの比率を調査することによって、推定することができる。
【０１８８】
好ましくは、実質的に細胞および該細胞に由来する細胞外マトリクスから構成される人工組織は、これまでに知られておらず、従って、本発明は、全く新規の人工組織を提供するといえる。
【０１８９】
好ましくは、本発明を構成する細胞外マトリクスとしては、コラーゲンＩ、コラーゲンＩＩＩ，ビトロネクチンおよびフィブロネクチンなどを挙げることができる。好ましくは、このような種々の細胞外マトリクスは、列挙したものすべて含まれていることが好ましく、それらは一体化して混合されていることが好ましい。あるいは、これらは、全体にわたって細胞外マトリクスが散在していることが好ましい。このような分布は移植された場合に環境との適合性および親和性を向上させるという点で格別な効果を奏する。本発明では、特に、コラーゲン（Ｉ、ＩＩＩ型）をはじめ、ビトロネクチン、フィブロネクチンなどが含まれていることにより、基質への細胞接着、細胞伸展、および細胞走化性を促進する、細胞間マトリクスの接着も促進されるという特徴を有することで知られている。しかし、コラーゲン（Ｉ、ＩＩＩ型）、ビトロネクチン、フィブロネクチンなどが一体化されて含まれているような人工組織はこれまで提供されていなかった。理論に束縛されることを希望しないが、コラーゲン（Ｉ、ＩＩＩ型）、ビトロネクチン、フィブロネクチンなどは、周囲との生物学的結合能を発揮するのに役割を果たしていると考えられる。従って、好ましい実施形態では、本発明において提供される人工組織または複合体においてビトロネクチンが分散して表面に配置されていることが有利である。移植後の接着、定着、安定性が格段に異なると考えられるからである。
【０１９０】
フィブロネクチンもまた、本発明において提供される人工組織または複合体において配置されることが好ましい。フィブロネクチンは、細胞接着，細胞の形の制御，細胞移動を調節する役割を有することが知られている。しかし、フィブロネクチンが発現しているような人工組織はこれまで提供されていなかった。理論に束縛されることを希望しないが、フィブロネクチンもまた周囲との生物学的結合能を発揮するのに役割を果たしていると考えられる。従って、好ましい実施形態では、本発明において提供される人工組織においてフィブロネクチンもまた分散して表面に配置されていることが有利である。移植後の接着、定着、安定性が格段に異なると考えられるからである。
【０１９１】
好ましい実施形態では、本発明において使用される細胞外マトリクスを人工組織または複合体に配置することは、本発明において提供される人工組織生産方法によって、容易に達成されることが理解されるが、作製方法としてはそれに限定されないことが理解される。
【０１９２】
より好ましい実施形態では、本発明において使用される細胞外マトリクスは、分散して配置されることが有利である。そのような分散形態での細胞外マトリクスの配置は、従来の人工組織では、不可能であったことであり、本発明により初めて提供されることが理解される。
【０１９３】
好ましい実施形態において、人工組織または複合体に分散して配置される細胞外マトリクスは、任意の２つの１ｃｍ２のセクションにおける分布密度を比較したときに、約１：３〜３：１の範囲内の比率に収まることが好ましい。分布密度の測定は、当該分野において公知の任意の手法を用いることができ、例えば、免疫染色などを挙げることができる。
【０１９４】
好ましい実施形態において、本発明において使用される細胞外マトリクスは、任意の２つの１ｃｍ２のセクションにおける分布密度を比較したときに、約１：２〜２：１、さらに好ましくは約１．５：１〜１．５：１の範囲内の比率に収まる。細胞外マトリクスの配置の分散は、均等に分散されていることが有利である。従って、好ましくは、ほぼ均一に分散されていてもよいが、それに限定されない。本明細書では、「均一」とは、複合体中に細胞外マトリクスが一様にまんべんなく分散しているという状態を指す。
【０１９５】
１つの実施形態において、本発明において配置される細胞外マトリクスは、コラーゲンＩ、コラーゲンＩＩＩ、ビトロネクチン、フィブロネクチンなどを含み得る。
【０１９６】
別の実施形態において、本発明において提供される人工組織または複合体は、異種細胞、同種異系細胞、同系細胞または自家細胞を用いることができる。本発明では、同種異系細胞であっても、特に、間葉系細胞を用いた場合、免疫拒絶などの有害な副反応がほとんど生じないことが分かった。従って、本発明は、エキソビボのような治療の他、免疫拒絶抑制剤などを使用せずに、他人の細胞を用いて人工組織を生産して利用するという治療法に途を啓くことになる。
【０１９７】
１つの好ましい実施形態において、本発明において提供される人工組織または複合体が含む細胞は、幹細胞であっても分化細胞であっても両方を含んでいてもよい。好ましい実施形態では、本発明の三次元構造体が含む細胞は、間葉系細胞である。理論に束縛されないが、間葉系細胞が好ましいのは、間葉系細胞自体が心臓など臓器と適合性が優れているからであり、種々の組織または臓器などへ分化する能力を有し得るからである。
【０１９８】
そのような間葉系細胞は、間葉系幹細胞であっても間葉系の分化細胞であってもよい。
【０１９９】
本発明において使用される間葉系細胞としては、例えば、骨髄、脂肪細胞、滑膜細胞、筋芽細胞、骨格筋細胞、などが挙げられるがそれらに限定されない。本明細書において使用される間葉系幹細胞としては、例えば、脂肪組織由来の幹細胞、骨髄由来の幹細胞などを用いることができる。
【０２００】
好ましい実施形態において、本発明において使用される細胞は、人工組織または複合体が適用される被験体に由来する細胞であることが有利である。このような場合、本明細書において使用される細胞は自己細胞ともいわれるが、自己細胞を用いることによって、免疫拒絶反応を防ぐかまたは低減することができる。
【０２０１】
あるいは、別の実施形態では、本発明において使用される細胞は、人工組織または複合体が適用される被験体に由来しない細胞であってもよい。この場合、好ましくは、免疫拒絶反応を防ぐ手段が講じられることが好ましい。
【０２０２】
本発明において提供される人工組織または複合体は、医薬として提供されていてもよい。あるいは、本発明において提供される人工組織または複合体は、医師などが医療現場で調製してもよく、または、医師が細胞を調製した後、その細胞を第三者が培養して三次元構造体として調製し、手術に用いてもよい。この場合、細胞の培養は、医師でなくても、細胞培養の当業者であれば実施することができる。従って、当業者であれば、本明細書における開示を読めば、細胞の種類および目的とする移植部位に応じて、培養条件を決定することができる。
【０２０３】
別の実施形態において、本発明において提供される人工組織または複合体は、単離されていることが好ましい。単離とは、この場合、培養に用いたスキャフォールド、支持体、培養液などから分離されていることを意味する。スキャフォールドなどの物質が実質的に存在しないことによって、本発明において提供される人工組織は、移植後の免疫拒絶反応、炎症反応などの有害反応を抑えることができる。
【０２０４】
本発明において提供される人工組織の底面積は、例えば、１ｃｍ２〜２０ｃｍ２であり得るが、それに限定されず、１ｃｍ２以下でもよく、２０ｃｍ２以上でもいい。本発明の本質は、どのような大きさ（面積、容積）のものでも作製することができる点にあり、サイズに限定されないことが理解される。
【０２０５】
好ましい実施形態において、本発明において提供される人工組織は、肉厚である。肉厚とは、通常移植対象の部位を被覆するに十分な強度を有する程度の厚みをいう。そのような面積は、例えば、少なくとも約５０μｍ以上であり、より好ましくは、少なくとも約１００μｍ以上であり、少なくとも約２００μｍ以上であり、少なくとも約３００μｍ以上であり、さらに好ましくは少なくとも約４００μｍ以上であり、あるいは少なくとも約５００μｍまたは約１ｍｍであることがさらに好ましい。場合によっては、３ｍｍ以上および５ｍｍ以上の厚さのものも作製できることが理解される。あるいは、このような厚さは、１ｍｍ未満であってもよい。本発明の本質は、どのような厚さの組織または複合体でも作製することができる点にあり、サイズに限定されないことが理解される。
【０２０６】
本発明は、スキャフォールドフリーの人工組織または複合体を提供する。このようなスキャフォールドフリーの人工組織を提供することによって、移植後の経過に優れた治療法および治療剤が提供される。
【０２０７】
本発明はまた、スキャフォールドフリーの人工組織という点により、生物製剤における長期にわたる規制の問題の一つである、スキャフォールド自体の混入に起因する問題を一挙に解決する。また、スキャフォールドがないにもかかわらず、治療効果は従来のものに比べても遜色ないどころか、より良好である。
【０２０８】
このほか、スキャフォールドを用いた場合に、スキャフォールド内の移植細胞の配向性、細胞間接着性の問題、スキャフォールド自体の生体における変化（炎症惹起）およびスキャフォールドのレシピエント組織への生着性などの問題を解決することができる。
【０２０９】
本発明において提供される人工組織および複合体はまた、自己組織化しており、内部において生物学的結合が行われているという点で、従来の細胞治療とも一線を画すことができる。
【０２１０】
本発明において提供される人工組織および複合体はまた、三次元形態を容易に形成することができ、所望の形態に容易に設計することができることから、その汎用性に留意されるべきである。
【０２１１】
本発明において提供される人工組織および複合体は、周囲の組織、細胞などの移植後環境との生物学的結合を有することから、術後の定着がよい、細胞が確実に供給されるなどの優れた効果が奏される。本発明の効果としては、このような生物学的結合性の良好さから、他の人工組織などと複合組織を形成することによって複雑な治療を行うことができる点にもある。
【０２１２】
本発明の別の効果は、人工組織および複合体として提供した後、分化誘導をかけることができるという点にある。あるいは、人工組織および／または複合体として提供する前に、分化誘導をかけて、そのような人工組織および／または複合体を形成することができいる点にもある。
【０２１３】
本発明の他の効果は、細胞移植という観点から、従来の細胞のみの移植、シートを用いた移植などと比べて、置換性がよい、被覆することによる総合的な細胞供給などの効果が奏される点にある。
【０２１４】
本発明によって、生物学的結合能を有し、移植可能な人工組織が提供される。このような組織は、上記特徴および効果を有することによって、従来人工物での移植処置が考えられなかった部位の処置が可能になった。本発明において提供される人工組織は、組織内および環境との間で生物学的結合を有しており、実際に移植治療において機能する。このような人工組織は、従来技術では提供されるものではなく、初めて提供されるものである。本発明において提供される人工組織は、移植後の周囲の組織、細胞などと生物学的に結合する能力を有し（好ましくは細胞外マトリクスによる）、従って、術後の経過に優れる。このような生物学的結合能を有する人工組織は、従来存在しておらず、従って、本発明は、従来の人工組織では達成できなかった治療効果を奏することになる。
【０２１５】
さらに、本発明により、疾患部分を充填し、置換させること、および／または疾患部位を被覆することによって治療効果をもたらす医療処置が可能となった。
【０２１６】
また、本発明は、他の人工組織（例えば、ハイドロキシアパタイトでできた人工骨、微線維性コラーゲン医療材料など）とともに用いることにより、他の人工組織と生物学的に結合することによって、従来では達成できなかった人工組織の定着の向上が得られた。このような組織は、複合組織という。
【０２１７】
本発明において提供される人工組織または複合体は、組織全体にフィブロネクチン、ビトロネクチンなどの細胞外マトリクスまたは細胞接着因子が分布、一方細胞シート工学では培養細胞のシャーレへの接着面に細胞接着因子は局在している。そして最たる違いは細胞シート工学ではシートの主体は細胞であり、シートは接着因子のノリを底面に付けた細胞の塊といえるが、本発明者らの人工組織は文字通り細胞外マトリックスが細胞を包んだ「組織」であるという点が従来のものとは顕著に異なるといえる。
【０２１８】
スキャフォールド（基盤）材料を用いない細胞移植方法としては、非特許文献３による温度感受性培養皿を利用した細胞シート工学技術が代表的であり、独創的技術として国際的評価を得ている。しかし、この細胞シート技術を使用する場合、単独のシートでは脆弱であることが多く、移植等の外科的操作に耐えうる強度を得るためにはシートを重ね合わせる操作等の工夫が必要であった。本発明はこのような問題を解決した。
【０２１９】
本研究で開発する細胞・マトリックス複合体は細胞シート技術とは異なり、温度感受性培養皿を必要とせず、また細胞・マトリックスを重層化させることが容易であることが特徴である。げっ歯類のストローマ細胞などのいわゆるＦｅｅｄｅｒ細胞の使用無しに１０層以上に重層した複合体を３週間程度で作成できる技術は世界的に見当たらない。また、細胞のマトリックス産生条件を調節させることにより、特殊な器具を必要とすることなく複合体の把持、移動といった外科的操作が可能となる強度を保持する複合体の作成も可能であり、本発明は、世界的に見ても、細胞移植を確実にかつ安全に行うための独創的で画期的な手法となるという点でも効果を有するといえる。
【０２２０】
別の実施形態において、本発明において提供される人工組織または複合体は、可撓性である。可撓性であることによって、特に、運動性の臓器の補強に適切となる。そのような臓器としては、例えば、心臓、血管、筋肉などが挙げられるがそれらに限定されない。
【０２２１】
別の実施形態において、本発明において提供される人工組織または複合体は、伸縮性を有する。伸縮性を有することによって、伸び縮みする臓器、例えば、心臓、筋肉などにおける適用が可能となる。このような伸縮性は、従来の方法で調製された細胞シートなどでは達成されなかった性質である。好ましくは、本発明において提供される人工組織または複合体は、心臓の拍動運動に耐え得る強度を有する。そのような拍動運動に耐え得る強度とは、例えば、少なくとも天然の心筋が有する強度の少なくとも約５０％以上、好ましくは少なくとも約７５％以上、より好ましくは少なくとも約１００％以上であることが挙げられるがそれらに限定されない。
【０２２２】
好ましい実施形態において、本発明において提供される人工組織または複合体は、三次元方向すべてに生物学的結合がある。従来の方法で調製された人工組織は、二次元方向には生物学的結合がある程度見られるものがあったが、三次元方向にあった組織は調製されていない。従って、本発明において提供される人工組織は、このように三次元方向すべての生物学的結合を有することによって、どのような用途においても実質的に移植可能という性質がもたらされる。
【０２２３】
本発明において提供される人工組織または複合体において指標となる生物学的結合としては、細胞外マトリクスの相互結合、電気的結合、細胞間情報伝達の存在が挙げられるがそれらに限定されない。細胞外マトリクスの相互作用は細胞間の接着を顕微鏡で適宜染色して観察することができる。電気的結合は、電位を測定することによって観察することができる。
【０２２４】
好ましい実施形態において、本発明において提供される人工組織は、臨床適用することができる組織強度を有する。臨床適用することができる組織強度は、適用が意図される部位に応じて変動する。そのような強度は、当業者が本明細書の開示を参照して、当該分野における周知技術を参酌することによって決定することができる。本発明において提供される人工組織は、引っ張り強度は弱くてもいい。そのような引っ張り強度は、細胞・細胞外マトリクス比率におけるマトリクス濃度をあげると強くなり、細胞比率を上げると弱くなる。本発明は、必要に応じて強度も自由に調整できることが特徴の一つである。移植される組織に対して相対的に近似して強くも弱くもできることが特徴である。従って、そのような任意の場所に応じて目的と設定することができることが理解される。
【０２２５】
別の実施形態において、本発明において提供される人工組織または複合体の強度は、自己支持性を有するに十分であることが好ましい。従来の人工組織は、作製後、自己支持性を有していなかった。従って、従来の人工組織を移動させると、少なくとも一部が損傷していた。しかし、本発明の技術を用いた場合、自己支持性を有する人工組織が提供された。従って、本発明は、従来技術では提供できなかった人工組織を提供する。そのような自己支持性は、０．５〜３ｍｍの先端（好ましくは、１〜２ｍｍの太さの先端、さらに好ましくは１ｍｍの太さの先端）を有するピンセットで組織をつまみあげたときに、実質的に破壊されないことが好ましい。ここで、実質的に破壊されないとは、目視によって確認することができるが、上記条件にてつまみ上げた後に、例えば、水漏れ試験を行ったときに、水が漏れないことなどによって確認することができる。あるいは、上述のような自己支持性は、ピンセットではなく、手でつまみあげたときに破壊されないことによっても確認することができる。
【０２２６】
特定の実施形態において、上記臨床適用が意図される部分としては、骨、関節、軟骨、半月、腱、靭帯、腎臓、肝臓、滑膜、心臓などが挙げられるがそれらに限定されない。本発明において提供される人工組織に含まれる細胞の由来は、臨床適用される用途に影響されないことが特徴である。
【０２２７】
また、組織が軟骨である場合、人工組織が該関節内組織の欠損部に移植された後人工的に固定することなく（例えば、２、３分後）、該人工組織が残存していることによって、接着性を検定することができる。
【０２２８】
別の局面において、本発明は、細胞から人工組織を生産するための細胞培養組成物を提供する。この細胞培養組成物は、細胞を維持または増殖させるための成分（例えば、市販される培地など）；および細胞外マトリクス産生促進因子を含む。このような細胞外マトリクス産生促進因子に関する説明は、上述の人工組織生産法において詳述した。従って、この細胞外マトリクス産生促進因子は、アスコルビン酸またはその誘導体（例えば、ＴＧＦ−β１、ＴＧＦ−β３、アスコルビン酸１リン酸またはその塩、アスコルビン酸２リン酸またはその塩、Ｌ−アスコルビン酸またはその塩など）を含む。ここで、本発明の培養組成物において含まれるアスコルビン酸２リン酸またはその塩は、少なくとも０．１ｍＭで存在するか、あるいは濃縮培養組成物の場合は、調製時に少なくとも０．１ｍＭとなるように含まれている。あるいは、アスコルビン酸類は、０．１ｍＭ以上であれば、ほとんど効果は変わらないようである。０．１ｍＭであれば十分であるといえる。ＴＧＦ−β１、ＴＧＦ−β３であれば、１ｎｇ／ｍｌ以上、代表的には、１０ｎｇ／ｍｌの量が十分であり得る。
【０２２９】
あるいは、本発明は、このような細胞外マトリクス産生促進因子を備える、人工組織生産のための組成物を提供し得る。
【０２３０】
本発明において使用される人工組織生産法に用いられる細胞外マトリクス産生促進因子は、アスコルビン酸２リン酸を含む（ＨａｔａＲ，ＳｅｎｏｏＨ．ＪＣｅｌｌＰｈｙｓｉｏｌ．１９８９；１３８（１）：８−１６参照）。本発明では、アスコルビン酸２リン酸を一定量以上加えることによって、細胞外マトリクスの生産が促進され、その結果、得られる人工組織または複合体が硬化され、剥離しやすくなる。この後、剥離の刺激を与えることによって自己収縮が行われる。しかも、このようなアスコルビン酸を加えて培養した後、組織が硬化し、剥離しやすくなる性質を獲得することは、Ｈａｔａらの報告には記載されていない。理論に束縛されないが、一つの顕著な相違点として、Ｈａｔａらは、使用した細胞密度が顕著に異なるという点にある。また、Ｈａｔａらは、硬化効果を示唆すらしておらず、このような硬化および収縮効果、および剥離しやすくなるという効果は、本発明によって初めて見出されたものであり、本発明において提供される人工組織は、従来製造されてきたものとは硬化、収縮、剥離などの手順を経て生産されている点で、少なくとも全く異なるものであるということができる。
【０２３１】
好ましい実施形態では、本発明において使用されるアスコルビン酸２リン酸は、通常少なくとも０．０１ｍＭで存在し、好ましくは少なくとも０．０５ｍＭで存在し、さらに好ましくは少なくとも０．１ｍＭで存在する。より好ましくは少なくとも０．２ｍＭの濃度で、さらに好ましくは少なくとも０．５ｍＭの濃度で存在することが好ましい。さらに好ましくは最低限度の濃度は、１．０ｍＭであり得る。
【０２３２】
細胞密度については、特に限定されないが、１つの実施形態において、細胞は、１ｃｍ２あたり、５×１０４細胞〜５×１０６細胞で配置される。この条件は、例えば、筋芽細胞に適用され得る。この場合、細胞外マトリクス産生促進因子は、アスコルビン酸類として、少なくとも０．１ｍＭ提供されることが好ましい。厚い人工組織が作成可能であるからである。この場合、濃度を増やすと、細胞外マトリクスで密な人工組織が形成される。少ない場合は、細胞外マトリクス量が減少するが、自己支持性は保たれる。
【０２３３】
（ハイドロキシアパタイトおよびハイドロキシアパタイト複合体生成法）
生体骨、歯等は、無機物質であるハイドロキシアパタイト（以下、ハイドロキシアパタイトと略す場合がある）とタンパク質であるコラーゲンが分子レベルで複合化しさらに３次  元的に配列したマトリクスである。そして、骨や歯が損傷した場合の修復には、生体適合性を有するセラミックス材料等が使用できることが知られている。例え  ば、主に歯周充填材として使用される、商品名”Ｂｉｏｇｌａｓｓ”（Ｎｉｐｐｏｎ  Ｅｌｅｃｔｒｉｃ  Ｇｌａｓｓ  Ｃｏ．  Ｌｔｄ．，  Ｏｔｓｕ．  Ｓｉｇａ．Ｊａｐａｎ  製、成分；Ｎａ２Ｏ−ＣａＯ−ＳｉＯ２−Ｐ２Ｏ５）、主に骨充填材として使用される、ハイドロキシアパタイトの焼結体（Ｃａ１０（ＰＯ４）６（ＯＨ）２）、人工すい体および腸骨スペーサー等として使用される、アパタイトとウォラストナイト（ＣａＯ−ＳｉＯ２）とを含む結晶化ガラス（商品名”Ｃｅｒａｂｏｎｅ  Ａ−Ｗ”、Ｎｉｐｐｏｎ  Ｅｌｅｃｔｒｉｃ  Ｇｌａｓｓ  Ｃｏ．Ｌｔｄ．，Ｏｔｓｕ．Ｓｉｇａ．Ｊａｐａｎ  製）等が知られている。これらのセラミックス材料は、骨の代替に使用するために、例えば、金属等の強度の高い材料表面に形成する試みがなされている。また、柔軟性、耐久性に富み、骨以外の人工生体組織等への応用を期待して、加工が容易な各種有機高分子材料の表面上にハイドロキシアパタイト層を形成する方法、いわゆる生体模倣反応と呼ばれる方法が開発されている。この生体模倣反応は、ヒト体液に等しいイオン濃度を有する水溶液（疑似体液）に、ＣａＯとＳｉＯ２と  を主成分とするガラス粒子を浸し、次いで、有機高分子材料を浸漬し、有機高分子材料の表面に多数のアパタイト核を生成させた後、この有機高分子材料のみを疑似体液の１．５倍のイオン濃度を有する水溶液に浸漬させて反応させる方法である。この生体模倣反応によれば、アパタイト核が有機高分子材料上で自然に成長し、緻密で均質な骨類似のハイドロキシアパタイト層が任意の厚さだけ形成されることが報告されている（Ｊ．Ｂｉｏｍｅｄ．Ｍａｔｅｒ．Ｒｅｓ．ｖｏｌ．２９，ｐ３４９−３５７（１９９５））。しかし、この生体模倣反応は、ハイドロキシアパタイトの生成速度が遅く、２週間以上の長期間反応させても、有機高分子材料上に、人工骨に使用し得る程度のハイドロキシアパタイトを生成させることができないのが実状である。
【０２３４】
本発明において使用されるハイドロキシアパタイトの合成法として、カルシウム溶液に材料を浸漬した後、続けてリン酸溶液に浸漬し、この過程を１サイクルとし、これを繰り返してハイドロキシアパタイト層を順次形成させる交互浸漬法を本発明者らの一部が開発した。
【０２３５】
本発明のハイドロキシアパタイト複合体の製造方法では、特定のカルシウム溶液と、特定のリン酸溶液とに、少なくとも表面が親水化された細胞または細胞集合体を交互に浸漬させて、細胞または細胞集合体の少なくとも表面にハイドロキシアパタイトを生成・固定させる工程が包含される。
【０２３６】
本発明の方法において使用されるカルシウム溶液は、カルシウムイオンを含み、かつ、実質的にリン酸イオンを含まない水溶液である。リン酸イオンが存在する場合は、ハイドロキシアパタイトの生成速度が低下する恐れがあるので、カルシウム溶液は、通常、カルシウムイオンを含み、かつ、リン酸イオンを全く含まない水溶液である。カルシウム溶液としては、例えば、塩化カルシウム水溶液、酢酸カルシウム水溶液、塩化カルシウムのトリス緩衝溶液、酢酸カルシウムのトリス緩衝溶液又はこれらの混合物等が挙げられる。カルシウム溶液において、カルシウムイオン濃度は、ハイドロキシアパタイトの生成速度および生成効率を考慮した場合、好ましくは０．０１〜１０モル／リットル、特に好ましくは０．１〜１モル／リットルである。細胞の生存に好ましい濃度としては、１０〜２００ｍＭ、好ましくは、１０〜１００ｍＭ、より好ましくは、１０〜５０ｍＭである。カルシウム溶液のｐＨは特に限定されないが、トリス緩衝溶液を用いる場合には、好ましくはｐＨ６〜１０、特に好ましくはｐＨ７．４である。
【０２３７】
本発明において使用されるリン酸溶液は、リン酸イオンを含み、かつ、実質的にカルシウムイオンを含まない水溶液である。カルシウムイオンが存在する場合は、ハイドロキシアパタイトの生成速度が低下する恐れがあるので、リン酸溶液は、通常、リン酸イオンを含み、かつ、カルシウムイオンを全く含まない水溶液である。リン酸溶液としては、リン酸水素ナトリウム水溶液、リン酸二水素ナトリウムアンモニウム水溶液、リン酸水素ナトリウムのトリス緩衝溶液、リン酸二水素ナトリウムアンモニウムのトリス緩衝溶液又はこれらの混合物等が挙げられる。リン酸溶液において、リン酸イオン濃度は、ハイドロキシアパタイトの生成速度および生成効率を考慮した場合、好ましくは０．０１〜１０モル／リットル、特に好ましくは０．１〜１モル／リットルである。細胞の生存に好ましい濃度としては、１０〜２００ｍＭ、好ましくは、１０〜１００ｍＭ、より好ましくは、１０〜５０ｍＭである。リン酸溶液のｐＨは特に限定されないが、トリス緩衝溶液を用いる場合には、好ましくはｐＨ６〜１０、特に好ましくはｐＨ７．４である。
【０２３８】
本発明において使用されるカルシウム溶液およびリン酸溶液の組合せは特に限定されず、例えば、塩化カルシウム水溶液とリン酸水素ナトリウム水溶液の組合せ、酢酸カルシウム水溶液とリン酸二水素ナトリウムアンモニウム水溶液との組合せ等が挙げられる。前記カルシウム溶液およびリン酸溶液には、本発明の所望の目的が損なわれない範囲において他のイオンが存在していても良いが、２．５ｍＭ以上のマグネシウムイオン（Ｍｇ２＋）が存在する場合には、リン酸三カルシウム（ＴＣＰ）が形成される恐れがあるので好ましくない。
【０２３９】
本発明の製造方法において、カルシウム溶液とリン酸溶液とに細胞または細胞集合体を浸漬させる方法としては、（１）カルシウム溶液に前記細胞または細胞集合体を浸漬させた後に、リン酸溶液に細胞または細胞集合体を浸漬させる操作を１サイクルとして１回以上行う方法、（２）リン酸溶液に前記細胞または細胞集合体を浸漬させた後に、カルシウム溶液に細胞または細胞集合体を浸漬させる操作を１サイクルとして１回以上行う方法等が挙げられる。この際、前記各操作を繰り返して行うことにより、ハイドロキシアパタイトの生成量を増大させることができる。前記操作の繰り返し回数は、通常１〜２００回、好ましくは５〜１００回である。前記操作を繰り返す場合、前記（１）の方法において、必ずしも最終が、リン酸溶液に細胞または細胞集合体を浸漬させることにより終了させる必要は  なく、カルシウム溶液に細胞または細胞集合体を浸漬させて終了させても良い。同様に、前記（２）の方法において、必ずしも最終が、カルシウム溶液に細胞または細胞集合体を浸漬させることに  より終了させる必要はなく、リン酸溶液に細胞または細胞集合体を浸漬させて終了させても良い。この際、カルシウム溶液とリン酸溶液とに細胞または細胞集合体を交互に浸漬させるにあたり、各  浸漬前に、細胞または細胞集合体表面に残存するカルシウムイオン又はリン酸イオン等を水等により洗浄して除去した後に、次の溶液に浸漬させることが好ましい。
【０２４０】
前記カルシウム溶液に前記細胞または細胞集合体を浸漬させる浸漬時間は、ハイドロキシアパタイトの生成速度および生成効率を考慮して適宜選択できる。通常、トータルの浸漬時間は、１０分間〜７日間、好ましくは３０分間〜３日間、特に好ましくは１時間〜２４時間である。一方、前記リン酸溶液に前記細胞または細胞集合体を浸漬させる浸漬時間もハイドロキシアパタイトの生成速度および生成効率を考慮して適宜選択できる。通常、トータルの浸漬時間は、１０分間〜７日間、好ましくは３０分間〜３日間、特に好ましくは１時間〜２４時間である。カルシウム溶液およびリン酸溶液に細胞または細胞集合体を浸漬させる操作を繰り返す場合の各１回あたりの浸漬時間は、前記好ましいトータルの浸漬時間を考慮して適宜選択することができる。前記各溶液に細胞または細胞集合体を浸漬させる際の各溶液の液温は、ハイドロキシアパタイトの生成速度および生成効率を考慮して適宜選択することができ、通常、０〜９０℃、好ましくは４〜８０℃である。
【０２４１】
上述の製造方法により、本発明のハイドロキシアパタイト複合体を得ることができる。この複合体が有するハイドロキシアパタイトは、結晶ハイドロキシアパタイトを含み、その結晶形態が、フレーク状、板状等の種々の形態のアパタイトを形成できる。特に、従来は得られなかった、緻密な層状の一定の結晶面が保持された新規な構造のハイドロキシアパタイトまで得ることが可能である。また、この複合体におけるハイドロキシアパタイト層は、基材に強固に付着しており、高分子鎖とハイドロキシアパタイトが分子レベルで複合化していると考えられる。本発明の複合体において、ハイドロキシアパタイト層の厚さは、細胞または細胞集合体の種類や形状、若しくは複合体を用いる用途等によって適宜選択することができる。例えば、複合体におけるハイドロキシアパタイト層の厚さは、０．０００１〜５ｍｍ程度が適当である。複合体の形状は、細胞または細胞集合体の形状を適宜選択することにより、また複合体を所望形状に加工することによって様々な形状とすることができる。従って、本発明の複合体は、細胞または細胞集合体の種類や形態を適宜選択し、また、複合体を所望形状に加工することにより、人工骨をはじめとする様々な生体適合性材料とすることができる。本発明の複合体には、用途に応じて公知の焼結工程、表面処理工程等を行うことができる。
【０２４２】
本発明の好ましいハイドロキシアパタイトの製造方法では、細胞または細胞集合体として少なくとも表面が親水化された細胞または細胞集合体を用い、かつ交互浸漬法によりハイドロキシアパタイトを生成・固定させるので、細胞または細胞集合体と生成したハイドロキシアパタイトが強固に付着し、しかもハイドロキシアパタイトが結晶性を示すので、骨に近似した組成および構造を備える複合体を速やかに、また容易に得ることができる。この方法により得られる複合体は、人工骨をはじめとする各種生体適合性材料として有用である。
【０２４３】
好ましいハイドロキシアパタイトは、組成が実質的にＣａ１０（ＰＯ４）６（ＯＨ）２を示し、かつ、Ｘ線回折によって測定した結晶構造が、ヒトの骨の結晶構造において特異的な回折ピークである、少なくとも３１〜３２度および２６度にそれぞれ回折ピークを有する。このＸ線回折に用いる装置としては、商品名“Ｇｅｉｇｅｒｆｌｅｘ２０１３”（ＲｉｇａｋｕＣｏ．，Ｔｏｋｙｏ，Ｊａｐａｎ製）等が使用できる。またＸ線回折の条件としては、Ｘ線；ＣｕＫα／３０ｋＶ／１５ｍＡ、スキャンスピード；２度／分の条件等が挙げられる。
【０２４４】
好ましいハイドロキシアパタイトにおいて、組成が実質的にＣａ１０（ＰＯ４）６（ＯＨ）２を示すとは、製造時等における不可避成分が含まれていても良く、また、製造時における溶存する炭酸イオンの影響による炭酸アパタイトおよび／又はＣａが一部欠損したアパタイトを含んでいても良い意味である。更に、本発明のハイドロキシアパタイトの結晶構造は、ヒトの骨と近似するものであれば、Ｘ線回折において、前記特異的な回折ピーク以外に他のピークを有していても良い。
【０２４５】
本発明の好ましいハイドロキシアパタイトを製造するには、例えば、特定の第１の水溶液と、特定の第２の水溶液とに、細胞または細胞集合体を浸漬させて、細胞または細胞集合体の少なくとも表面に本発明のハイドロキシアパタイトを生成させる工程（Ａ）と、細胞または細胞集合体から本発明のハイドロキシアパタイトを回収する工程（Ｂ）とを必須の工程として行う方法等により得ることができる。
【０２４６】
本発明の方法において用いられる工程（Ａ）に用いる特定の第１の水溶液は、カルシウムイオンを含み、かつ、実質的にリン酸イオンを含まない水溶液である。リン酸イオンが存在する場合は、本発明のハイドロキシアパタイトの生成速度が低下する恐れがあるので、第１の水溶液は、通常、カルシウムイオンを含み、かつ、リン酸イオンを全く含まない水溶液である。第１の水溶液としては、例えば、塩化カルシウム水溶液、酢酸カルシウム水溶液、塩化カルシウムのトリス緩衝溶液、酢酸カルシウムのトリス緩衝溶液又はこれらの混合物等が挙げられる。
【０２４７】
本発明の方法において用いられる第１の水溶液において、カルシウムイオン濃度は、本発明のハイドロキシアパタイトの生成速度および生成効率を考慮した場合、好ましくは０．０１〜１０モル／リットル、特に好ましくは０．１〜１モル／リットルである。第１の水溶液のｐＨは特に限定されないが、トリス緩衝溶液を用いる場合には、好ましくはｐＨ６〜１０、特に好ましくはｐＨ７．４である。
【０２４８】
本発明の方法において用いられる工程（Ａ）に用いる特定の第２の溶液は、リン酸イオンを含み、かつ、実質的にカルシウムイオンを含まない水溶液である。カルシウム酸イオンが存在する場合は、本発明のハイドロキシアパタイトの生成速度が低下する恐れがあるので、第２の水溶液は、通常、リン酸イオンを含み、かつ、カルシウムイオンを全く含まない水溶液である。第２の水溶液としては、リン酸水素ナトリウム水溶液、リン酸二水素ナトリウムアンモニウム水溶液、リン酸水素ナトリウムのトリス緩衝溶液、リン酸二水素ナトリウムアンモニウムのトリス緩衝溶液又はこれらの混合物等が挙げられる。
【０２４９】
本発明の方法において用いられる第２の水溶液において、リン酸イオン濃度は、本発明のハイドロキシアパタイトの生成速度および生成効率を考慮した場合、好ましくは０．０１〜１０モル／リットル、特に好ましくは０．１〜１モル／リットルである。第２の水溶液のｐＨは特に限定されないが、トリス緩衝溶液を用いる場合には、好ましくはｐＨ６〜１０、特に好ましくはｐＨ７．４である。
【０２５０】
本発明の方法において用いられる第１の水溶液および第２の水溶液の組合わせは特に限定されず、例えば、塩化カルシウム水溶液とリン酸水素ナトリウム水溶液の組合わせ、酢酸カルシウム水溶液とリン酸二水素ナトリウムアンモニウム水溶液との組合せ等が挙げられる。
【０２５１】
本発明の方法において用いられる第１の水溶液および第２の水溶液には、本発明の所望の目的が損なわれない範囲において他のイオンが存在していても良いが、２．５ｍＭ以上のマグネシウムイオン（Ｍｇ２＋）が存在する場合には、リン酸三カルシウム（ＴＣＰ）が形成される恐れがあるので好ましくない。
【０２５２】
本発明の方法において用いられる工程（Ａ）に用いる細胞または細胞集合体としては、本明細書において説明される任意の細胞を用いることができる。
【０２５３】
本発明の方法において用いられる各種金属としては、ステンレス、チタン、プラチナ、タンタル、コバルト、クロム、モリブデン、又はこれら２種以上の金属の合金；チタニアゲル等のチタンを使用したゾルゲル法生成物等が挙げられる。
【０２５４】
前記工程（Ａ）において、第１の水溶液と第２の水溶液とに細胞または細胞集合体を浸漬させる方法としては、（１）第１の水溶液に細胞または細胞集合体を浸漬させた後に、第２の水溶液に細胞または細胞集合体を浸漬させる操作を１回以上行う方法、（２）第２の水溶液に細胞または細胞集合体を浸漬させた後に、第１の水溶液に細胞または細胞集合体を浸漬させる操作を１回以上行う方法等が挙げられる。この際、前記各操作を繰り返して行うことにより、本発明のハイドロキシアパタイトの生成量を増大させることができる。前記操作の繰り返し回数は、通常２〜２０回、好ましくは５〜１０回である。前記操作を繰り返す場合、前記（１）の方法において、必ずしも最終が、第２の水溶液に細胞または細胞集合体を浸漬させることにより終了させる必要はなく、第１の水溶液に細胞または細胞集合体を浸漬させて終了させても良い。同様に、前記（２）の方法において、必ずしも最終が、第１の水溶液に細胞または細胞集合体を浸漬させることにより終了させる必要はなく、第２の水溶液に細胞または細胞集合体を浸漬させて終了させても良い。
【０２５５】
前記第１の水溶液に細胞または細胞集合体を浸漬させる浸漬時間は、本発明のハイドロキシアパタイトの生成速度および生成効率を考慮して適宜選択できる。通常、トータルの浸漬時間は、１０分間〜７日間、好ましくは３０分間〜３日間、特に好ましくは１時間〜２４時間である。一方、前記第２の水溶液に細胞または細胞集合体を浸漬させる浸漬時間も本発明のハイドロキシアパタイトの生成速度および生成効率を考慮して適宜選択できる。通常、トータルの浸漬時間は、１０分間〜７日間、好ましくは３０分間〜３日間、特に好ましくは１時間〜２４時間である。第１の水溶液および第２の水溶液に細胞または細胞集合体を浸漬させる操作を繰り返す場合の各１回あたりの浸漬時間は、前記好ましいトータルの浸漬時間を考慮して適宜選択することができる。例えば、各回の浸漬時間は、１０秒〜１分間であり得る。これを１０〜１００回、例えば、１０サイクル、２０サイクル、３０サイクル繰り返すことができる。
【０２５６】
本発明の方法において用いられる各水溶液に細胞または細胞集合体を浸漬させる際の各水溶液の液温は、本発明のハイドロキシアパタイトの生成速度および生成効率を考慮して適宜選択することができ、通常、０〜９０℃、好ましくは４〜８０℃である。
【０２５７】
以上の工程（Ａ）により、細胞または細胞集合体の少なくとも表面、細胞または細胞集合体の種類および形態等によっては、細胞または細胞集合体の内部にまで本発明のハイドロキシアパタイトを付着形成させることができる。通常、細胞または細胞集合体の表面においては、本発明のハイドロキシアパタイトは層状に付着形成される。この工程（Ａ）により得られる本発明のハイドロキシアパタイトと細胞または細胞集合体との複合体は、後述する本発明の複合体、人工生体組織、医療用材料に使用することができる。
【０２５８】
本発明の好ましいハイドロキシアパタイトを製造するには、次いで、細胞または細胞集合体から本発明のハイドロキシアパタイトを回収する工程（Ｂ）を行う。
【０２５９】
得られる本発明のハイドロキシアパタイトは、そのまま、若しくは所望形状に成型加工したり、各種公知の焼結処理や表面処理等を行うことにより、各種医療用材料の製造に使用することができる。
【０２６０】
本発明の好ましい複合体は、細胞または細胞集合体の少なくとも表面に、また細胞または細胞集合体の種類および形態によっては、細胞または細胞集合体の内部にまで前記本発明のハイドロキシアパタイトを備えている。細胞または細胞集合体上に形成された本発明のハイドロキシアパタイトは、通常、層状であるが、層の厚さは、細胞または細胞集合体の種類や形状、若しくは複合体を用いる用途等によって適宜選択することができる。例えば、複合体における本発明のハイドロキシアパタイト層の厚さは、０．０００１〜５ｍｍ程度が適当である。複合体の形状は、細胞または細胞集合体の形状を適宜選択することにより、また複合体を所望形状に加工することによって様々な形状とすることができる。
【０２６１】
従って、本発明の複合体は、細胞または細胞集合体の種類や形態を適宜選択し、また、複合体を所望形状に加工することにより、人工骨をはじめとする様々な人工生体組織とすることができる。例えば、複合体の細胞または細胞集合体が、前述の有機高分子重合体の中でも柔軟性を有する、ハイドロゲル材料等の有機高分子重合体である場合、弾力性に富、軟骨様の形状維持と、本発明のハイドロキシアパタイトによる優れた生体適合性を兼ね備えた複合体とすることができる。このような複合体は、生体内における肉組織との密着性も良好であり、弾力性にも富み、ねじれ等に対する耐久性にも優れるので、従来のセラミックス材料では実施が困難であった様々な人工生体組織への応用が可能である。
【０２６２】
本発明の好ましい複合体を製造するには、例えば、前述した工程（Ａ）により製造することができる。細胞または細胞集合体の種類は、前述の具体例のものが好ましく挙げられ、用途に応じて適宜選択することができる。また、工程（Ａ）の後、所望形状に加工したり、公知の焼結工程、表面処理工程等を行うことができる。
【０２６３】
本発明の好ましいハイドロキシアパタイトは、骨に近似した組成と結晶構造の両方を備えるので、人工骨をはじめとする各種生体組織として有用である。
【０２６４】
（発明を実施するための最良の形態）
以下に本発明の最良の形態を説明する。以下に提供される実施形態は、本発明のよりよい理解のために提供されるものであり、本発明の範囲は以下の記載に限定されるべきでないことが理解される。従って、当業者は、本明細書中の記載を参酌して、本発明の範囲内で適宜改変を行うことができることは明らかである。
【０２６５】
（複合体）
１つの局面では、本発明は、細胞と、ハイドロキシアパタイトとの複合体を提供する。
【０２６６】
好ましい実施形態において、本発明の複合体中に含まれるハイドロキシアパタイトは、前記細胞の表面に付着される。この付着は、どのような形態であってもよいが、好ましくは、ハイドロキシアパタイトは、前記細胞の表面に直接結合していることが好ましい。より好ましくは、ハイドロキシアパタイトは、前記細胞の細胞膜表面上に微結晶が形成された状態で存在する。
【０２６７】
１つの好ましい実施形態では、本発明の複合体中に含まれる細胞は、三次元組織構造を有する。好ましくは、この細胞は、第三次元方向に生物学的に結合されている（ｉｎｔｅｇｒａｔｅｄ）。より好ましくは、この細胞は、周囲との生物学的結合能（ｉｎｔｅｇｒａｔｉｏｎ  ｃａｐａｂｉｌｉｔｙ）を有する。このような生物学的結合能は、周囲の細胞および／または細胞外マトリクスとの接着能を含んでいてもよい。これらの結合は、本明細書において記載される任意の方法によって測定することができる。これらの結合を有することは、骨などの三次元構造を構成するにおいて機能的に存在することができ、移植に適しているからである。
【０２６８】
１つの好ましい実施形態では、本発明に含まれる細胞に由来する細胞外マトリクスを含む。ここで含まれる細胞外マトリクスとしては、コラーゲンＩ、コラーゲンＩＩＩ、ビトロネクチンおよびフィブロネクチンなどを含んでいてもよい。好ましくは、コラーゲンとして、１０〜９０％のコラーゲンＩ、９０〜１０％のコラーゲンＩＩＩを含有するのものでもよい。ここで含まれる細胞外マトリクスとしては、１０〜９０％のコラーゲンＩを含んでいてもよい。ここで含まれる細胞外マトリクスとしては、１０〜９０％のコラーゲンＩＩを含んでいてもよい。ここで含まれる細胞外マトリクスとしては、１０〜９０％のコラーゲンＩＩＩを含んでいてもよい。１つの好ましい実施形態では、本発明に含まれる細胞に由来するプロテオグリカンを含む。ここで含まれるプロテオグリカンとしては、ヒアルロン酸、フィブロネクチンなどを含みうる。ここで含まれるプロテオグリカンとしては、ヒアルロン酸を少なくとも０．１〜９０％含有してもよい。ここで含まれるプロテオグリカンとしては、フィブロネクチンを少なくとも０．１〜９０％含有してもよい。
【０２６９】
１つの実施形態では、細胞外マトリクスが前記細胞と前記ハイドロキシアパタイトとの間に配置される。ここで、好ましい実施形態では、細胞外マトリクスが複合体中に分散して配置される。
【０２７０】
１つの好ましい実施形態では、ハイドロキシアパタイトは、結晶として存在する。結晶として存在することが好ましい理由としては、例えば、結晶として存在することが好ましい理由としては、例えば、力学的強度、弾性率、細胞接着性、タンパク質吸着性、コラーゲン繊維の配向性、という理由が挙げられる。結晶状態としては、例えば、六方晶、板状、棒状、粒子状、棒状粒子などであり、骨の結晶化度と同様に、結晶化度が６０％以下が望ましい
１つの実施形態では、本発明の複合体において使用される細胞は、幹細胞である。幹細胞を用いることによって、種々の再生治療に応用することができる。好ましくは、この細胞は、組織幹細胞である。組織幹細胞は、種々の組織から採取することができ、倫理的に問題が少なく、しかも、ある程度運命が決まっていることから、運命が決まった用途に用いる場合にとくに好ましい。ここで用いられる細胞は、コラーゲンを発現する細胞である。好ましくは細胞は、Ｉ型コラーゲンおよびＩＩＩ型コラーゲンを発現する細胞である。このような細胞は、骨移植に使用する複合体として好適に使用されることができる。
【０２７１】
好ましい実施形態では、細胞は、間葉系幹細胞である。このような幹細胞は、例えば、骨髄、脂肪等から採取することができる。
【０２７２】
好ましい実施形態では、細胞は、生きた細胞である。複合体中で生きた細胞を含ませることは、従来の技術では達成されておらず、本発明において初めて提供されたといえ、その意味で本発明は画期的であるといえる。このような生きている状態は、複合体形成前のＤＮＡ量に比べ、少なくとも５０％のＤＮＡ量を保持することを確認すること、または生細胞検出法によって検出されることによって測定することができる。生細胞検出法は、ＭＴＴアッセイまたはＷＳＴ−１アッセイであり得る。
【０２７３】
（ハイドロキシアパタイト製造法）
１つの局面において、本発明は、カルシウムイオンを含み、かつ、実質的にリン酸イオンを含まないカルシウム溶液と、リン酸イオンを含み、かつ、実質的にカルシウムイオンを含まないリン酸溶液とに、細胞または細胞集団を交互に浸漬させて、該細胞または細胞集団の少なくとも表面にハイドロキシアパタイトを生成および固定させる工程を含む、ハイドロキシアパタイト複合体の製造方法を提供する。
【０２７４】
１つの実施形態では、細胞または細胞集団が、人工組織である。人工組織がハイドロキシアパタイトと複合体形成をさせることは従来できておらず、本発明において、このような人工組織として初めてのものが提供されることになる。このような細胞または細胞集団が、幹細胞を含むことが好ましい。
【０２７５】
１つの実施形態では、実質的にカルシウムイオンを含まない濃度とは、ハイドロキシアパタイトの形成が進行しない濃度である。このような濃度とは、０．００１〜０．１ｍＭ程度の濃度であるが、情況、環境によって変動し、そのような値は、当業者が適宜決定することができる。
【０２７６】
１つの実施形態では、実質的にリン酸イオンを含まない濃度とは、ハイドロキシアパタイトの形成が進行しない濃度である。このような濃度とは、０．００１〜０．１ｍＭ程度の濃度であるが、情況、環境によって変動し、そのような値は、当業者が適宜決定することができる。
【０２７７】
１つの実施形態では、ハイドロキシアパタイトの生成および固定させる工程の後、前記複合体における細胞表面でのハイドロキシアパタイトの沈着度を確認し、その結果に基づき該生成および固定させる工程を反復する工程を包含する。本発明の好ましい実施形態における特徴の一つは、交互浸漬時間を極端に短くし（例えば、代表的には１０分以下、例えば、１分以下、例示として１０秒間）、また、カルシウムとリン酸の溶液濃度を１０ｍＭ程度と低くすることで、細胞への影響をなるべく低くした点にある。従って、細胞に影響を与えない限り、この浸漬時間は長くしてもよく（例えば、３０分、１時間等の時間でもよいことが分かっている。）、ハイドロキシアパタイトが沈着する限り１０秒より短くてもよいことが理解される。従って、浸漬時間としては、例えば、１時間、３０分間等の数時間単位、数十分単位でもよく、好ましくは、１分、５０秒間、４０秒間、３０秒間、２０秒間、１０秒間、ハイドロキシアパタイトの沈着が確認される限り、１０秒間以下の短い時間であってもよい。なお、１０秒間でも十分ハイドロキシアパタイトが沈着していることから、本発明は、このような方法により、簡便かつ効率よく複合体を作製することを見出した点にその効果の一つがあるというべきである。
【０２７８】
好ましい実施形態では、使用されるリン酸イオンおよび／またはカルシウムイオンの濃度について、細胞の生存に好ましい濃度としては、１０〜２００ｍＭ、好ましくは、１０〜１００ｍＭ、より好ましくは、１０〜５０ｍＭである。
【０２７９】
１つの局面において、本発明は、本発明の製造方法により得られたことを特徴とするハイドロキシアパタイト複合体を提供する。
【０２８０】
１つの別の局面において、本発明は、本発明の複合体から実質的になる生体適合性材料を提供する。このような材料は、移植手術に使用することができる。
【０２８１】
以下に、実施例に基づいて本発明を説明するが、以下の実施例は、例示の目的のみに提供される。従って、本発明の範囲は、実施例のみに限定されるものではなく、特許請求の範囲によってのみ限定される。
【実施例】
【０２８２】
以下の実施例では、対象となる患者からはすべて事前に告知しコンセントもらった上で実験を行った。動物の取り扱いは、大阪大学において規定される基準を遵守した。以下の実施例で使用した試薬は、和光純薬、シグマ・アルドリッチジャパンなどから入手した。
【０２８３】
（調製例１：滑膜細胞）
本調製例では、種々の滑膜細胞を用いて、人工組織すなわち細胞集合体を作製した。以下に説明する。
【０２８４】
＜細胞の準備＞
ブタ（ＬＷＤ三元交配種、細胞採取時には２〜３月齢のものを使用）膝関節より滑膜細胞を採取し、コラゲナーゼ処理後、１０％ＦＢＳ−ＤＭＥＭ培地（ＨｙＣｌｏｎｅから入手可能、ＤＭＥＭはＧＩＢＣＯから入手したものを使用）にて培養および継代を行った。継代数について、滑膜細胞においては１０継代にても多分化能を有するという報告もあることから、本実施例においては最大１０継代まで使用したが、用途に応じてそれ以上の継代細胞も用いることが理解される。実際に人体に移植する場合には自家移植であるが、十分な細胞数の確保しつつ、感染等の危険性を軽減するために培養期間の短縮する必要がある。
【０２８５】
これらを考慮して、種々の継代細胞を用いた。実際に行った細胞は、初代培養細胞、１継代、２継代、３継代、４継代、５継代、６継代、８継代、１０継代のものを実験した。これらを用いて、人工組織を用いた。
【０２８６】
＜人工組織の作製＞
３５ｍｍ皿、６０ｍｍ皿または１００ｍｍ皿（ＢＤ  Ｂｉｏｓｃｉｅｎｃｅｓ、セルカルチャー皿・マルチウェルセルカルチャープレート）の上に４．０ｘ１０６個の滑膜細胞を２ｍｌの１０％ＦＢＳ−ＤＭＥＭ培地にまきこんで培養した。その際にアスコルビン酸を添加した。皿、アスコルビン酸および細胞の濃度は、以下のとおりである。
皿：ＢＤ  Ｂｉｏｓｃｉｅｎｃｅｓ、細胞培養皿・マルチウェル細胞培養プレート
アスコルビン酸２リン酸：０ｍＭ、０．１ｍＭ、０．５ｍＭ、１ｍＭ、２ｍＭ、および５ｍＭ
細胞数：５×１０４細胞／ｃｍ２、１×１０５細胞／ｃｍ２、２．５×１０５細胞／ｃｍ２、４．０×１０５細胞／ｃｍ２、５×１０５細胞／ｃｍ２、７．５×１０５細胞／ｃｍ２、１×１０６細胞／ｃｍ２、５×１０６細胞／ｃｍ２、および１×１０７細胞／ｃｍ２
予定培養期間まで、２回／週で培地交換を行った。培養期間に達したら、皿周囲を全周性に１００μｌのピペットマンでピペッティングを行いながら、細胞シートと皿を分離した。分離できたら皿を軽く揺することにより細胞シートを可能な限り平坦にした。その後培地を１ｍｌ追加し、細胞シートを完全に浮遊させ、２時間放置することにより細胞シートが収縮をおこし、３次元化することにより人工組織を作製した。
【０２８７】
（ヘマトキシリン・エオジン（ＨＥ）染色）
細胞における支持体の定着・消長を観察するために、ＨＥ染色を行った。その手順は以下のとおりである。必要に応じて脱パラフィン（例えば、純エタノールにて）、水洗を行い、オムニのヘマトキシリンでサンプルを１０分浸した。その後流水水洗し、アンモニア水で色出しを３０秒間行った。その後、流水水洗を５分行い、塩酸エオジン１０倍希釈液で２分間染色し、脱水し、透徹し、封入する。
【０２８８】
（各種細胞外マトリクス）
１）凍結ストックから、５μｍ厚の切片を作製する。
【０２８９】
２）−２０℃で５−１０分間にわたり、アセトン中でこの切片を固定する（パラフィンブロックは、パラフィン除去し再水和する必要がある）
３）内因性ペルオキシド活性は、メタノール中０．３％Ｈ２Ｏ２中で２０分間室温でブロックする（１ｍｌ  ３０％Ｈ２Ｏ２＋９９ｍｌメタノール）
４）ＰＢＳで洗浄する（３×５分）。
【０２９０】
５）モノクローナル一次抗体（各種細胞外マトリクスに対するマウスまたはウサギ抗体）（１μｌ抗体＋２００μｌＰＢＳ／スライド）と４℃で湿式チャンバー内で一晩インキュベートする。
【０２９１】
６）翌日ＰＢＳで洗浄する（３×５分）。
【０２９２】
７）抗マウスおよび抗ウサギのｎｏ．１ビオチン化結合を、３０分−１時間室温で適用する（３滴を直接スライドにたらす）。
【０２９３】
８）ＰＢＳで洗浄する（３×５分）。
【０２９４】
９）ストレプトアビジンＨＲＰ  ｎｏ．２を、ＬＳＡＢについてたらし１０１５分間浸す。
【０２９５】
１０）ＰＢＳで洗浄する（３×５分）。
【０２９６】
１１）ＤＡＢをたらす（５ｍｌ  ＤＡＢ＋５μｌ  Ｈ２Ｏ２）
１２）茶っぽい色を顕微鏡で観察する。
【０２９７】
１３）水中に５分ほど浸す。
【０２９８】
１４）ＨＥを３０秒−１分間浸す。
【０２９９】
１５）数回洗浄する。
【０３００】
１６）イオン交換水で１回洗浄する。
【０３０１】
１７）８０％エタノールで１分洗浄する。
【０３０２】
１８）９０％エタノールで１分洗浄する。
【０３０３】
１９）１００％エタノールで１分洗浄する。（３回）
２０）キシレンで３回×１分間洗浄する。その後カバースリップをかける。
【０３０４】
２１）発色を見る。
【０３０５】
その結果、細胞外マトリックス産生促進因子としてアスコルビン酸２リン酸を添加した場合、細胞の重層化はわずかに認められるのみである。他方、シート状のこの細胞を培養底面より剥離させ自己収縮させることにより、左に示されるように、重層化が進展し三次元化が促進されることが観察された。滑膜細胞を用いた場合でも、孔のない大きな組織が作製された。この組織は、厚みがあり、細胞外マトリクスに富む組織であった。０．１ｍＭ以上添加した場合、細胞外マトリックスの形成が促進したことが分かる。培養３日ですでに、剥離が可能になる程度に組織が強固になることが分かる。培養日数が増すと、細胞外マトリクス密度は変動し、増加していく。
【０３０６】
これらが、培養皿底面より剥離し自己収縮をさせた人工組織であった。人工組織はシート状で作製され、皿から剥離した後に放置すると、自己収縮を起こし、三次元化が進む。組織所見により、細胞が幾層にもわたり点在して重層化しているのがわかる。
【０３０７】
次に細胞外マトリクスを含む種々のマーカーを染色した。
【０３０８】
種々の細胞外マトリクス（コラーゲンＩ型、ＩＩ型、ＩＩＩ型、ＩＶ型、フィブロネクチン、ビトロネクチンなど）が存在したことがわかる。免疫染色で、コラーゲンＩおよびＩＩＩは強く染色されたが、コラーゲンＩＩの染色は一部に限局していた。強拡でみると、コラーゲンは、核から少し離れた部位で染色されており、細胞外マトリックスであることが確認できる。一方、細胞接着因子として重要とされているフィブロネクチン、ビトロネクチンは、強拡でみると、コラーゲンとは異なり、核に密接する領域にも染色されており、細胞周囲にも存在することが確認できる。
【０３０９】
また、人工組織の作製には、３〜８継代が好ましいようであるが、どのような継代でも使用可能なようである。
【０３１０】
対比例として、正常組織およびコラーゲンスポンジ（ＣＭＩ，Ａｍｇｅｎ、ＵＳＡ）での染色例を示す。例えば、正常組織（正常滑膜組織、腱組織、軟骨組織、皮膚および半月組織）と、対比例として用いた市販のコラーゲンスポンジの染色例を対比することができる。フィブロネクチン、ビトロネクチン、ネガティブコントロール、およびＨＥ染色を用いることができる。従来の人工組織は、フィブロネクチンおよびビトロネクチンでは染色されない。このことから、本発明において用いられ得る人工組織は、従来の人工組織とは異なり、また、既存のコラーゲンスキャフォールドでは、フィブロネクチンおよびビトロネクチンの接着因子は含まれておらず、その意味でも、本発明の組織の独創性が明らかになる。どの細胞外マトリクスでも染色されない。正常組織と本実施例の人工組織とを比べると、人工組織の癒合の様子が自然に近いことが確認される。
【０３１１】
なお、本発明の人工組織は、水分除去のための濾紙に接触させたところ、濾紙に接着し、手で剥離することが困難であった。
【０３１２】
さらに、ヒドロキシプロリンの量から、０．１ｍＭ以上のアスコルビン酸２リン酸を加えたときに、コラーゲンの生産が有意に促進されることが明らかになった。産生量は、培養期間にほぼ比例していた。
【０３１３】
（生物学的結合（ｉｎｔｅｇｒａｔｉｏｎ）の確認）
従来のコラーゲンゲルを用いた場合に移植後に生物学的結合を確実にできないことが知られている。本実施例において、従来のコラーゲンゲル（商品名３％タイプＩコラーゲン、高研（株）、Ｔｏｋｙｏ，Ｊａｐａｎ）を用いてその中に滑膜細胞（１０５細胞／ｍｌ）を包埋し、軟骨欠損部に移植するとコラーゲンゲルと隣接軟骨間の結合が不十分で亀裂を認めた。
【０３１４】
他方、本発明で製造した人工組織をインビボでブタ体内に導入すると、組織学上、生物学的結合が成立していることが分かる。
【０３１５】
（調製例２：脂肪由来組織）
次に、脂肪組織由来の細胞を用いて人工組織を作製した。
【０３１６】
Ａ）細胞は、以下のようにして採取した。
【０３１７】
１）膝関節の脂肪パッド（ｆａｔーｐａｄ）より検体を採取した。
【０３１８】
２）この検体をＰＢＳを用いて洗浄した。
【０３１９】
３）この検体をできるだけ細かく鋏で切り刻んだ。
【０３２０】
４）コラゲナーゼ（０．１％）１０ｍｌを加え、３７℃水浴にて１時間振盪した。
【０３２１】
５）ＤＭＥＭ（１０％ＦＢＳ補充）を同量加えて、７０μｌのフィルター（Ｍｉｌｌｉｐｏｒｅなどから入手可能）に通した。
【０３２２】
６）フィルターを通った細胞およびフィルターに残った残渣を１０％  ＦＢＳを補充したＤＭＥＭ５ｍｌに入れて２５ｃｍ２フラスコ（Ｆａｌｃｏｎなどから入手可能）において培養した。
【０３２３】
７）フラスコの底面に張り付いた細胞（間葉系幹細胞を含む）を取り出して以下の人工組織作製に供した。
【０３２４】
Ｂ）人工組織の作製法
次に、この脂肪由来の細胞を用いて人工組織を作製した。アスコルビン酸２リン酸は、０ｍＭ（なし）、０．１ｍＭ、０．５ｍＭ、１．０ｍＭ、５．０ｍＭの条件を用いた。作製は、上記滑膜細胞を作製した方法（実施例１に記載される）に準じて行った。初期の播種条件としては、５×１０４細胞／ｃｍ２を用いた。培養日数は１４日間を採用した。脂肪組織由来の細胞からも人工組織は作成され、滑膜細胞由来人工組織と同様にフィブロネクチンおよびビトロネクチンが豊富に存在していた。またコラーゲンＩ，  ＩＩＩについても同様豊富に発現していた。
【０３２５】
アスコルビン酸２リン酸  ０ｍＭ：接線係数（ヤング率）０．２８
アスコルビン酸２リン酸  １．０ｍＭ：接線係数（ヤング率）１．３３
（調製例３：ヒト脂肪細胞からの人工組織の作製）
局所麻酔により、ヒト患者の採取予定部（例えば、膝関節周囲）に小切開を加え、脂肪細胞数十ｍｇを採取する。採取した脂肪細胞は、滑膜細胞と同様の処理を行うことによって、三次元の人工組織を作製することができる。
【０３２６】
（実施例１：交互浸漬法による細胞ハイドロキシアパタイト複合体の調製）
本実施例では、交互浸漬法による細胞ハイドロキシアパタイト複合体の調製を実施した。そのプロトコールを以下に示す。細胞または細胞集合は、調製例において調製されたものを使用した。
【０３２７】
１．２００  ｍＭの塩化カルシウム／０．０５  Ｍトリス緩衝液（ｐＨ＝７．４）の溶液５  ｍＬに
３ＤＳＴを１０秒間浸漬した。
【０３２８】
２．洗浄用の０．０５  Ｍトリス緩衝液（ｐＨ＝７．４）の溶液５  ｍＬに１０秒間浸漬すること
で過剰吸着したカルシウムイオンを除去した。
【０３２９】
３．１２０  ｍＭのリン酸水素２ナトリウム／０．０５  Ｍトリス緩衝液（ｐＨ＝７．４）の溶液
５  ｍＬに３ＤＳＴを１０秒間浸漬した。
【０３３０】
４．洗浄用の０．０５  Ｍトリス緩衝液（ｐＨ＝７．４）の溶液５  ｍＬに１０秒間浸漬すること
で過剰吸着したリン酸イオンを除去した。
【０３３１】
上記４ステップを１サイクルとし、適宜回数を繰り返した。
【０３３２】
模式図を図１Ａに示す。実際のサイクルの模様は、図１Ｂに示す。
【０３３３】
図２に、上記濃度のカルシウムとリン酸溶液を用いて５×２０サイクル交互浸漬を繰り返した後の三次元組織（３ＤＳＴともいう）の写真を示す。
【０３３４】
図３は、上記濃度のカルシウムとリン酸溶液を用いて５・１０・２０サイクル交互浸漬を行った３ＤＳＴを、１０％ホルマリン溶液に１０分間浸漬することで固定化し、凍結乾燥機を用いて３日間凍結乾燥を行った後に赤外吸収スペクトル測定機を用いて解析を行い多結果を示す。アパタイトに特徴的な５６０、６００、９６０、１０７０ｃｍ−１の吸収スペクトルの発現を確認した。
【０３３５】
図４は、上記濃度のカルシウムとリン酸溶液を用いて５・１０・２０サイクル交互浸漬を行った３ＤＳＴを、１０％ホルマリン溶液に１０分間浸漬することで固定化し、凍結乾燥機を用いて３日間凍結乾燥を行った後にＸ線回折測定機を用いて測定した結果を示す。アパタイトの結晶構造に特異的な２６、３２、３９（ｄｅｇｒｅｅ）のピークを確認した。
【０３３６】
図５は、上記濃度のカルシウムとリン酸溶液を用いて１０・２０サイクル交互浸漬を行った３ＤＳＴを、１０％ホルマリン溶液に１０分間浸漬することで固定化し、５０％、６０％、７０％、８０％、９０％、１００％エタノールに各１０分間ずつ浸漬し、１００％ｔｅｒｔ−ブタノールに１０分間浸漬した後に一晩冷凍庫で凍結し、凍結乾燥機を用いて３時間凍結乾燥を行った後に、走査型電子顕微鏡にてアパタイト複合化３ＤＳＴの様子を観察した結果を示す。左上の０ｃｙｃｌｅは４５０倍、２０ｃｙｃｌｅ右上は３０００倍、右下は３５０００倍の写真である。
【０３３７】
（実施例２：細胞の生存状態の確認）
実施例２では、実施例１にて作製した複合体中において細胞が生存しているかどうかを確認した。その結果を図６に示す。
【０３３８】
図６に示すように、３×１０４ｃｅｌｌ／ｃｍ２の細胞濃度でカバーガラスに２４時間接着させたヒト滑膜細胞を、１０、５０、１００、２００  ｍＭの塩化カルシウム／０．０５  Ｍトリス緩衝液（ｐＨ＝７．４）とリン酸水素２ナトリウム／０．０５  Ｍトリス緩衝液（ｐＨ＝７．４）を用いて１０・２０サイクル交互浸漬を行い、ＬＩＶＥ／ＤＥＡＤ染色により細胞の生存・死滅を確認した（３ＤＳＴは用いず、細胞を直接交互浸漬することでカルシウムとリン酸溶液の濃度が細胞に与える毒性を評価した）。この結果より、５０  ｍＭ以下のカルシウム・リン酸溶液は細胞毒性を示さないことが判明した。１００、２００  ｍＭでは、細胞が赤く染まることから死細胞の存在が確認された。
【０３３９】
ＬＩＶＥ／ＤＥＡＤ染色：各濃度のカルシウム・リン酸溶液を用いて１０・２０サイクル交互浸漬後、カバーガラスを３５φの培養ディッシュに設置し、１  μＭのカルセインＡＭと２  μＭのエチジウムホモダイマー−１を含むリン酸緩衝生理食塩水（ＰＢＳ）２  ｍＬをディッシュに添加し、４５分間インキュベーター内でインキュベートした。その後、溶液を除去し、１  ｍＬのＰＢＳを添加してリンス後、１０％ホルマリン溶液に１０分間浸漬することで固定化した。１  ｍＬのＰＢＳでリンス後、ゲルマウント剤を１滴カバーガラスに滴下し、新しいカバーガラスをかぶせて暗所にてゲルを固めてサンプル化した。十分にゲルが固まった後、蛍光顕微鏡を用いて観察をおこなった。細胞が生存している時は、カルセインが反応し緑色の蛍光を発したが、細胞が死滅した場合は、エチジウムホモダイマー−１が反応し、赤色の蛍光を発した。
【０３４０】
（実施例３：交互浸漬後の３ＤＳＴのＤＮＡ量の評価による溶液濃度と交互浸漬回数の影響）
本実施例では、交互浸漬後の３ＤＳＴのＤＮＡ量の評価による溶液濃度と交互浸漬回数の影響を確認した。その結果を図７に示す。
【０３４１】
図７に示すように、１０、５０、１００、２００  ｍＭの塩化カルシウム／０．０５  Ｍトリス緩衝液（ｐＨ＝７．４）とリン酸水素２ナトリウム／０．０５  Ｍトリス緩衝液（ｐＨ＝７．４）を用いて３ＤＳＴを１０・２０サイクル交互浸漬を行い、ＱＩＡＧＥＮ  ＤＮｅａｓｙ  Ｔｉｓｓｕｅ  Ｋｉｔを用いてＤＮＡ量を定量した結果となった。ＤＮＡ量の減少は細胞の死滅を意味する。この結果は、図６のＬＩＶＥ／ＤＥＡＤ染色と同様に５０  ｍＭまでの濃度では交互浸漬をしない場合とＤＮＡ量がほぼ一緒であるため細胞毒性が無いことがわかるが、１００  ｍＭ以上になるとＤＮＡ量が減少し、細胞毒性があることが確認された。
【０３４２】
これらの結果から、交互浸漬濃度を制御することで、代表的には、１０〜５０ｍＭの範囲において細胞が生存している状態でハイドロキシアパタイトと複合体化できることが判明した。
【０３４３】
（実施例４：複合体上の結晶の確認）
次に、複合体上の結晶の確認を本実施例において行った。その結果を図８に示す。
【０３４４】
図８は、１０  ｍＭのカルシウムとリン酸溶液を用いて２０サイクル交互浸漬を行った３ＤＳＴを、１０％ホルマリン溶液に１０分間浸漬することで固定化し、５０％、６０％、７０％、８０％、９０％、１００％エタノールに各１０分間ずつ浸漬し、１００％ｔｅｒｔ−ブタノールに１０分間浸漬した後に一晩冷凍庫で凍結し、凍結乾燥機を用いて３時間凍結乾燥を行った後に、走査型電子顕微鏡にてアパタイト複合化３ＤＳＴの様子を観察した結果である。左上の０  ｃｙｃｌｅが３５０倍、右上の１０  ｍＭ−２０ｃｙｃｌｅが９５０倍、左下が１０００倍で観察した写真である。１０  ｍＭ−２０ｃｙｃｌｅでは、細胞膜表面と細胞が産出したＥＣＭファイバー表面にアパタイトの結晶が観察された。アパタイト結晶はおよそ１００〜５００  ｎｍ程度のサイズである。
【０３４５】
（実施例５：細胞の生死の確認）
本実施例では、他の染色法により本発明の複合体中の細胞の生死を確認した。図９Ａにその結果を示す。
【０３４６】
図９Ａに示すように、１０  ｍＭのカルシウムとリン酸溶液を用いて２０サイクル交互浸漬を行った３ＤＳＴを６０φの培養ディッシュにのせ、１０％のＷＳＴ−１試薬を含むフェノールレッド不含培地  ２ｍＬを添加し、インキュベーターを用いて１時間インキュベートした後の染色写真である。細胞が生存していると、ＷＳＴ−１がホルマザンに変化され、黄色く発色します。３ＤＳＴ全体が黄色染まっていることは、細胞が生存していることを意味する。図９Ｂには、発色メカニズムを示す。
【０３４７】
このように、本発明で生産された複合体は、ハイドロキシアパタイトに加え細胞と細胞が産出したＥＣＭ成分のみで構成されており、合成化合物を含まず、安全性に優れている。
【０３４８】
また、生体組織に密着するため、移植に優れている。
【０３４９】
代表的には、アスコルビン酸２−リン酸（リン酸化ビタミンＣ）を添加するだけで調製でき、誰でも容易に作成できる。
【０３５０】
好ましい実施形態では、本発明の複合体は、間葉系幹細胞（ＭＳＣ）を含むため、高い治療ヒト滑膜細胞（ｐａｓｓａｇｅ  ４〜７）を０．１  ｍＭアスコルビン酸２−リン酸（リン酸化ビタミンＣ）を添加するだけで調製できる。このように、従来の骨・軟骨損傷に対する治療法（自家骨移植・アパタイト埋植・間葉系幹細胞移植）に代わる、より高い骨再生効果を有した新規治療法として期待される。
【０３５１】
（実施例６：ウサギを用いた動物実験）
本実施例では、術後６週の時点で骨欠損部に細胞組織体−ハイドロキシアパタイト複合体を充填した群では深層を中心に骨の修復が進むかどうかを確認した。成熟日本白色家兎に３ＤＢＴ、ＨＡ−３ＤＢＴを移植し、組織学的評価、サフラニンＯ染色、力学的試験を行った。
【０３５２】
（ウサギ手術のプロトコール）
（麻酔）
１−２歳齢の成熟ウサギ  （日本白色家兎）に対して生理食塩水にてネンブタール５０ｍｇ／ｋｇを耳静脈より５〜１０分間かけて注入後、セラクタール５−７ｍｇ／ｋｇを臀部に筋肉注射を行う。術後の感染予防のために抗生剤  （セファメジン  ０．２ｇ）を投与する。
【０３５３】
（手術）
体位をとり滅菌ドレープを用いて術野を清潔とした後、傍膝蓋内側アプローチにより膝関節内に侵入。膝蓋骨を外側に翻転することで大腿骨顆部前面を露出させた。モザイクプラスティーＤＰと歯科技工用ドリルを用いてφ４ｍｍ×４ｍｍの円柱状骨軟骨欠損を作製する。骨軟骨欠損部に細胞組織体単独、あるいは軟骨層のレベルには細胞組織体、軟骨下骨のレベルには細胞組織体−ハイドロキシアパタイト複合体をそれぞれ対応させて充填した後、止血を確認し関節包、皮下、表皮を層々に縫合し手術を終了した。実験の様子を図１０に示す。図１０に示すように、膝関節に作製したφ４ｍｍ×４ｍｍの骨軟骨欠損に３ＤＢＴ（３ＤＢＴ群；ｎ＝３）またはＨＡ−３ＤＢＴ単独（ＨａＰ−３ＤＢＴ群；ｎ＝３）を移植し、６週後に組織所見、マイクロＣＴにより評価を行った。なお、３ＤＳＴは、上記実施例のように、４．０ｘ１０５／ｃｍ２個の家兎滑膜細胞をアスコルビン酸添加下に単層培養し、これを浮遊化し自己収縮を誘導し３ＤＳＴ  を作成した。
【０３５４】
（評価法）
組織学的検討、レントゲン撮影、マイクロＣＴにより術後の評価を行った。
【０３５５】
（ＤＡＰＩ染色）
ＤＡＰＩ〔４’，６−ｄｉａｍｉｎｏ−２−ｐｈｅｎｙｌｉｎｄｏｌｅ〕は生物の核を染色することから、原虫類の同定検査に併用する。
【０３５６】
ＤＡＰＩの分注
・ＤＡＰＩは購入後、マイクロチューブに微量ずつ秤量する。
・精密な上皿天秤にマイクロチューブを立て、風袋をとる。
・スパーテルで微量とり、マイクロチューブに入れ、その量を記載しておく。
・メーカーが指定した方法（遮光、冷蔵または冷凍）で保存する。
【０３５７】
ＤＡＰＩ保存液
・ＤＡＰＩ  ２ｍｇ  に対し、メタノール１ｍＬの割合で溶解する（２ｍｇ／ｍＬ）。
・調整後は、遮光、冷蔵する。
【０３５８】
ＤＡＰＩ染色液
・ＰＢＳ  ５０ｍＬに、ＤＡＰＩ保存液１０〜５０μＬを加えて混合する（０．４〜２．０μｇ／ｍＬ）。
・調整後は、遮光、冷蔵し、なるべく早く使用する。
ＤＡＰＩ染色
・試料に適量載せ、２〜５分間染色する。
・ＰＢＳで洗浄する。
【０３５９】
以上のようにして染色された核の形態を蛍光顕微鏡により観察し、凝集の程度や発色量により評価を行う。
【０３６０】
（結果）
術後６週の時点で骨欠損部に細胞組織体−ハイドロキシアパタイト複合体を充填した群では深層を中心に骨の修復が有意に亢進を認めたが、細胞組織体単独を充填した群では骨修復反応は認められなかった。図１１には、形成された三次元複合体を示す。右側が複合体であり、左側が三次元組織単体である。図１１では、３ＤＢＴをＣａ＋溶液とＰＯ４−溶液に３ＤＢＴを交互浸漬することで細胞が生存した状態で表面にハイドロキシアパタイト（ＨａＰ）結晶を沈着させることに成功した（ＨａＰ−３ＤＢＴ）ことを示す。
【０３６１】
具体的な結果は、図１２〜図１３に示す。
【０３６２】
図１２には、三次元組織単体を移植した結果を示す。左上部：マイクロＣＴ，  左下部：組織像（１倍）、右：組織像拡大（２００倍）である。３ＤＢＴ移植部には骨形成は認めなかった。ａは対応する部分を示す。
【０３６３】
図１３には、三次元組織複合体を移植した結果を示す。左上部：マイクロＣＴ，  左下部：組織像（１倍）、右：組織像拡大（２００倍）である。３ＤＢＴ移植部には骨形成は認めなかった。ＨＡ−３ＤＢＴ移植群では骨欠損へ移植した３ＤＢＴの深層中心に良好な骨形成を認めた。ａは対応する部分を示す。
【０３６４】
（結果）
本実施例によりＨＡ−３ＤＢＴの移植実験により、欠損部にＣＴ及び組織上、上海綿骨様の形態を示す骨が形成されたといえる。
【０３６５】
ここで、海綿骨と皮質骨の違いとしては、骨を性状と働きで分類すると、海綿の様な空洞の多い構造をした部分（海綿骨）とそれを取り巻く硬い緻密な部分（皮質骨）からできている。海綿骨とは、脊柱椎体、踵骨、長管骨の端近くなどに含まれる海綿状の骨を指す。海綿骨の働きは主に、骨代謝にあずかるため代謝骨ともいわれている。  海綿骨は皮質骨の５〜８倍も速い代謝速度を有し、１年間に全体の２０％近く骨が新生骨に置換えられる。皮質骨とは、海綿骨を薄く覆っている骨や、長管骨の中央部のように厚い竹筒状になっている骨をいう。皮質骨は機械的強度を保つ役目をしている。新生骨置換えは年間４％と代謝速度が遅いのが特徴である。
【０３６６】
以上から、ＨＡ−３ＤＢＴの移植実験により、欠損部にＣＴ及び組織上、上海綿骨様の形態を示す骨が形成されたという解釈をしてよいと考えられる。
【０３６７】
（実施例７：コラーゲン組成の決定）
次に、本実施例では、本発明の複合体のコラーゲン組成を決定した。
【０３６８】
（コラーゲン組成比分析法）
１．   ３ＤＢＴの前処理およびペプシンによるコラーゲンの抽出
Ｉ．   湿重量１０ｍｇの３ＤＢＴを５ｍＭ  ＥＤＴＡ／蒸留水溶液２００μＬの下で、超音波破砕する。
ＩＩ． 遠心（１０，０００×ｇ、１５分）
ＩＩＩ．       上清を廃棄し、上記ＥＤＴＡ溶液を再度加え、超音波破砕する。
ＩＶ． 上清が透明になるまでＩＩ−ＩＩＩを繰り返す。
Ｖ．   沈殿を２Ｍ尿素・５ｍＭ  ＥＤＴＡ／０．０５Ｍ  Ｔｒｉｓ−ＨＣｌ（ｐＨ７．５）５０ｍｌにて抽出。４℃で一日×３回繰り返す。
ＶＩ． 沈殿を４Ｍグアニジン塩酸／０．０５Ｍ  Ｔｒｉｓ−ＨＣｌ（ｐＨ７．５）５０ｍｌにて抽出。４℃で一日×３回繰り返す。
ＶＩＩ．       沈殿を２０μｇペプシン／５０ｍＬ  ０．５Ｍ酢酸溶液にて攪拌、４℃で一日×３回繰り返す。
ＶＩＩＩ．     ５Ｍ  ＮａＯＨを加え、素早くｐＨ８〜８．５へ中和、室温で一日放置する。
【０３６９】
（２  塩析による分別沈殿法）
コラーゲンはその溶解度が各型によってＮａＣｌ濃度、ｐＨの種々の条件化で異なることを利用し、各型に分別し抽出する手法である。
Ｉ．   Ｉ型・ＩＩＩ型とＩＶ型・Ｖ型・ＶＩ型コラーゲンの分別
ｉ．   １−ＶＩＩＩを０．７Ｍ  ＮａＣｌ／０．５Ｍ酢酸溶液で透析する。
ｉｉ． 超遠心（１００，０００×ｇ、１時間）。
ｉｉｉ．       沈殿を保存する（Ｉ型・ＩＩＩ型コラーゲン含む）。
ｉｖ． 上清を１．２Ｍ  ＮａＣｌ／０．５Ｍ酢酸溶液で透析する。
ｖ．   超遠心（１００，０００×ｇ、１時間）。
ｖｉ． 沈殿を保存する（ＩＶ型・Ｖ型コラーゲン含む）
ｖｉｉ．       上清を保存する（ＶＩ型コラーゲン含む）
ＩＩ． Ｉ型とＩＩＩ型コラーゲンの分別
ｉ．   ２−Ｉ―ｉｉｉで保存した沈殿を１．０Ｍ  ＮａＣｌ／０．０５Ｍ  Ｔｒｉｓ−ＨＣｌ（ｐＨ７．５）に溶解する。
ｉｉ． 超遠心（１００，０００×ｇ、１時間）。
ｉｉｉ．       上清にＮａＣｌを加え４．５Ｍとし、４℃で一晩放置する
ｉｖ． 超遠心（１００，０００×ｇ、１時間）。
ｖ．   ４．５Ｍ  ＮａＣｌ／０．０５Ｍ  Ｔｒｉｓ−ＨＣｌ（ｐＨ７．５）にて洗浄し、４℃で一晩放置する。
ｖｉ． 超遠心（１００，０００×ｇ、１時間）。
ｖｉｉ．       沈殿を２．０Ｍ  ＮａＣｌ／０．０５Ｍ  Ｔｒｉｓ−ＨＣｌ（ｐＨ７．５）にて抽出。３回繰り返す。
ｖｉｉｉ．     超遠心（１００，０００×ｇ、１時間）。
ｉｘ． 上清をＩ型コラーゲン溶液として保存する。
ｘ．   沈殿を１．７Ｍ  ＮａＣｌ／０．０５Ｍ  Ｔｒｉｓ−ＨＣｌ（ｐＨ７．５）にて抽出する。３回繰り返す。抽出液をＩ型コラーゲン溶液として保存する。
ｘｉ． 超遠心（１００，０００×ｇ、１時間）。
ｘｉｉ．       上清をＩ型コラーゲン溶液として保存する。
ｘｉｉｉ．     沈殿を１．０Ｍ  ＮａＣｌ／０．０５Ｍ  Ｔｒｉｓ−ＨＣｌ（ｐＨ７．５）にて抽出。３回繰り返す。
ｘｉｖ．       超遠心（１００，０００×ｇ、１時間）。
ｘｖ． 上清をＩＩＩ型コラーゲン溶液として保存する。
ＩＩＩ．       ＩＶ型とＶ型コラーゲンの分別
ｉ．   ２−Ｉ−ｖｉで保存した沈殿を、１．０Ｍ  ＮａＣｌ／０．０５Ｍ  Ｔｒｉｓ−ＨＣｌ（ｐＨ７．５）に溶解する。
ｉｉ． 超遠心（１００，０００×ｇ、１時間）。
ｉｉｉ．       上清にＮａＣｌを加え４．５Ｍとし、４℃で一晩放置する。
ｉｖ． 超遠心（１００，０００×ｇ、１時間）
ｖ．   沈殿を０．５Ｍ酢酸に溶解する。
ｖｉ． 超遠心（１００，０００×ｇ、１時間）
ｖｉｉ．       上清にＮａＣｌを加え１．２Ｍとし、４℃で一晩放置する。
ｖｉｉｉ．     超遠心（１００，０００×ｇ、１時間）
ｉｘ． 沈殿を０．１Ｍ  ＮａＣｌ／０．０５Ｍ  Ｔｒｉｓ−ＨＣｌ（ｐＨ７．５）に溶解する。
ｘ．   超遠心（１００，０００×ｇ、１時間）
ｘｉ． ０．０２Ｍ  ＮａＣｌ／０．０５Ｍ  Ｔｒｉｓ−ＨＣｌ（ｐＨ７．５）に透析する。
ｘｉｉ．       超遠心（１００，０００×ｇ、１時間）
ｘｉｉｉ．     上清をＩＶ型コラーゲン溶液として保存する。
ｘｉｖ．       沈殿を０．５Ｍ酢酸溶液に溶解しＶ型コラーゲン溶液として保存する。
ＩＶ． ＶＩ型コラーゲンの分別
ｉ．   ２−Ｉ−ｖｉｉで保存した上清にＮａＣｌを加え、２．０Ｍとする。
ｉｉ． 超遠心（１００，０００×ｇ、１時間）
ｉｉｉ．       沈殿を０．５Ｍ酢酸溶液に溶解しＶＩ型コラーゲン溶液として保存する。
【０３７０】
（ＳＤＳ−ＰＡＧＥ法によるＩ・ＩＩＩ型コラーゲンペプチド鎖の分離および組成比算出）
Ｉ型コラーゲンはα１鎖２本とα２鎖１本から、ＩＩＩ型コラーゲンはα１鎖３本から構成され、Ｉ型コラーゲンのα１鎖−α１（Ｉ）とＩＩＩ型コラーゲンのα１鎖−α１（ＩＩＩ）は尿素不含ＳＤＳ−ＰＡＧＥ法による泳動により同じ分子量を示すことが分かっている。上記３によって得られたＩ・ＩＩＩ型コラーゲン溶液をＳＤＳ−ＰＡＧＥ法により泳動し、ゲルをクマシーブリリアントブルー染色し、α１鎖のバンドの濃度を定量し、Ｉ型・ＩＩＩ型コラーゲンの比を求めることができる。
Ｉ．   準備
ｉ．   泳動用ゲル：５％アクリルアミドゲル（尿素不含）
ｉｉ． 濃縮用ゲル：３％アクリルアミドゲル（尿素不含）
ｉｉｉ．       電気泳動用緩衝液：ＳＤＳ−Ｔｒｉｓ−グリシン
ｉｖ． 電気泳動用試料：０．１Ｍジチオスレイトール／Ｉ型・ＩＩＩ形コラーゲン溶液１４μＬ  ＋  ３倍濃縮ＳＤＳ緩衝液７μＬ
ＩＩ． マーカー色素がゲル下端に達するまで電気泳動する
ＩＩＩ．       ゲルをクマシーブリリアントブルー染色し、バンドの発色をコンピューター処理にて定量する。
ＩＶ． Ｉ型：３型コラーゲン組成比  ＝  α１（Ｉ）÷２  ：  α１（ＩＩＩ）÷３  となる。
【０３７１】
（ハイドロキシプロリン定量法（Ｗｏｅｓｓｎｅｒ法）によるコラーゲン組成比算出）
コラーゲンの全アミノ酸中１０％がハイドロキシプロリンであることから、各型のコラーゲン溶液中のハイドロキシプロリンを測定し、コラーゲン組成比とする方法である。Ｉ型とＩＩＩ型の比は３で求められているので、この手法では２で得られたコラーゲン溶液のうちＩＩＩ型以外を試料とし、Ｉ型に対する比を求める。
Ｉ．   Ｉ・ＩＩＩ・ＩＶ型コラーゲン溶液はＴｒｉｓ−ＨＣｌ（ｐＨ７．５）で透析し、Ｖ・ＶＩ型コラーゲンは０．５Ｍ酢酸溶液で透析し、ＮａＣｌを取り除く。
ＩＩ． 各試料を封管中で６Ｎ  ＨＣｌに１１０℃で２４時間反応させ、コラーゲンを加水分解する。
ＩＩＩ．       以下に記す必要な試薬を作成する。
ｉ．   ヒドロキシプロリン／０．００１Ｎ  ＨＣｌ（０．１ｍｇ／ｍｌ）の標準溶液。これを１０倍、１００倍、１０００倍、１００００倍、１０００００倍希釈した各濃度の標準ヒドロキシプロリン溶液を作成する。
ｉｉ． 酢酸クエン酸緩衝液（ｐＨ６．０）  ５０ｇクエン酸ナトリウム（一水塩）、１２ｍｌ氷酢酸、１２０ｇ酢酸ナトリウム（三水塩）、３４ｇ水酸化ナトリウムを純水に溶解し計１Ｌとし、ｐＨ６．０に調整したもの。冷所保存。
ｉｉｉ．       クロラミンＴ溶液    クロラミンＴ１．４ｇを２０ｍｌの純水に溶かし、３０ｍｌメチルセロソルブ、５０ｍｌ酢酸クエン酸緩衝液を加えたもの。保存不可。
ｉｖ． ｐ−ジメチルアミノベンズアルデヒド溶液    ２０ｇのｐ−ジメチルアミノベンズアルデヒドをメチルセロソルブに溶かし、計１００ｍｌとしたもの。冷所保存。
ＩＶ． 試料溶液及びＩＩＩ−ｉで作成した標準溶液２ｍｌに１ｍｌのクロラミンＴ溶液を加える。
Ｖ．   室温で２０分放置する。
ＶＩ． １ｍｌの過塩素酸溶液（７０％過塩素酸２７ｍｌ＋純水、計１００ｍｌ）を加える。
ＶＩＩ．       室温で５分放置する。
ＶＩＩＩ．     １ｍｌのｐ−ジメチルアミノベンズアルデヒド溶液を加える
ＩＸ． ６０℃２０分加熱し水冷する。
Ｘ．   ５６０ｎｍの吸光度を測定する。ＩＩＩ−ｉの吸光度から得られるハイドロキシプロリン濃度―吸光度の標準曲線より、各コラーゲン溶液のハイドロキシプロリン濃度を求める。その比を各型のコラーゲン組成比とする。
【０３７２】
（結果）
これらのアッセイにより、所望のコラーゲン組成を有する複合体が得られているかを確認することができる。例えば、コラーゲンＩ型が６０％、コラーゲンＩＩ型が５％、コラーゲンＩＩＩ型が３０％、コラーゲンＶ型が５％のものを得ることができたことを確認することができる。
【０３７３】
（実施例８：骨分化誘導）
本実施例では、骨分化誘導を行った場合でも本発明の複合体が機能するかどうかを確認した。
【０３７４】
まず、はじめから骨分化誘導培地（１０％  ＦＢＳ−ＤＭＥＭ＋０．１μＭ  デキサメタゾン、１０ｍＭ  βグリセロホスフェート、０．２ｍＭ  アスコルビン酸２リン酸）にて培養し、骨分化誘導させた滑膜細胞から人工組織を作製した。
【０３７５】
また、骨分化誘導をかけずに三次元の人工組織を作製し、その後、培地を骨分化誘導培地に換えてさらに培養することにより、人工組織に石灰沈着骨が生じることを確認した。
【０３７６】
外見上も分化誘導を掛けない人工組織は、透明なのにくらべ、骨形成した人工組織は白色である。アリザリンレッド（Ａｌｉｚａｒｉｎ  Ｒｅｄ）には強く染色され、アルカリホスファターゼ（ＡＬＰ）染色もコントロールに比べ強く染色されている。このように、滑膜細胞による人工組織が骨分化能を有することが確認できる。
【０３７７】
（実施例９：軟骨分化誘導）
次に、本発明の複合体の製造方法において、軟骨分化誘導が使用可能かどうか確認した。
【０３７８】
（培養条件）
細胞密度：４×１０４／ｃｍ２
条件：ＣＯ２  ５％，  ａｉｒ  ９５％，  ３７℃
この培地を用いて、以下の軟骨分化誘導培地を用いて、培養を行い、人工組織を作製した。
【０３７９】
軟骨分化誘導培地：ＤＭＥＭ（ＧＩＢＣＯ）、ＦＢＳ（ＨｙＣｌｏｎｅ）  １０％、ＩＴＳ＋Ｐｒｅｍｉｘ（インスリン、トランスフェリン、亜セレン酸）（ＢＤ  Ｂｉｏｓｃｉｅｎｃｅｓ）６．２５μｇ／ｍｌ、デキサメサゾン（Ｓｉｇｍａ）  １０−７Ｍ、アスコルビン酸（ＷＡＫＯ）５０μｇ／ｍｌ，ピルビン酸（ＳＩＧＭＡ）  １００μｇ／ｍｌ。
【０３８０】
その結果を、通常の培地、軟骨分化誘導培地、軟骨分化誘導培地＋ＢＭＰ−２、軟骨分化誘導培地＋ＴＧＦ−ｂ１で人工組織を培養したものを挙げることができる。いずれにおいてもアルシアンブルー染色にて青く染まり軟骨様マトリックス産生の亢進が確認できるが、その効果はＢＭＰ−２添加群にて著明である。
【０３８１】
人工組織における軟骨関連遺伝子の発現（アグリカン、Ｃｏｌ  ＩＩ、Ｓｏｘ９）を試験すると、人工組織を通常の培地から軟骨分化誘導培地に換えると軟骨分化マーカーであるＳｏｘ９遺伝子の発現が亢進し、さらに  軟骨分化誘導培地＋ＢＭＰ−２で培養するとＣｏｌｌａｇｅｎ  ＩＩ遺伝子発現も亢進し、より強力な軟骨分化が確認できる。同じ分化誘導刺激を加えた際の軟骨分化反応を単層培養滑膜細胞と三次元人工組織化した滑膜細胞とで比較すると、軟骨分化誘導培地、あるいは軟骨分化誘導培地＋ＢＭＰ−２の刺激を加えた場合、軟骨分化マーカー遺伝子の発現は人工組織においてより著明に発現していることが確認され、三次元化された人工組織は強い軟骨分化能を持つことが確認される。
【０３８２】
（実施例１０：軟骨修復）
次に、軟骨修復が可能であるかどうかを確認する。ここでは、同種異系の人工組織を使用する。
【０３８３】
人工組織の接着能の有無を確認するため、豚軟骨片上に同種の人工組織を移植した。人工組織は、細胞数４．０ｘ１０６個／３５ｍｍ  皿、アスコルビン酸１ｍＭ、培養期間７〜１４日間という条件で作製した。軟骨片に径６ｍｍの創を作成し、上層帯をメスにて切除し、コンドロイチナーゼＡＢＣ（１Ｕ／１ｍｌ）を添加し、５分間処理した。人工組織を径６ｍｍとなるように採型・移植し、７日間器官培養した。人工組織は、軟骨片接着面と密に接着し、接着面にフィブロネクチンが集結する。
【０３８４】
次に、豚軟骨移植を施行した。上記同様、生体の大腿骨内果部に径６ｍｍの創を作成し、上層帯をメスにて切除し、コンドロイチナーゼＡＢＣ（１Ｕ／１ｍｌ）を添加し、５分間処理した後に同種人工組織を径６ｍｍとなるように採型・移植し、１０日間飼育する。人工組織と軟骨組織との接着面は、細胞を介した接着ではなく、人工組織のマトリクスと軟骨のマトリクスとが直接接着していることが明らかになる。接着面にはフィブロネクチンおよびビトロネクチンが集積していることがわかる。つまりこれら接着因子が人工組織と被移植組織の接着に関与していることが示唆される。従って、本発明は、従来の人工組織、あるいは細胞よりも、天然での癒合が顕著であるという点でも特徴的であることがわかる。
【０３８５】
さらに、約１ヶ月後の組織所見では、人工組織は、軟骨損傷部は生物学的に結合しており、炎症を起こさずに定着していたことが確認される。周囲の組織との癒合を観察したところ、生物学的結合がなされていたことが明らかになる。人工組織の表層部は、繊維芽細胞様の細胞主体であったが、深層部では、軟骨様細胞が主体である。このことから、移植された人工組織は深層部において経時的に軟骨様組織へと分化していくことが示される。いずれの時期においても顕著な拒絶反応は認められず、同種移植の際に危惧された拒絶反応は認められない。
【０３８６】
従って、同種異系の人工組織を用いた移植処置により、副作用なく処置可能であることが分かる。
【０３８７】
（実施例１１：半月修復）
次に、本発明の複合体が半月修復においても使用可能かどうかを確認する。
【０３８８】
上記実施例６同様、同種の人工組織を、細胞数４．０ｘ１０６個／３５ｍｍ皿、アスコルビン酸２リン酸１ｍＭ、培養期間７〜１４日間という条件で作製した。半月に径５．５ｍｍの欠損を作成した後に、人工組織を移植した。人工組織が生着するまでの保護として、コラーゲンシート（ニプロ（株））を用いて欠損部を被覆し、１ヶ月後間飼育した。以下にプロトコールを示す。
【０３８９】
（麻酔）
１５〜１７週齢の豚（ＬＷＤ三元交配種）に対してケタラール２０ｍｇ／ｋｇ  ＋  セラクタール１０ｍｇ／ｋｇを後頚部より筋注を行った。その後耳静脈より輸液ルートを確保後、気管内挿管により気道確保を行い、ディプリバン  ０．５ｍｇ／ｋｇ／ｈｒの持続注入により麻酔の維持を行った。術後の感染予防のため抗生剤（セファメジン１ｇ）を投与した。
【０３９０】
（手術）
体位をとり、滅菌ドレープにより術野を清潔とした後、傍内側膝蓋アプローチにより膝関節内に侵入。内側関節包を同定した後その中央部で切離。助手が下腿を屈曲＋外旋させ、さらに前方引き出しを行うことで内側半月の前角部を展開。同部にφ６．５ｍｍの円柱型の欠損をモザイクプラスティーＤＰ（Ｓｍｉｔｈ  ＆  Ｎｅｐｈｅｗ）により作成した。欠損部に人工組織を充填した。人工組織が生着するまでの保護のため、コラーゲンシート（ニプロ（株））を半月の周囲に巻きつけ縫合により固定を行った。止血を確認した後、切離した内側側副靭帯を修復し、関節包、皮下、表皮を縫合。膝関節屈曲位にてギプス固定とし、手術を終了した。
【０３９１】
（評価法）
肉眼所見、組織学的検討により行った。
【０３９２】
（結果）
術後４週の肉眼所見および組織学的所見により人工組織を充填した群において修復が有意に改善を認めた。
【０３９３】
組織像では、注目すべきことに、移植後４週で人工組織内にエオジン陽性が認められ、半月組織様のマトリクスの形成を認め、また、隣接する半月組織との生物学的結合は完了していた。
【０３９４】
（実施例１２：ブタの腱・靭帯組織の修復）
本実施例において、ブタにおいて腱・靭帯組織を対象とする修復手術を行う。腱・靭帯組織の損傷状態を確認し、その際に滑膜細胞を一部採取して、滑膜細胞を培養し、実施例１に記載されるようなプロトコールを用いて人工組織を作製する。
【０３９５】
次に、手術時に、腱・靭帯組織の損傷部位の周囲を切除して、新鮮化した後、上記のように作製した人工組織を配置する。その際、人工組織は接着因子を有することから、縫合する必要なしに癒合する。そのプロトコールを以下に示す。
【０３９６】
（麻酔）
１５〜１７週齢の豚（ＬＷＤ三元交配種）に対してケタラール２０ｍｇ／ｋｇ  ＋  セラクタール１０ｍｇ／ｋｇを後頚部より筋注を行った。その後耳静脈より輸液ルートを確保後、気管内挿管により気道確保を行い、ディプリバン  ０．５ｍｇ／ｋｇ／ｈｒの持続注入により麻酔の維持を行った。術後の感染予防のため抗生剤（セファメジン１ｇ）を投与した。
【０３９７】
（手術）
体位をとり、滅菌ドレープにより術野を清潔とした後、傍内側膝蓋アプローチにより膝関節内に侵入。内側関節包の剥離を進め内側側副靭帯を同定し、モザイクプラスティーＤＰ（Ｓｍｉｔｈ  ＆  Ｎｅｐｈｅｗ）によりφ３．５ｍｍの欠損部を内側側副靭帯の大腿骨付着部より１横指遠位に作成した。欠損部に人工組織を充填した後関節包により被覆。止血を確認した、関節包、皮下、表皮を縫合。膝関節軽度屈曲位にてギプス固定とし、手術を終了した。
（評価法）
組織学的検討はＦｒａｎｋらの方法に基づき行った（Ｊ．Ｏｒｔｈｏｐ．Ｒｅｓ．１３；９２３−９，１９９５）。
（結果）
術後６週で肉眼所見および組織学的所見により人工組織を充填した群において修復が有意に改善する。
【０３９８】
（実施例１３：ブタの骨の修復）
本実施例では、ブタにおいて骨の修復実験を行う。実施例１に記載されるようなプロトコールを用いて、滑膜細胞の複合体を作製する。
【０３９９】
次に、この人工組織を、骨に適用する。主に骨膜組織と同様に骨皮質を被覆することによって患部に適用する。その結果、滑膜細胞を用いた人工組織は、骨の修復に効果があることがわかる。そのプロトコールを以下に示す。
【０４００】
（麻酔）
１５〜１７週齢の豚（ＬＷＤ三元交配種）に対してケタラール２０ｍｇ／ｋｇ  ＋  セラクタール１０ｍｇ／ｋｇを後頚部より筋注を行う。その後耳静脈より輸液ルートを確保後、気管内挿管により気道確保を行い、ディプリバン  ０．５ｍｇ／ｋｇ／ｈｒの持続注入により麻酔の維持を行う。術後の感染予防のため抗生剤（セファメジン１ｇ）を投与する。
【０４０１】
（手術）
体位をとり、滅菌ドレープにより術野を清潔とした後、第２中足骨上に縦切開を加え侵入。第２中足骨の骨膜をメスにより可及的に切除、中足骨表面を露出した。中足骨表面に横１．５ｃｍ×縦３ｃｍの開窓を骨ノミにて行った後、開窓部の骨表面を広げた人工組織で被覆した。人工組織の接着を確認し、皮下および表皮を縫合。下腿ギプス固定とし手術を終了する。
【０４０２】
（評価法）
レントゲン撮影。マイクロＣＴ。組織学的検討
（結果）
術後４週の評価において、人工組織を被覆した群において開窓部における骨形成の有意な亢進を確認する。
【０４０３】
以上のように、本発明の好ましい実施形態および実施例を用いて本発明を例示してきたが、本発明は、特許請求の範囲によってのみその範囲が解釈されるべきであることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０４０４】
本発明は、従来治療が困難であった疾患の根本的な治療方法、技術、医薬、医療デバイスを提供するという有用性を有する。特に、ハイドロキシアパタイトを自然な形で細胞と複合体化させることによって、天然に近い状態への回復を促進するという意味において、画期的な治療および予防を提供し、そのために使用される医薬、細胞、組織、組成物、システム、キットなどの提供において本発明は有用であることが理解される。
【０４０５】
本発明がターゲットとする骨・軟骨を中心とした関節組織修復・再生のニーズであるが、骨再生のターゲットとなる骨折患者数は年間数十万人にのぼり、また軟骨再生治療の主要なターゲットとなる変形性関節症の潜在患者数は３０００万人とも言われており、潜在するマーケットは巨大であり、周辺産業における有用性は高い。骨・軟骨を中心とした関節組織を対象とした再生医療研究は世界で激烈な競争が開始されているが、本発明の人工組織は、患者などの生体より採取した細胞から作成される、安全でかつ独創的なマテリアルであり、副作用などの点からも有用性は高い。
【図面の簡単な説明】
【０４０６】
【図１Ａ】図１Ａは、本発明の交互浸漬法の模式図である。
【図１Ｂ】図１Ｂは、本発明の交互浸漬法の実際のサイクルの模様を示す。
【図２】図２に、上記濃度のカルシウムとリン酸溶液を用いて５×２０サイクル交互浸漬を繰り返した後の三次元組織（３ＤＳＴともいう）の写真（交互浸漬法前後のヒト滑膜細胞由来３ＤＳＴ）を示す。
【図３】図３は、上記濃度のカルシウムとリン酸溶液を用いて５・１０・２０サイクル交互浸漬を行った３ＤＳＴを、１０％ホルマリン溶液に１０分間浸漬することで固定化し、凍結乾燥機を用いて３日間凍結乾燥を行った後に赤外吸収スペクトル測定機を用いて解析を行った結果（ＩＲスペクトル測定）を示す。アパタイトに特徴的な５６０、６００、９６０、１０７０ｃｍ−１の吸収スペクトルの発現を確認した。
【図４】図４は、上記濃度のカルシウムとリン酸溶液を用いて５・１０・２０サイクル交互浸漬を行った３ＤＳＴを、１０％ホルマリン溶液に１０分間浸漬することで固定化し、凍結乾燥機を用いて３日間凍結乾燥を行った後にＸ線回折測定機を用いて測定した結果（Ｘ線回折測定）を示す。アパタイトの結晶構造に特異的な２６、３２、３９（ｄｅｇｒｅｅ）のピークを確認した。
【図５】図５は、上記濃度のカルシウムとリン酸溶液を用いて１０・２０サイクル交互浸漬を行った３ＤＳＴを、１０％ホルマリン溶液に１０分間浸漬することで固定化し、５０％、６０％、７０％、８０％、９０％、１００％エタノールに各１０分間ずつ浸漬し、１００％ｔｅｒｔ−ブタノールに１０分間浸漬した後に一晩冷凍庫で凍結し、凍結乾燥機を用いて３時間凍結乾燥を行った後に、走査型電子顕微鏡にてアパタイト複合化３ＤＳＴの様子を観察した結果（走査型電子顕微鏡写真）を示す。左上の０ｃｙｃｌｅは４５０倍、２０ｃｙｃｌｅ右上は３０００倍、右下は３５０００倍の写真である。
【図６】図６に示すように、３ｘ１０４  ｃｅｌｌ／ｃｍ２の細胞濃度でカバーガラスに２４時間接着させたヒト滑膜細胞を、１０、５０、１００、２００  ｍＭの塩化カルシウム／０．０５  Ｍトリス緩衝液（ｐＨ＝７．４）とリン酸水素２ナトリウム／０．０５  Ｍトリス緩衝液（ｐＨ＝７．４）を用いて１０・２０サイクル交互浸漬を行い、ＬＩＶＥ／ＤＥＡＤ染色により細胞の生存・死滅を確認した（３ＤＳＴは用いず、細胞を直接交互浸漬することでカルシウムとリン酸溶液の濃度が細胞に与える毒性を評価した）（カルシウム・リン酸溶液濃度と交互浸漬回数の滑膜細胞への影響）。この結果より、５０  ｍＭ以下のカルシウム・リン酸溶液は細胞毒性を示さないことが判明した。１００、２００  ｍＭでは、細胞が赤く染まることから死細胞の存在が確認された。
【図７】図７は、１０、５０、１００、２００  ｍＭの塩化カルシウム／０．０５  Ｍトリス緩衝液（ｐＨ＝７．４）とリン酸水素２ナトリウム／０．０５  Ｍトリス緩衝液（ｐＨ＝７．４）を用いて３ＤＳＴを１０・２０サイクル交互浸漬を行い、ＱＩＡＧＥＮ  ＤＮｅａｓｙ  Ｔｉｓｓｕｅ  Ｋｉｔを用いてＤＮＡ量を定量した結果（交互浸漬後の３ＤＳＴのＤＮＡ量の評価による溶液濃度と交互浸漬回数の影響）を示す。ＤＮＡ量の減少は細胞の死滅を意味する。この結果は、図６のＬＩＶＥ／ＤＥＡＤ染色と同様に５０  ｍＭまでの濃度では交互浸漬をしない場合とＤＮＡ量がほぼ一緒であるため細胞毒性が無いことがわかるが、１００  ｍＭ以上になるとＤＮＡ量が減少し、細胞毒性があることが確認された。
【図８】図８は、１０  ｍＭのカルシウムとリン酸溶液を用いて２０サイクル交互浸漬を行った３ＤＳＴを、１０％ホルマリン溶液に１０分間浸漬することで固定化し、５０％、６０％、７０％、８０％、９０％、１００％エタノールに各１０分間ずつ浸漬し、１００％ｔｅｒｔ−ブタノールに１０分間浸漬した後に一晩冷凍庫で凍結し、凍結乾燥機を用いて３時間凍結乾燥を行った後に、走査型電子顕微鏡にてアパタイト複合化３ＤＳＴの様子を観察した結果（１０ｍＭで２０サイクル後の走査型電子顕微鏡写真）である。左上の０  ｃｙｃｌｅが３５０倍、右上の１０  ｍＭ−２０ｃｙｃｌｅが９５０倍、左下が１０００倍で観察した写真である。１０  ｍＭ−２０ｃｙｃｌｅでは、細胞膜表面と細胞が産出したＥＣＭファイバー表面にアパタイトの結晶が観察された。アパタイト結晶はおよそ１００〜５００  ｎｍ程度のサイズである。
【図９Ａ】図９Ａに示すように、１０  ｍＭのカルシウムとリン酸溶液を用いて２０サイクル交互浸漬を行った３ＤＳＴを６０φの培養ディッシュにのせ、１０％のＷＳＴ−１試薬を含むフェノールレッド不含培地  ２ｍＬを添加し、インキュベーターを用いて１時間インキュベートした後の染色写真（１０ｍＭで２０サイクル後のＷＳＴ−１染色による細胞生存確認）である。細胞が生存していると、ＷＳＴ−１がホルマザンに変化され、黄色く発色します。３ＤＳＴ全体が黄色染まっていることは、細胞が生存していることを意味する。図９Ｂには、発色メカニズムを示す。
【図９Ｂ】図９Ｂには、図９Ａにおいて用いた発色メカニズム（ＨＡｐ−３ＤＳＴの細胞生存確認）を示す。
【図１０】図１０は、実施例７の実験の様子を示す。骨軟骨欠損部に細胞組織体単独、あるいは軟骨層のレベルには細胞組織体、軟骨下骨のレベルには細胞組織体−ハイドロキシアパタイト複合体をそれぞれ対応させて充填した後、止血を確認し関節包、皮下、表皮を層々に縫合し手術を終了した。
【図１１】図１１には、形成された三次元複合体を示す。右側が複合体であり、左側が三次元組織単体である。
【図１２】図１２には、三次元組織単体を移植した結果を示す。左上部：マイクロＣＴ，  左下部：組織像（１倍）、右：組織像拡大（２００倍）である。３ＤＢＴ移植部には骨形成は認めなかった。ａは対応する部分を示す。
【図１３】図１３には、三次元組織複合体を移植した結果を示す。左上部：マイクロＣＴ，  左下部：組織像（１倍）、右：組織像拡大（２００倍）である。３ＤＢＴ移植部には骨形成は認めなかった。ＨＡ−３ＤＢＴ移植群では骨欠損へ移植した３ＤＢＴの深層中心に良好な骨形成を認めた。ａは対応する部分を示す。
【図１Ａ】
2008126005.tif 000003
【図１Ｂ】
2008126005.tif 000004
【図２】
2008126005.tif 000005
【図３】
2008126005.tif 000006
【図４】
2008126005.tif 000007
【図５】
2008126005.tif 000008
【図６】
2008126005.tif 000009
【図７】
2008126005.tif 000010
【図８】
2008126005.tif 000011
【図９Ａ】
2008126005.tif 000012
【図９Ｂ】
2008126005.tif 000013
【図１０】
2008126005.tif 000014
【図１１】
2008126005.tif 000015
【図１２】
2008126005.tif 000016
【図１３】
2008126005.tif 000017